(57)【要約】【課題】保持部材２１と剥離保護部材２３とに挟まれている含水ゲル状柔軟効能組成物２２のはみ出しが防止された貼付剤１を収納した貼付剤収納包装品の製造方法及び貼付剤収納包装品を提供。【解決手段】保持部材２１の所定の表面に積層された流動性を有する流動効能組成物原料２２ａと該効能組成物原料２２ａを覆って積層された剥離保護部材２３とを有する積層物を、変形可能な柔軟性を有する包装用容器３の中に収納して、該積層物の形状に沿って変形して密着する状態になるように包装用容器３の開口部を密封した状態で、流動効能組成物原料２２ａを流動性のない粘着性を有する柔軟効能組成物２２に熟成して変化させてなる構成を備える。【選択図】図１
2020157033.tif 000002
【特許請求の範囲】
【請求項１】
（ａ）シート状の保持部材と、前記保持部材に付着接合して積層された柔軟性を有する柔軟効能組成物と、前記柔軟効能組成物の表面に使用時に剥離可能に積層されたシート状の剥離保護部材とを備えた貼付剤と、（ｂ）前記貼付剤を収納した包装用容器と、から構成されてなり、前記柔軟効能組成物は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される、貼付剤収納包装品の製造方法であって、
前記包装用容器は、前記貼付剤の形状に沿って変形可能な程度の柔軟性を有し、
（Ａ）効能組成物原料を調製する工程、
（Ｂ）保持部材の表面の所定の位置領域に前記効能組成物原料と剥離保護部材とを、該剥離保護部材が表面側に位置する状態で積層して保持部材・効能組成物原料・剥離保護部材積層物を調製する積層部材積層工程、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、
及び、
（Ｄ）前記積層物収納包装品を構成する前記効能組成物原料を流動性のない柔軟状態の柔軟効能組成物に熟成させるとともに該柔軟効能組成物を前記保持部材に付着接合させて、前記柔軟効能組成物が前記保持部材に付着接合した保持部材・柔軟効能組成物・剥離保護部材積層物を調製する熟成工程、これにより、効能組成物原料が流動性のない粘着性と柔軟状態を有する柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする貼付剤収納包装品の製造方法。
【請求項２】
前記効能組成物原料は流動可能な流動状態を有する流動効能組成物原料であり、
（Ａ）流動可能な流動状態を有する流動効能組成物原料を調製する流動効能組成物原料調製工程、
（Ｂ）保持部材の表面の所定の位置領域に、前記流動効能組成物原料と剥離保護部材とを、該剥離保護部材が表面側に位置する状態で積層して保持部材・効能組成物原料・剥離保護部材積層物を調製する積層部材積層工程、ここで、前記流動効能組成物原料は所定形状を有するとともに流動性を有し、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記流動効能組成物原料は所定形状を有するとともに流動性を維持し、
及び、
（Ｄ）前記積層物収納包装品を構成する前記流動効能組成物原料を流動性のない柔軟状態の柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、流動効能組成物原料が流動性のない粘着性と柔軟状態を有する柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする請求項１に記載の貼付剤収納包装品の製造方法。
【請求項３】
前記柔軟効能組成物は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有し、
前記効能組成物原料は、前記第二冷却非変形温度に冷却された冷却非変形効能組成物原料であり、
（Ａ）第一流動温度において流動可能な流動状態を有する流動効能組成物原料を調製する流動効能組成物原料調製工程、
及び、
前記流動効能組成物原料を非変形状態になる第二冷却非変形温度に冷却して所定形状を有する非変形状態の冷却非変形効能組成物原料を調製する冷却所定形状形成工程、
（Ｂ）保持部材の表面の所定の位置領域に前記冷却非変形効能組成物原料と剥離保護部材とを、前記剥離保護部材が表面側に位置する状態で積層して保持部材・効能組成物原料・剥離保護部材積層物を調製する積層部材積層工程、ここで、前記冷却非変形効能組成物原料は非変形状態を維持し、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記冷却非変形効能組成物原料は非変形状態を維持し、
及び、
（Ｄ）前記積層物収納包装品を第三柔軟熟成温度に昇温させて、前記冷却非変形効能組成物原料を流動性のない柔軟状態の柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、効能組成物原料が流動性のない粘着性と柔軟状態を有する柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする請求項１に記載の貼付剤収納包装品の製造方法。
【請求項４】
前記柔軟効能組成物は、第一流動温度において流動可能な流動状態を有し、第一流動温度よりも低温の第二冷却非変形温度において切断可能であるとともに切断前後に変形しない程度の非変形状態を有し、第二冷却非変形温度を昇温した第三柔軟熟成温度において流動性のない柔軟状態を有し、
前記効能組成物原料は、前記第二冷却非変形温度に冷却されるとともに該第二冷却非変形温度において切断された所定形状を有する切断冷却非変形効能組成物原料であり、
（Ａ）第一流動温度において流動可能な流動状態を有する流動効能組成物原料を調製する流動効能組成物原料調製工程、
及び、
前記流動効能組成物原料を非変形状態になる第二冷却非変形温度に冷却して非変形状態の冷却非変形効能組成物原料を形成し、その後、該冷却非変形効能組成物原料を所定形状に切断して切断冷却非変形効能組成物原料を調製する所定形状形成工程、
（Ｂ）保持部材の表面の所定の位置領域に前記切断冷却非変形効能組成物原料と剥離保護部材とを、前記剥離保護部材が表面側に位置する状態で積層して保持部材・効能組成物原料・剥離保護部材積層物を調製する積層部材積層工程、ここで、前記切断冷却非変形効能組成物原料は非変形状態を維持し、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記切断冷却非変形効能組成物原料は非変形状態を維持し、
及び、
（Ｄ）前記積層物収納包装品を第三柔軟熟成温度に昇温させて、前記切断冷却非変形効能組成物原料を流動性のない柔軟状態の柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、効能組成物原料が流動性のない粘着性と柔軟状態を有する柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする請求項１に記載の貼付剤収納包装品の製造方法。
【請求項５】
前記柔軟効能組成物は、互いに異なる組成成分を含有する複数種類の柔軟効能組成物を備え、
前記効能組成物原料は流動可能な流動状態を有する複数種類の流動効能組成物原料を備え、
（Ａ）流動可能な流動状態を有する複数種類の流動効能組成物原料を調製する流動効能組成物原料調製工程、ここで、前記複数種類の流動効能組成物原料のそれぞれの流動効能組成物原料は互いに異なる組成成分を含有し、
（Ｂ）保持部材の表面の所定の位置領域に、それぞれの流動効能組成物原料と剥離保護部材とを、前記剥離保護部材が表面側に位置する状態で積層して保持部材・効能組成物原料・剥離保護部材積層物を調製する積層部材積層工程、
ここで、前記それぞれの流動効能組成物原料は所定形状を有するとともに流動性を有し、
（ｉ）それぞれの流動効能組成物原料は保持部材の平面領域に互いに隣り合う位置に積層される、
及び／又は、
（ｉｉ）それぞれの流動効能組成物原料は保持部材の積層方向に互いに重なり合う位置に積層される、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記それぞれの流動効能組成物原料は所定形状を有するとともに流動性を維持し、
（Ｄ）前記積層物収納包装品を構成するそれぞれの流動効能組成物原料を前記保持部材に接合させると共に前記それぞれの流動効能組成物原料を互いに接合させて、流動性のない柔軟状態のそれぞれの柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、それぞれの流動効能組成物原料が流動性のない粘着性と柔軟状態を有するそれぞれの柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする請求項１に記載の貼付剤収納包装品の製造方法。
【請求項６】
前記柔軟効能組成物は、互いに異なる組成成分を含有する複数種類の柔軟効能組成物を備え、
前記複数種類の柔軟効能組成物のそれぞれの柔軟効能組成物は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有し、
前記効能組成物原料は、前記第二冷却非変形温度に冷却された複数種類の冷却非変形効能組成物原料を備え、
（Ａ）第一流動温度において流動可能な流動状態を有する複数種類の流動効能組成物原料を調製する流動効能組成物原料調製工程、ここで、前記複数種類の流動効能組成物原料のそれぞれの流動効能組成物原料は互いに異なる組成成分を含有し、
及び、
前記複数種類の流動効能組成物原料のそれぞれの流動効能組成物原料を非変形状態になる第二冷却非変形温度に冷却して所定形状を有する非変形状態のそれぞれの冷却非変形効能組成物原料を調製する冷却所定形状形成工程、
ここで、前記それぞれの冷却非変形効能組成物原料は非変形状態を有し、
（ｉ）それぞれの冷却非変形効能組成物原料は、切断されることなく所定の形状を有する、及び／又は、
（ｉｉ）それぞれの冷却非変形効能組成物原料を切断して、それぞれの冷却非変形効能組成物原料は、所定の形状に切断された所定の形状を有する、
（Ｂ）保持部材の表面の所定の位置領域に前記それぞれの冷却非変形効能組成物原料と剥離保護部材とを、前記剥離保護部材が表面側に位置する状態で積層して保持部材・効能組成物原料・剥離保護部材積層物を調製する積層部材積層工程、
ここで、前記それぞれの冷却非変形効能組成物原料は非変形状態を維持し、
（ｉ）それぞれの冷却非変形効能組成物原料は保持部材の平面領域に互いに隣り合う位置に積層される、及び／又は、
（ｉｉ）それぞれの冷却非変形効能組成物原料は保持部材の積層方向に互いに重なり合う位置に積層される、
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記それぞれの冷却非変形効能組成物原料は非変形状態を維持し、
及び、
（Ｄ）前記積層物収納包装品を構成するそれぞれの冷却非変形効能組成物原料を前記保持部材に接合させると共に前記それぞれの冷却効能組成物原料を互いに接合させて、流動性のない柔軟状態のそれぞれの柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、それぞれの冷却効能組成物原料が流動性のない粘着性と柔軟状態を有するそれぞれの柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、
を備えることを特徴とする請求項１に記載の貼付剤収納包装品の製造方法。
【請求項７】
前記（Ｃ）工程において、
前記保持部材・効能組成物原料・剥離部材積層物を、包装用容器の中に位置する状態で、包装用容器の中が大気圧よりも低い減圧状態で、前記包装用容器の開口部を密封して、前記包装用容器の中が大気圧よりも低い減圧状態に形成された積層物収納包装品を調製する積層物包装工程を備え、
これにより、前記包装用容器が該包装用容器の内側と外側との気圧差により前記保持部材・効能組成物原料・剥離保護部材積層物の形状に沿って密着する状態になって変形した積層物収納包装品が得られる、
ことを特徴とする請求項１乃至６のいずれかに記載の貼付剤収納包装品の製造方法。
【請求項８】
前記包装用容器は加熱により収縮する性質を有する熱収縮性包装用容器であり、
前記（Ｃ）工程において、
前記保持部材・効能組成物原料・剥離保護部材積層物を、熱収縮性を有する包装用容器の中に位置する状態で、前記包装用容器を加熱により熱収縮させるとともに前記包装用容器の開口部を密封して、積層物収納包装品を調製する積層物包装工程、これにより、前記包装用容器が熱収縮作用により前記保持部材・効能組成物原料・剥離保護部材積層物の形状に沿って密着する状態になって変形した積層物収納包装品が得られる、
ことを特徴とする請求項１乃至６のいずれかに記載の貼付剤収納包装品の製造方法。
【請求項９】
前記包装用容器は、加熱により溶融融着する材料から構成され、
前記（Ｃ）工程において、
前記包装用容器の開口部を加熱することにより、前記包装用容器の開口部が溶融融着して接合されて密封される、
ことを特徴とする請求項７または８に記載の貼付剤収納包装品の製造方法。
【請求項１０】
前記（Ｂ）工程において、
前記効能組成物原料が前記保持部材の表面の周辺よりも内側領域に位置して保持部材周辺余白部を形成する状態で、前記剥離保護部材が前記効能組成物原料と保持部材周辺余白部との表面側に位置する状態で、前記効能組成物原料と剥離保護部材とを積層し、
前記（Ｃ）工程において、
前記保持部材・効能組成物原料・剥離保護部材積層物を、包装用容器の中に位置する状態で、前記剥離保護部材が前記柔軟効能組成物を覆うと共に前記保持部材の保持部材周辺余白部に密着した形態で、前記包装用容器が前記積層物の形状に沿って変形して密着する状態になるように、前記包装用容器の開口部を密封する、
ことを特徴とする請求項１乃至９のいずれかに記載の貼付剤収納包装品の製造方法。
【請求項１１】
前記柔軟効能組成物は、少なくとも、水と、水溶性高分子とを含有する含水ゲル状の柔軟効能組成物であり、
前記柔軟効能組成物は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる保形成と粘着性と柔軟状態をするゲル状の柔軟状態を有する性質を有する、
ことを特徴とする請求項１乃至１０のいずれかに記載の貼付剤収納包装品の製造方法。
【請求項１２】
貼付剤と、前記貼付剤を収納した包装用容器とを備え、
前記貼付剤は、シート状の保持部材と、前記保持部材の表面の所定の位置領域に付着接合して配置されて積層された柔軟性を有する柔軟効能組成物と、前記柔軟効能組成物の表面に使用時に剥離可能に積層されたシート状の剥離保護部材とを備え、
前記柔軟効能組成は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される貼付剤収納包装品であって、
前記包装用容器は、前記貼付剤の形状に沿って変形可能な程度の柔軟性を有し、
前記貼付剤が前記包装用容器の中に位置するとともに前記包装用容器が前記貼付剤の形状に沿って密着する状態で、前記貼付剤が前記包装用容器の中に収納されて密封されてなる形態を有し、
前記貼付剤が前記包装用容器の中に位置するとともに前記包装用容器が前記貼付剤の形状に沿って密着する状態で、前記柔軟効能組成物が粘着性を有するとともに柔軟状態を有する柔軟効能組成物の形態に熟成されてなる熟成形態を有する、
構成を備えてなることを特徴とする貼付剤収納包装品。
【請求項１３】
前記貼付剤が前記包装用容器の中に位置するとともに前記包装用容器が前記貼付剤の形状に沿って密着する状態で、前記柔軟効能組成物が、流動状態を有する流動効能組成物原料の形態から、流動性のない柔軟状態を有する柔軟効能組成物の形態に熟成されてなる熟成形態を有する、
構成を備えてなることを特徴とする請求項１２に記載の貼付剤収納包装品。
【請求項１４】
前記柔軟効能組成物は、第一流動温度において流動可能な流動状態を有する流動効能組成物原料の形態を有し、第一流動温度よりも低温の第二冷却非変形温度において変形しない程度の非変形状態を有する冷却非変形効能組成物原料の形態を有し、第二冷却非変形温度から昇温した第三柔軟熟成温度において流動性のない非流動形態に変化されてなる柔軟状態を有する柔軟効能組成物の形態に熟成されてなる熟成形態を有する性質を有し、
前記貼付剤が前記包装用容器の中に位置するとともに前記包装用容器が前記貼付剤の形状に沿って密着する状態で、前記柔軟効能組成物が、前記第二冷却非変形温度における非変形状態を有する形態から、前記第三柔軟熟成温度における流動性のない非流動形態に変化されてなる柔軟状態を有する柔軟効能組成物の形態に熟成された熟成形態を有してなる、構成を備えてなることを特徴とする請求項１２に記載の貼付剤収納包装品。
【請求項１５】
前記柔軟効能組成物は、第一流動温度において流動可能な流動状態を有する流動効能組成物原料の形態を有し、第一流動温度よりも低温の第二冷却非変形温度において切断前後に変形しない程度の非変形状態を有するとともに切断された切断冷却非変形効能組成物原料の形態を有し、第二冷却非変形温度から昇温した第三柔軟熟成温度において流動性のない非流動形態に変化されてなる柔軟状態を有する柔軟効能組成物の形態に熟成された熟成形態を有する性質を有し、
前記貼付剤が前記包装用容器の中に位置するとともに前記包装用容器が前記貼付剤の形状に沿って密着する状態で、前記柔軟効能組成物が、前記第二冷却非変形温度における非変形状態を有する形態から、前記第三柔軟熟成温度における流動性のない非流動形態に変化されてなる柔軟状態を有する柔軟効能組成物の形態に熟成された熟成形態を有する構成を備えてなる、
ことを特徴とする請求項１２に記載の貼付剤収納包装品。
【請求項１６】
前記貼付剤が前記包装用容器の中に位置するとともに前記包装用容器が前記貼付剤の形状に沿って密着する状態で、前記貼付剤が前記包装用容器に収納され密封されてなる形態は、前記貼付剤が包装用容器の中に位置するとともに包装用容器の中が大気圧よりも低い減圧状態で、前記貼付剤が前記包装用容器の中に収納されて密封されてなる形態である、ことを特徴とする請求項１２乃至１５のいずれかに記載の貼付剤収納包装品。
【請求項１７】
前記貼付剤が前記包装用容器の中に位置するとともに前記包装用容器が前記貼付剤の形状に沿って密着する状態で、前記貼付剤が前記包装用容器に収納され密封されてなる形態は、前記包装用容器は加熱により収縮する性質を有する熱収縮性包装用容器であり、
前記貼付剤が熱収縮性包装用容器の中に位置する状態で、前記熱収縮性包装用容器が加熱により熱収縮されてなる状態で前記貼付剤が前記包装用容器の中に収納されて密封されてなる形態である、
ことを特徴とする請求項１２乃至１５のいずれかに記載の貼付剤収納包装品。
【請求項１８】
前記柔軟効能組成物は、少なくとも水と水溶性高分子を含有し、第一流動温度において流動可能な流動状態を有し、前記第一流動温度よりも低温の第二冷却非変形温度において変形しない程度の非変形状態を有し、前記第二冷却非変形温度を昇温した第三柔軟熟成温度において流動性のない柔軟状態を有する柔軟効能組成物に熟成されてなるとともに粘着性を有する含水ゲル状の柔軟効能組成物である、
ことを特徴とする請求項１２乃至１７のいずれかに記載の貼付剤収納包装品。
【請求項１９】
前記柔軟効能組成物は、互いに異なる組成成分を含有する複数種類の柔軟効能組成物を有し、
前記複数種類の柔軟効能組成物のそれぞれの柔軟効能組成物は、少なくとも粘着性を有すると共に、互いに異なる効能を奏し、
前記貼付剤は、シート状の保持部材と、前記保持部材の表面の所定の位置領域に配置されて接合された複数種類の柔軟効能組成物と、前記柔軟効能組成物の表面を覆って積層されたシート状の剥離保護部材とを備え、
（ｉ）前記複数種類の柔軟効能組成物のそれぞれの柔軟効能組成物は、所定形状を有し、前記保持部材の表面の平面領域に互いに隣り合う位置に配置されるとともに互いに接合されて構成されてなり、
又は、
（ｉｉ）前記複数種類の柔軟効能組成物のそれぞれの柔軟効能組成物は、所定形状を有し、前記保持部材の表面の所定領域に互いに重なり合う位置に積層されて配置されて互いに接合されて構成されてなり、
前記貼付剤が前記包装用容器の中に位置するとともに前記包装用容器が前記貼付剤の形状に沿って密着する状態で、前記複数種類の柔軟効能組成物が柔軟状態を有する柔軟効能組成物の形態に熟成された熟成形態を有してなる、
構成を備えてなることを特徴とする請求項１２乃至１８のいずれかに記載の貼付剤収納包装品。
【請求項２０】
前記貼付剤は、前記柔軟効能組成物が前記保持部材の表面からはみ出すことなく前記保持部材の表面領域に位置する状態で前記柔軟効能組成物が前記保持部材の表面に積層されてなるとともに、前記剥離保護部材が前記柔軟効能組成物の表面を覆ってなる状態を有し、
前記包装用容器が前記剥離保護部材の表面に密着した形態で形成されてなり、
前記包装用容器が前記貼付剤の形状に沿って密着する状態で構成されてなる、
構成を備えることを特徴とする請求項１２乃至１９のいずれかに記載の貼付剤収納包装品。
【請求項２１】
前記貼付剤は、前記柔軟効能組成物が前記保持部材の表面の周辺よりも内側領域に位置して保持部材周辺余白部を形成する状態で前記柔軟効能組成物が前記保持部材の表面に積層されてなるとともに、前記剥離保護部材が前記柔軟効能組成物を覆うと共に前記保持部材の保持部材周辺余白部に密着した形態で形成されてなり、
前記包装用容器が前記貼付剤の形状に沿って密着する状態で構成されてなる、
構成を備えることを特徴とする請求項１２乃至１９のいずれかに記載の貼付剤収納包装品。
【請求項２２】
前記柔軟効能組成物は水及び／又は薬効成分を含有し、
前記包装用容器から取り出された前記貼付剤の剥離保護部材を前記柔軟効能組成物から剥離して、前記保持部材に積層して接合された前記柔軟効能組成物を人体皮膚に貼付して使用されたとき、前記柔軟効能組成物に含有されている前記水及び／又は前記薬効成分に起因する冷却効能及び／又は薬効を奏する、
ことを特徴とする請求項１２乃至２１のいずれかに記載の貼付剤収納包装品。
【発明の詳細な説明】
【発明の詳細な説明】
【技術分野】
【０００１】  本発明は、人体に貼付することにより、冷感効能、温感効能、清涼効能、鎮痛効能、消炎効能、又は、その他の薬理効能、等の効能を奏する貼付剤を包装した貼付剤包装品に関する。
【背景技術】
【０００２】  人体の発熱に対する氷枕や氷のうの代わりに、携帯性、貼付性に優れている人体貼付用冷却材として、主として含水水溶性高分子を含有する含水ゲル組成物を備えた種々の冷却用貼付剤が提案されている。
また、含水水溶性高分子を含有する含水ゲル組成物に鎮痛成分、消炎成分などの薬効成分を含有し、人体に貼付することにより経皮的に作用して、その薬効成分に対応する効能を奏する種々の薬効用貼付剤が提案されている。
また、水を含有しない非水系組成物、合成ゴム、天然ゴム等の弾性を有する非水系弾性組成物に鎮痛成分、消炎成分などの薬効成分を含有し、人体に貼付することにより経皮的に作用して、その薬効成分に対応する効能を奏する種々の薬効用貼付剤が提案されている。【０００３】  例えば、特開２０００−１０７２１９号公報（特許文献１）には、水溶性高分子からなりかつ水が４０重量％以上含有された保水性母材と、該保水性母材内に分散保持された少なくとも表面が親水性を有する繊維とからなり、該繊維の少なくとも一部が上記保水性母材表面に露出している保冷・保湿用ゲルであって、保水性母材内に多量に保水することができ保湿能に優れており、また繊維によって該母材内を水分が移動し易く、且つこれらの繊維によって保水性母材から外部への水分の揮散も容易に起き、保冷能にも優れる効果が開示されている。【０００４】  特開２００４−２９８４７４号公報（特許文献２）には、伸縮性シートの片面に複数個の突起が設けられた支持体の突起を有する面に（Ａ）ポリアクリル酸及び／又はその塩、（Ｂ）架橋剤を配合した含水ゲルが塗工されてなる貼付剤であって、優れた指圧効果を発揮し、患部の高い血流改善・治療効果が得られる。また、柔軟性・弾力性を有する含水ゲル層がクッションとなり突起物による鋭い痛みを感じないため、長時間にわたって心地よい使用感を奏する効果が開示されている。【０００５】  特開２００４−２３１５７７号公報（特許文献３）には、少なくとも水溶性高分子と水分と官能成分とを含む保水ゲル中に、アロマオイル、薬理活性物質などの官能成分を担持して徐放するゲル粒子が分散されてなるパッド材であって、保水ゲルを用いたパッド材を人体に貼付し続けた場合において、次第に、このパッド材による実質的な官能効果や感覚的な官能効果が低下するのを抑制し、長時間にわたって十分な官能効果を奏する効果が開示されている。【０００６】  特開２００３−１８３１５６号公報（特許文献４）には、支持体に膏体層を設けてなる外用貼付剤において、該膏体層を形成する膏体組成物が、非水性基剤、インドメタシン等の薬効成分及びポリエチレングリコールを含有すること外用貼付剤であって、貼付剤の粘着性や使用感等を良好に保ちつつ、皮膚障害を抑制できる効果を奏することが開示されている。【０００７】  再表２００１−４７５５９号公報（特許文献５）には、支持体と該支持体上に塗工された薬物保持層とを有する外用貼付剤であって、前記薬物保持層が、水溶性高分子物質、架橋剤、水、及び保水剤を必須成分とする粘着性ゲル基剤に、薬効成分としてテトラカイン、プロカイン、ジブカイン、リドカイン、ベンゾカイン、キシロカイン、又はこれらの薬学的に許容される塩の化合物からなる局所麻酔剤及びケトプロフェン、ピロキシカム、フェルビナク、ブフェキサマク、スプロフェン、フルルビプロフェン、ジクロフェナック、イブプロフェン、又はこれらの薬学的に許容される塩の化合物からなる非ステロイド系消炎鎮痛剤を含有してなる薬物含有基剤からなる外用貼付剤であって、慢性関節リウマチ、変形性関節症、及び腰痛症からなる群から選択される炎症を伴う痛みに対する鎮痛用剤である外用貼付剤であって、慢性関節リウマ��や変形性関節症、腰痛症等の炎症を伴う痛みの鎮痛効果を改善しうる効果が開示されている。【０００８】  特開２００１−６４１６１号公報（特許文献６）には、支持体部と膏体部からなる貼付剤において、膏体部を有し、インドメタシン、ケトプロフェン、フルルビプロフェン、フェルビナク、ジクロフェナク、又はクロモグリク酸などの水難溶性薬物を含有する貼付剤であって、剥がれ、めくれを生じす、且つ膏体表面についている剥離ライナーが剥がしやすく、肩、腰等へも貼付しやすく、剥がした際に膏体が皮膚表面に残らない使用性に優れた効果を奏することが開示されている。
【先行技術文献】
【特許文献】
【０００９】
【特許文献１】特開２０００−１０７２１９号公報
【特許文献２】特開２００４−２９８４７４号公報
【特許文献３】特開２００４−２３１５７７号公報
【特許文献４】特開２００３−１８３１５６号公報
【特許文献５】再表２００１−４７５５９号公報
【特許文献６】特開２００１−６４１６１号公報
【発明の概要】
【発明が解決しようとする課題】
【００１０】  上記従来の貼付剤、及び、貼付剤を包装用容器の中に収納した貼付剤収納包装品において、一般に、シート状の保持部材の表面に、含水ゲル組成物原料又は膏体組成物原料などの流動状態を有する効能組成物原料を積層し、さらに、その流動状態の効能組成物原料の表面に剥離保護部材を積層し、その後、積層された積層物のうちの流動状態の効能組成物原料を流動しない程度の柔軟状態に熟成して柔軟効能組成物に処理する熟成処理工程を含む方法により貼付剤を製造し、その後、更に、保持部材の表面に積層されるとともに柔軟状態に熟成処理された柔軟効能組成物と剥離保護部材とから構成されたその貼付剤を、水分透過や空気透過を抑制できる包装用容器に収納するとともに包装用容器を密封して貼付剤収納包装品を製造する方法により、貼付剤収納包装品が製造されている。【００１１】  従来の一般的な貼付剤収納包装品の製造方法の一例の製造工程を以下に説明する。
図１２、図１３は、一般的な従来の貼付剤収納包装品の製造方法の製造工程の一例を説明する概略工程模式図である。
図１３において、従来の貼付剤収納包装品の製造方法の一例は以下の工程により製造されている。
（ａ）工程：第一流動温度において流動可能な流動状態を有する流動効能組成物原料２２ａを調製する流動効能組成物原料調製工程．
（ｂ）工程：保持部材２１の表面の所定の位置領域に、流動効能組成物原料２２ａと剥離保護部材２３とを、剥離保護部材２３が表面側に位置する状態で積層して、保持部材・流動効能組成物原料・剥離保護部材積層物を調製する剥離保護部材積層工程．
（ｃ）工程：保持部材・流動効能組成物原料・剥離保護部材積層物を、第三柔軟熟成温度の雰囲気中で、流動効能組成物原料２２ａを流動性状態から流動性のない柔軟状態の柔軟効能組成物２２に熟成させて変化させるとともに柔軟効能組成物２２を保持部材に付着接合させて、柔軟効能組成物２２が保持部材に付着接合した保持部材・柔軟効能組成物・剥離保護部材積層物を調製する熟成工程、これにより、流動効能組成物原料２２ａが柔軟効能組成物２２に熟成された構成を有する保持部材・柔軟効能組成物・剥離保護部材を備えた貼付剤を収納した貼付剤２が得られる．
（ｄ）工程：貼付剤２を包装用容器３の中に位置する状態で、包装用容器３の開口部を密封して、包装用容器密封部３ａを形成する。これにより、貼付剤２を収納した貼付剤収納包装品が得られる．【００１２】  図１２において、従来の貼付剤収納包装品の製造方法の一例は以下の工程により製造されている。
（ａ）工程：第一流動温度において流動可能な流動状態を有する流動効能組成物原料２２ａを調製する流動効能組成物原料調製工程．
（ｂ−イ）工程：保持部材２１の表面の所定の位置領域に、流動効能組成物原料２２ａと剥離保護部材２３とを、剥離保護部材２３が表面側に位置する状態で積層して、保持部材・流動効能組成物原料・剥離保護部材積層物を調製する剥離保護部材積層工程、ここで、流動効能組成物原料２２ａは保持部材２１の表面の周辺部よりも内側に位置するように積層される．
（ｂ−イ）工程に替えて、（ｂ−ロ）工程：保持部材２１の表面の所定の位置領域に、流動効能組成物原料２２ａと剥離保護部材２３とを、剥離保護部材２３が表面側に位置する状態で積層して、保持部材・流動効能組成物原料・剥離保護部材積層物を調製する剥離保護部材積層工程、ここで、流動効能組成物原料２２ａは保持部材２１の表面の周辺部と同じ位置に位置するように積層される．
（ｂ−ハ）工程：（ｂ−イ）工程又は（ｂ−ロ）工程の後、時間が経過するに従って、流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。
又は、（ｂ−ニ）工程：（ｂ−イ）工程又は（ｂ−ロ）工程の後、時間が経過するに従って、流動効能組成物原料２２ａが流動性を有するために、流動効能組成物原料２２ａの厚さＨが減少して厚さＨ２になると共に流動効能組成物原料２２ａが保持部材２１の端面からはみ出すと共に保持部材の端面方向に流れて長さＬ２の状態ではみ出すと共に流れ出した状態になる。【００１３】  （ｃ−イ）工程：（ｂ−ハ）工程の状態において、保持部材・流動効能組成物原料・剥離保護部材積層物を、前記第一流動温度と同じ温度、又は、第三柔軟熟成温度の雰囲気中で、流動効能組成物原料２２ａを流動性状態から流動性のない柔軟状態の柔軟効能組成物２２に熟成させるとともに柔軟効能組成物２２を保持部材に付着接合させて、柔軟効能組成物２２が保持部材に付着接合した保持部材・柔軟効能組成物・剥離保護部材積層物を調製する熟成工程、これにより、流動効能組成物原料２２ａが柔軟効能組成物２２に熟成された構成を有する保持部材・柔軟効能組成物・剥離保護部材を備えた貼付剤を収納した貼付剤２が得られる。ここで、はみ出している流動効能組成物原料２２ａも流動性状態から流動性のない粘着性を有する柔軟状態の柔軟効能組成物２２に熟成される。
又は、（ｃ−ロ）工程：（ｂ−ニ）工程の状態において、保持部材・流動効能組成物原料・剥離保護部材積層物を、前記第一流動温度と同じ温度、又は、第三柔軟熟成温度の雰囲気中で、流動効能組成物原料２２ａを流動性状態から流動性のない柔軟状態の柔軟効能組成物２２に熟成させるとともに柔軟効能組成物２２を保持部材に付着接合させて、柔軟効能組成物２２が保持部材に付着接合した保持部材・柔軟効能組成物・剥離保護部材積層物を調製する熟成工程、これにより、流動効能組成物原料２２ａが柔軟効能組成物２２に熟成された構成を有する保持部材・柔軟効能組成物・剥離保護部材を備えた貼付剤を収納した貼付剤２が得られる。ここで、はみ出すと共に保持部材の端面方向に流れて付着している流動効能組成物原料２２ａも流動性状態から流動性のない粘着性を有する柔軟状態の柔軟効能組成物２２に熟成される。【００１４】  （ｄ−イ）工程：貼付剤２を包装用容器３の中に位置する状態で、包装用容器３の開口部を密封する、これにより、貼付剤２を収納した貼付剤収納包装品が得られる。ここで、はみ出している流動性のない粘着性を有する柔軟状態の柔軟効能組成物２２は熟成された状態を維持する。
又は、（ｄ−ロ）工程：貼付剤２を包装用容器３の中に位置する状態で、包装用容器３の開口部を密封する、これにより、貼付剤２を収納した貼付剤収納包装品が得られる。ここで、はみ出すと共に保持部材端面側に付着している流動性のない粘着性を有する柔軟状態の柔軟効能組成物２２は熟成された状態を維持する。
このようにして、従来の貼付剤収納包装品が製造される。【００１５】  従来の貼付剤収納包装品の製造方法の他の一例は以下の工程により製造されている。
前述の図１２における（ａ）工程、及び、（ｂ−イ）により調製された保持部材・流動効能組成物原料・剥離保護部材積層物を、包装用容器の中に位置して、包装用容器の開口部を密封する。
そして、包装用容器の中に収納された保持部材・流動効能組成物原料・剥離保護部材積層物の流動効能組成物原料２２ａが流動性のない柔軟性を有する柔軟効能組成物２２に熟成されて変化し、これにより保持部材・柔軟効能組成物・剥離保護部材を備えた貼付剤を収納した貼付剤２が得られる。
この従来の製造方法においても、図１２の（ｂ−ハ）に示されるように、流動効能組成物原料２２ａが流動性を有するために、時間の経過に従って流動効能組成物原料２２ａの厚さＨが減少して厚さＨ２になると共に流動効能組成物原料２２ａが保持部材２１の端面からはみ出し長さＬ２の状態ではみ出した状態になり、はみ出すと共に保持部材の端面方向に流れて付着している流動効能組成物原料２２ａが（ｃ−イ）に示されるように流動性状態から流動性のない粘着性を有する柔軟状態の柔軟効能組成物２２に熟成される。【００１６】  上記のような従来の貼付剤を包装用容器の中に収納した貼付剤収納包装品において、保持部材と柔軟効能組成物と剥離保護部材とより構成される貼付剤を製造する工程と、その貼付剤を包装用容器の中に収納して密封する工程との２工程を要して製造されており、貼付剤収納包装品を製造するための更なる製造工程の効率化が要求されている。【００１７】  また、貼付剤が製造されてから包装用容器に収納されるまでの時間が長い場合には、製造工程中における柔軟効能組成物中に含有される成分の蒸発発散又は空気との化学反応による含有成分の劣化等による含有組成変化が発生し、そのために、貼付剤の品質が不安定になる傾向がある。【００１８】  また、従来の貼付剤収納包装品において、流動状態を有する効能組成物原料を保持部材の表面に積層する製造方法を含むことに起因して、柔軟状態に熟成した柔軟効能組成物の厚さ、平面形状、積層位置などの寸法精度や位置精度にバラツキが発生する傾向があり、不良品の発生の原因となっている。【００１９】  また、従来の貼付剤収納包装品において、保持部材と剥離保護部材との間に構成されている柔軟効能組成物が保持部材と剥離保護部材の間の端部からはみ出した貼付剤が製造されるという不良が生じる傾向がある。そのはみ出した柔軟効能組成物を構成する貼付剤を包装用容器の中に収納した場合に、はみ出した柔軟効能組成物が包装用容器の内面に粘着し、貼付剤を包装用容器から容易に取り出せないという不便が生じる傾向にある。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる傾向がある。【００２０】  また、保持部材と流動効能組成物原料と剥離保護部材とより構成される保持部材・流動効能組成物原料・剥離保護部材積層物を包装用容器の中に収納して密封し、その収納密封状態で流動効能組成物原料を流動性のない柔軟効能組成物に熟成させる工程を備えた貼付剤収納包装品においても、保持部材と剥離保護部材との間に構成されている柔軟効能組成物が保持部材と剥離保護部材の間の端部からはみ出した貼付剤が製造されるという不良が生じる傾向がある。そのはみ出した柔軟効能組成物を構成する貼付剤が包装用容器の中に収納された状態になっている為に、はみ出した柔軟効能組成物が包装用容器の内��に粘着し、貼付剤を包装用容器から容易に取り出せないという不便が生じる。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる傾向がある。【００２１】  本発明は、上記課題を解決して、保持部材と柔軟効能物と剥離保護部材とを積層した貼付剤を収納した貼付剤収納包装品を従来よりも少ない工程により製造できる貼付剤収納包装品の製造方法及び貼付剤収納包装品を提供する。
また、上記課題を解決して、保持部材の表面に、柔軟効能組成物を、厚さ、面積、形状、積層位置などを高精度で積層形成可能である貼付剤収納包装品の製造方法及び貼付剤収納包装品を提供する。
また、上記課題を解決して、保持部材と剥離保護部材との間に構成されている柔軟効能組成物のはみ出し現象を抑制できる貼付剤収納包装品の製造方法及び貼付剤収納包装品を提供する。
【課題を解決するための手段】
【００２２】  本発明の貼付剤収納包装品の製造方法は、（ａ）シート状の保持部材と、前記保持部材に付着接合して積層された柔軟性を有する柔軟効能組成物と、前記柔軟効能組成物の表面に使用時に剥離可能に積層されたシート状の剥離保護部材とを備えた貼付剤と、（ｂ）前記貼付剤を収納した包装用容器と、から構成されてなり、前記柔軟効能組成物は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される、貼付剤収納包装品の製造方法であって、前記包装用容器は、前記貼付剤の形状に沿って変形可能な程度の柔軟性を有し、（Ａ）効能組成物原料を調製する工程、（Ｂ）保持部材の表面の所定の位置領域に前記効能組成物原料と剥離保護部材とを、前記剥離保護部材が表面側に位置する状態で積層して保持部材・効能組成物原料・剥離保護部材積層物を調製する積層部材積層工程、（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、及び、（Ｄ）前記積層物収納包装品を構成する前記効能組成物原料を流動性のない柔軟状態の柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、効能組成物原料が流動性のない粘着性と柔軟状態を有する柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる、構成を備えることを特徴とする。【００２３】  本発明の貼付剤収納包装品は、貼付剤と、前記貼付剤を収納した包装用容器とを備え、前記貼付剤は、シート状の保持部材と、前記保持部材の表面の所定の位置領域に付着接合して配置されて積層された柔軟性を有する柔軟効能組成物と、前記柔軟効能組成物の表面に使用時に剥離可能に積層されたシート状の剥離保護部材とを備え、前記柔軟効能組成は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される貼付剤収納包装品であって、前記包装用容器は、前記貼付剤の形状に沿って変形可能な程度の柔軟性を有し、前記貼付剤が前記包装用容器の中に位置するとともに前記包装用容器が前記貼付剤の形状に沿って密着する状態で、前記貼付剤が前記包装用容器の中に収納されて密封されてなる形態を有し、前記貼付剤が前記包装用容器の中に位置するとともに前記包装用容器が前記貼付剤の形状に沿って密着する状態で、前記柔軟効能組成物が粘着性を有するとともに柔軟状態を有する柔軟効能組成物の形態に熟成されてなる熟成形態を有する、構成を備えてなることを特徴とする。
【発明の効果】
【００２４】  本発明により下記の効果が得られる。
［方法効果ア：貼付剤密着収納］：
本発明の貼付剤収納包装品の製造方法により、保持部材と熟成された柔軟効能物と剥離保護部材とを積層した貼付剤を製造する工程と該貼付剤を収納用容器に収納する工程との双方の工程を経ることなく、包装用容器の中に収納された状態で熟成された柔軟効能組成物を有する貼付剤を形成できると共に該熟成された柔軟効能組成物を有する貼付剤を収納した貼付剤収納包装品を得ることが可能になり、その結果、製造工程が従来よりも著しく簡略化され、量産性が向上し、著しいコストダウンが可能となる貼付剤収納包装品を製造できる効果が得られる。
また、柔軟効能組成物が包装用容器の中に収納された状態で熟成されるために、貼付剤が製造されてから包装用容器に収納されるまでの時間が短縮される。
更に、製造工程中における柔軟効能組成物中に含有される成分の蒸発発散又は空気との化学反応による含有成分の変質や劣化等による含有組成変化や化学的劣化が抑制されて、安定した品質を有する貼付剤が得られる。
更に、前記包装用容器が前記保持部材・効能組成物原料・剥離部材積層物の形状に沿って変形して密着する状態で、柔軟状態の柔軟効能組成物に熟成されて変化されるために、熟成中における効能組成物原料の形状が維持されるために、保持部材と剥離保護部材とに挟まれている効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。【００２５】［構成効果ア：貼付剤収納包装品］：
本発明の貼付剤収納包装品において、貼付剤が包装用容器の中に位置するとともに包装用容器が前記貼付剤の形状に沿って密着する状態で、前記柔軟効能組成物が柔軟状態を有する柔軟効能組成物の形態に熟成されてなる熟成形態を有する構成を備える構成により、柔軟効能組成物中に含有される成分の蒸発発散又は空気との化学反応による含有成分の変質や劣化等による含有成分の含有組成変化や化学的劣化が抑制されて、安定した品質を有する貼付剤収納包装品が得られる効果が得られる。
更に、熟成中における効能組成物原料の形状が維持されてなる構成を備えるために、保持部材と剥離保護部材とに挟まれている効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。
更に、貼付剤を人体皮膚に貼付する場合に、保持部材の表面又は側面からみ出している柔軟効能組成物が粘着性を有することに起因していた貼付した状態における使用者の不快感が解消され、快適に使用できる貼付剤収納包装品が得られる。
【図面の簡単な説明】
【００２６】
【図１】本発明の一実施例の貼付剤収納包装品の製造方法の製造工程を説明する工程説明図及び概略工程模式図である。
【図２】本発明の一実施例の貼付剤収納包装品の製造方法の製造工程を説明する工程説明図及び概略工程模式図である。
【図３】本発明の一実施例の貼付剤収納包装品の製造方法の概略工程模式図である。
【図４】本発明の一実施例の貼付剤収納包装品の製造方法の概略工程模式図である。
【図５】本発明の一実施例の貼付剤収納包装品の製造方法の概略工程模式図である。
【図６】本発明の一実施例の貼付剤収納包装品の製造方法の概略工程模式図である。
【図７】本発明の一実施例の貼付剤収納包装品の製造方法の概略工程模式図である。
【図８】本発明の一実施例の貼付剤収納包装品の製造方法の概略工程模式図である。
【図９】本発明の一実施例の貼付剤収納包装品に収納されている貼付剤の複数種類の柔軟効能組成物の配置を示す概略平面模式図である。
【図１０】本発明の一実施例の貼付剤収納包装品に収納されている貼付剤に構成される柔軟効能組成物の形状を示す概略平面模式図である。
【図１１】本発明の一実施例の貼付剤収納包装品の製造方法の概略工程模式図である。
【図１２】従来の貼付剤収納包装品の製造方法の一例の製造工程を説明する概略工程模式図である。
【図１３】従来の貼付剤収納包装品の製造方法の一例の製造工程を説明する概略工程模式図である。
【発明を実施するための形態】
【００２７】＜貼付剤収納包装品の製造方法について＞
以下に、本発明の貼付剤収納包装品の製造方法及び貼付剤収納包装品について、発明を実施するための形態について説明する。なお、図において、それぞれの構成要素の形状・長さ・大きさ・厚さ等の寸法は正確に示すものではなく、模式的な概略を示すものである。
【００２８】  図１は本発明の一実施例の貼付剤収納包装品の製造方法の製造工程を説明する工程説明図及び概略工程模式図である。
図１の（Ａ）、（Ｂ）、（Ｃ）、（Ｄ）の図示された概略工程模式図において、本発明の貼付剤収納包装品の製造方法は、（ａ）シート状の保持部材２１と、前記保持部材２１に付着接合して積層された柔軟性を有する柔軟効能組成物２２と、前記柔軟効能組成物２２の表面に使用時に剥離可能に積層されたシート状の剥離保護部材２３とを備えた貼付剤２と、（ｂ）前記貼付剤１を収納した包装用容器３と、から構成されてなり、前記柔軟効能組成物２２は粘着性を有し、使用時に、前記貼付剤２が包装用容器３から取り出され、取出された前記貼付剤２から前記剥離保護部材２３が剥離されて、前記保持部材２１に積層して接合された前記柔軟効能組成物２２を人体皮膚に貼付して使用される、貼付剤収納包装品１の製造方法であって、下記の構成、工程を備える。
包装用容器３は、貼付剤２の形状に沿って変形可能な程度の柔軟性を有する．
（Ａ）効能組成物原料２２ａを調製する工程．
（Ｂ）保持部材２１の表面の所定の位置領域に前記効能組成物原料２２ａと剥離保護部材２３とを、該剥離保護部材２３が表面側に位置する状態で積層して保持部材・効能組成物原料・剥離保護部材積層物を調製する積層部材積層工程．
（Ｃ）前記保持部材・効能組成物原料・剥離部材積層物を、包装用容器３の中に位置する状態で、前記包装用容器が前記保持部材・効能組成物原料・剥離部材積層物の形状に沿って変形して密着する状態になるように、前記包装用容器３の開口部を密封して、積層物収納包装品を調製する積層物包装工程．
（Ｄ）前記積層物収納包装品を構成する前記効能組成物原料２２ａを流動性のない柔軟状態の柔軟効能組成物２２に熟成させるとともに該柔軟効能組成物２２を前記保持部材２１に付着接合させて、前記柔軟効能組成物２２が前記保持部材２１に付着接合した保持部材・柔軟効能組成物・剥離保護部材積層物を調製する熟成工程、これにより、効能組成物原料２２ａが流動性のない粘着性と柔軟状態を有する柔軟効能組成物２２に熟成された構成を有する保持部材・柔軟効能組成物・剥離保護部材を備えた貼付剤２を形成すると共に、該貼付剤２が包装用容器３に収納された貼付剤収納包装品１が得られる．
【００２９】  この構成により、下記の効果が得られる。
本発明により下記の効果が得られる。
［方法効果ア：貼付剤密着収納］：
本発明の貼付剤収納包装品の製造方法により、保持部材と熟成された柔軟効能物と剥離保護部材とを積層した貼付剤を製造する工程と該貼付剤を収納用容器に収納する工程との双方の工程を経ることなく、包装用容器の中に収納された状態で熟成された柔軟効能組成物を有する貼付剤を形成できると共に該熟成された柔軟効能組成物を有する貼付剤を収納した貼付剤収納包装品を得ることが可能になり、その結果、製造工程が従来よりも著しく簡略化され、量産性が向上し、著しいコストダウンが可能となる貼付剤収納包装品を製造できる効果が得られる。
更に、柔軟効能組成物が包装用容器の中に収納された状態で熟成されるために、貼付剤が製造されてから包装用容器に収納されるまでの時間が短縮される。
更に、その結果、製造工程中における柔軟効能組成物中に含有される成分の蒸発発散又は空気との化学反応による含有成分の変質や劣化等による含有組成変化や化学的劣化が抑制されて、安定した品質を有する貼付剤が得られる。
更に、前記包装用容器が前記保持部材・効能組成物原料・剥離部材積層物の形状に沿って変形して密着する状態で、柔軟状態の柔軟効能組成物に熟成されるために、また、熟成中における効能組成物原料の形状が維持されるために、保持部材と剥離保護部材とに挟まれている効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。
更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。
【００３０】＜流動性を有する流動効能組成物原料を構成する方法について＞
本発明の貼付剤収納包装品の製造方法において、下記の工程を備える製造方法も実施可能である。
前記効能組成物原料２２ａは流動可能な流動状態を有する流動効能組成物原料２２ａであり、前記効能組成物原料２２ａは流動可能な流動状態を有する流動効能組成物原料２２ａであって、下記の構成を備える。
（Ａ）流動可能な流動状態を有する流動効能組成物原料２２ａを調製する流動効能組成物原料調製工程．
（Ｂ）保持部材２１の表面の所定の位置領域に、前記流動効能組成物原料２２ａと剥離保護部材２３とを、該剥離保護部材２３が表面側に位置する状態で積層して保持部材・効能組成物原料・剥離保護部材積層物を調製する積層部材積層工程、ここで、流動効能組成物原料２２ａは所定形状を有するとともに流動性を有する．
（Ｃ）前記保持部材・効能組成物原料・剥離部材積層物を、包装用容器３の中に位置する状態で、前記包装用容器が前記保持部材・効能組成物原料・剥離部材積層物の形状に沿って変形して密着する状態になるように、前記包装用容器３の開口部を密封して、積層物収納包装品を調製する積層物包装工程、ここで、前記流動効能組成物原料２２ａは所定形状を有するとともに流動性を維持する．
（Ｄ）前記積層物収納包装品を構成する流動効能組成物原料２２ａを流動性のない柔軟状態の柔軟効能組成物２２に熟成させるとともに該柔軟効能組成物２２を保持部材２１に付着接合させて、柔軟効能組成物２２が保持部材２１に付着接合した保持部材・柔軟効能組成物・剥離保護部材積層物を調製する熟成工程、これにより、流動効能組成物原料２２ａが流動性のない粘着性と柔軟状態を有する柔軟効能組成物２２に熟成された構成を有する保持部材・柔軟効能組成物・剥離保護部材を備えた貼付剤２を形成すると共に、該貼付剤２が前記包装用容器３に収納された貼付剤収納包装品１が得られる。
【００３１】  この構成により、下記の効果が得られる。
［方法効果イ：流動効能組成物原料］：
前述の［方法効果ア：貼付剤密着収納］が得られると共に、包装用容器が保持部材・効能組成物原料・剥離部材積層物の形状に沿って変形して密着する状態で、流動可能な流動状態を有する流動効能組成物原料が保形成を有する流動性のない柔軟状態の柔軟効能組成物に熟成されて変化されるために、また、熟成中における流動効能組成物原料の形状が維持されるために、保持部材と剥離保護部材とに挟まれている流動効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。
【００３２】  なお、図示されていないが、（Ｂ）工程により得られた保持部材・効能組成物原料・剥離保護部材積層物、又は、（Ｃ）工程により得られた積層物収納包装品を所定間隔を有する２本ロールの間に通過させて、効能組成物原料の厚さを更に正確に整えるとともに、保持部材と効能組成物原料との密着性をさらに向上する工程を備える構成も実施可能である。
【００３３】  保持部材２１としては、特に限定されないが、例えば、微細凹凸表面を有する多孔性材料から構成される材料が望ましく実施可能であり、柔軟効能組成物２２の一部が保持部材２１の微細凹凸表面の凹凸の内部に入り込む状態で付着し、これにより柔軟状態の柔軟効能組成物２２が保持部材２１から剥がれることなく接合して構成される作用効果が得られる。
このような保持部材２１としては、特に限定されないが、上記の柔軟効能組成物２２が保持部材２１に浸透して、柔軟効能組成物２２が充分に保持されるものであればよく、例えば、各種の合成繊維及び天然繊維を用いた不織布又は織布等の繊維集合体、紙等の繊維集合体を用いることができる。また、保持部材２１としては、特に、伸縮性を有する構造体が望ましく、保持部材２１に含水ゲル状柔軟効能組成物などを積層した貼付剤を人体に貼って使用するときに、貼付剤を伸縮自在に人体に貼付可能であり、貼付した後においても人体の動きに対応して貼付剤が自在に伸縮し、保持部材２１と柔軟効能組成物２２との境界分離することなく、また、貼付剤２が人体から剥がれることなく安定して使用可能となる。
【００３４】  剥離保護部材２３は、粘着性を有する柔軟効能組成物２２の表面に積層して柔軟効能組成物表面を保護し、使用時には、柔軟効能組成物２２の表面から剥離除去される。
剥離保護部材２３としては、特に限定されないが、ポリプロピレン製フィルム、ポリエチレン製フィルム、ポリエステル製フィルム、その他のプラスチック製フィルム等の、保存時に粘着性を有する柔軟効能組成物２２の表面を保護可能な程度の機械的強度を有するとともに、使用時に容易に柔軟効能組成物２２の表面から剥離可能な部材が使用出来る。
【００３５】  貼付剤の形状に沿って変形可能な程度の柔軟性を有する包装用容器としては大気中の空気の侵入を抑制又は防止可能な構成を有するもの、所望の機能を有するもの等が使用できる。その包装用容器として使用可能な材料としては、特に限定されないが、例えば、プラスチックフィルム製、金属箔製等の単層フィルム又は積層ラミネートフィルムが使用可能である。単層フィルムとしては、ポリエチレンテレフタレート（ＰＥＴ）製フィルム、ポリアミド（ナイロン）製フィルム、ポリビニルアルコール製フィルム、ポリプロピレン製フィルム、ポリエチレン製フィルム、エチレン−酢酸ビニル共重合体製フィルム、ポリアクリロニトリル製フィルム、その他の変形可能なプラスチック製フィルムなどが使用可能である。また、積層ラミネットフィルムとしては、変形可能な上記のプラスチック製フィルム、金属箔シート（例えばアルミニウム箔シート）、紙シート、クラフト紙、織布製シート、不織布製シート、金属（例えばアルミニウム）蒸着プラスチック製シート等のシート状フィルムを、２種類以上を積層した積層ラミネートフィルムが使用可能である。
また、所望機能を有する包装用容器シートとしては、空気透過を抑制できる機能、屈曲強靭性を有する機能、皺防止性を有する機能、破れにくい機能、所望の裂破り性を有する機能、文字を印刷できる機能、その他の所望の機能を有するシート材料が使用できる。
気体、空気、湿度などの透過性を著しく抑制できる材質を使用した構成も望ましく使用可能であり、例えば、アルミニウム箔等の金属箔や、金属蒸着膜有するプラスチック製フィルムを構成した積層ラミネートフィルムが特に望ましく、これにより、貼付剤収納包装品の保存中における貼付剤に含有されている水等の含有成分の蒸散が抑制されると共に、外部からの空気や腐敗菌等の侵入に起因する柔軟効能組成物の劣化や腐敗が抑制される効果が得られる。
貼付剤の形状に沿って変形可能な程度の柔軟性を有する包装用容器の厚さとしては、特に限定されなく、材質により異なり、例えば、ポリエチレンテレフタレート／ポリエチレンの２層のラミネートフィルム、ポリエチレンテレフタレート／ポリアミド／高密度度ポリエチレンの多層のラミネートフィルム、ポリエチレンテレフタレート／アルミニウム箔／ポリエチレンテレフタレート／ポリエチレンの多層のラミネートフィルム、クラフト紙／アルミニウム箔／ポリエチレンの多層のラミネートフィルム、ポリアミド／アルミニウム蒸着ポリエチレンテレフタレート／ポリエチレンの多層のラミネートフィルム、クラフト紙／ポリエチレンテレフタレート／アルミニウム箔／ポリプロピレンの多層のラミネートフィルム、アルミニウム蒸着ポリエチレンテレフタレート／アルミニウム箔／ポリエチレンの多層のラミネートフィルムであって、貼付剤の形状に沿って変形可能な程度の柔軟性を有するラミネートフィルム全体の厚さが約０．０１〜約０．３ｍｍが望ましく実施可能である。ラミネートフィルムに構成されるそれぞれのプラスチック製フィルムシートの厚さは約１０〜約１００μｍが好ましく、アルミニウム箔の厚さは約５〜約２０μｍが好ましく実施可能である。
また、包装用容器として、内層にポリエチレンやポリプロピレンを構成したラミネ−トフィルム製の包装用容器の開口部を加熱するとともに押圧して開口部を熱融着密封する構成も好ましく実施可能であり、これにより開口部の接合密封が容易に実施される。
【００３６】＜冷却した冷却非変形効能組成物原料を構成する方法について＞
本発明の貼付剤収納包装品の製造方法において、柔軟効能組成物２２としては、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有する柔軟効能組成物２２も実施可能である。
すなわち、本発明の貼付剤収納包装品の製造方法において、下記の構成を備える製造方法も実施可能である。
図２は本発明の一実施例の貼付剤収納包装品の製造方法の他の製造工程を説明する工程説明図及び概略工程模式図である。
図２において、前記柔軟効能組成物２２は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有する。
前記効能組成物原料２２ａは、前記第二冷却非変形温度に冷却された冷却非変形効能組成物原料２２ａである。
そして、下記の構成を備えることを特徴とする。
（Ａ）第一流動温度において流動可能な流動状態を有する流動効能組成物原料２２ａを調製する流動効能組成物原料調製工程、及び、前記流動効能組成物原料２２ａを非変形状態になる第二冷却非変形温度に冷却して所定形状を有する非変形状態の冷却非変形効能組成物原料２２ｂを調製する冷却所定形状形成工程．
（Ｂ）保持部材２１の表面の所定の位置領域に前記冷却非変形効能組成物原料２２ｂと剥離保護部材２３とを、前記剥離保護部材２３が表面側に位置する状態で積層して保持部材・効能組成物原料・剥離保護部材積層物を調製する積層部材積層工程、ここで、前記冷却非変形効能組成物原料２２ｂは非変形状態を維持する．
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器３の開口部を密封して、積層物収納包装品を調製する積層物包装工程、ここで、前記冷却非変形効能組成物原料２２ｂは非変形状態を維持する．
（Ｄ）前記積層物収納包装品を第三柔軟熟成温度に昇温させて、前記冷却非変形効能組成物原料２２ｂを流動性のない柔軟状態の柔軟効能組成物２２に熟成させるとともに該柔軟効能組成物２２を前記保持部材２１に付着接合させて、柔軟効能組成物２２が前記保持部材２１に付着接合した保持部材・柔軟効能組成物・剥離保護部材積層物を調製する熟成工程、これにより、効能組成物原料が流動性のない粘着性と柔軟状態を有する柔軟効能組成物２２に熟成された構成を有する保持部材・柔軟効能組成物・剥離保護部材を備えた貼付剤２を形成すると共に、該貼付剤２が前記包装用容器３に収納された貼付剤収納包装品１が得られる。
例えば、一実施例として、図２において、効能組成物原料が、（Ａ）工程において約−３℃に冷却され、（Ｂ）工程及び（Ｃ）工程においてその冷却状態を維持し、（Ｄ）工程において、約１０℃〜約３０℃の室温雰囲気、又は約３０℃〜約６０℃に昇温されて、その昇温の過程及び／又は昇温された室温において、効能組成物原料が含水ゲル状の柔軟効能組成物に熟成された構成になる方法が実施可能である。
【００３７】  この構成により、下記の効果が得られる。
［方法効果ウ：冷却非変形効能組成物原料］：
前述の［方法効果ア：貼付剤密着収納］が得られると共に、前記包装用容器が前記保持部材・効能組成物原料・剥離部材積層物の形状に沿って変形して密着する状態で、流動性のない冷却非変形効能組成物原料が流動性のない柔軟状態の柔軟効能組成物に熟成されて変化されるために、また、熟成中における効能組成物原料の形状が維持されるために、所望の形状を有する柔軟効能組成物を形成できるとともに、更に、保持部材と剥離保護部材とに挟まれている流動効能組成物原料の保持部材と剥離保護部材との間からのはみ出しが防止され、その結果、はみ出した柔軟効能組成物が包装用容器の内面に粘着することに起因する貼付剤を包装用容器から容易に取り出せないという不便が解消される。更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。更に、熟成中における含有成分の蒸発等に起因する含有成分の割合も変動することなく所望性能を有する貼付剤を安定して高精度で量産形成可能であり、その結果、良品歩留まりを著しく向上可能で、所望の品質を有する貼付剤収納包装品を安定して量産することができ、著しいコストダウンが可能となる。
【００３８】  なお、「熟成」は、「効能組成物原料から柔軟効能組成物に熟成させる」の意味であり、化学構造的に水溶性高分子などの含有成分が一次元の化学構造から架橋されて編目構造又は三次元の化学構造に変化する現象、又は、形状物性的に流動状態から流動状態のない非流動状態の柔軟状態に変化する現象、又は、冷却固体状態から昇温流動状態を得て流動状態のない非流動状態の柔軟状態に変化する現象を意味する。
例えば、「熟成」は、（Ｃ）工程により得られた積層物収納包装品は、（Ｄ）工程において約１０℃以上の温度に昇温されて、その昇温の過程又は室温雰囲気において、架橋性水溶性高分子が架橋されて、効能組成物原料が流動状態のない非流動状態の柔軟状態に熟成されて変化する現象を意味する。例えば、効能組成物原料が冷却状態から約１０℃〜３０℃の室温付近、又は約３０℃〜６０℃まで昇温されて、その昇温の過程又は昇温された温度において架橋性水溶性高分子が架橋されて、効能組成物原料が流動状態のない非流動状態の柔軟状態に熟成されて変化する構成を意味する。
前記第一流動温度における柔軟効能組成物の「流動可能な流動状態」は、柔軟効能組成物を約２００ｍｌのポリスチレン製のカップ状容器に満たした状態に入れて、そのカップを約４５度の角度に傾けた場合に、約５秒以内に柔軟効能組成物が容器から流動して変形し出すような性質を有する流動状態を意味する。
第二冷却非変形温度における柔軟効能組成物の「変形しない程度の非変形状態」は、外部から圧力を加えない静置状態でその柔軟効能組成物の形状が変形しない状態、及び／又は、先端刃先角度約３０度、高さ約５ｍｍ幅の両刃形状の押切刃型を装着した平板型切断装置を用いて、冷却非変形効能組成物を切断した時、冷却非変形効能組成物が、変形することなく切断されて、所望の形状に切断分離された非変形状態を意味する。
第三柔軟熟成温度における「流動性のない柔軟状態」は、柔軟性を有すると共に、約１ｍｍ厚で３００ｍｍ平方のポリエチレンテレフタレート製繊維を含有する屈曲柔軟性、空気湿度透過性を有する不織布製の保持部材の表面に、約３ｍｍ厚に塗布配置し、その柔軟効能組成物が配置された柔軟効能組成物を約４５度の角度に６０秒間維持した時に、柔軟効能組成物が流動することなく、変形することなく、元の形状を維持した非変形状態を維持する状態を意味する。
【００３９】＜冷却切断した切断冷却非変形効能組成物原料を構成する方法について＞
本発明の貼付剤収納包装品の製造方法において下記の構成の製造方法も実施可能である。
図３は本発明の一実施例の貼付剤収納包装品の製造方法の他の製造工程を説明する工程説明図及び概略工程模式図である。
図３において、前記柔軟効能組成物２２は、第一流動温度において流動可能な流動状態を有し、第一流動温度よりも低温の第二冷却非変形温度において切断可能であるとともに切断前後に変形しない程度の非変形状態を有し、第二冷却非変形温度を昇温した第三柔軟熟成温度において流動性のない柔軟状態を有し、前記効能組成物原料２２ａは、前記第二冷却非変形温度に冷却されるとともに該第二冷却非変形温度において切断された所定形状を有する切断冷却非変形効能組成物原料２２ｃであって、下記の構成を備える。
（Ａ）第一流動温度において流動可能な流動状態を有する流動効能組成物原料２２ａを調製する流動効能組成物原料調製工程、及び、前記流動効能組成物原料２２ａを非変形状態になる第二冷却非変形温度に冷却して非変形状態の冷却非変形効能組成物原料２２ｂを形成し、その後、該冷却非変形効能組成物原料２２ｂを所定形状に切断して切断冷却非変形効能組成物原料２２ｃを調製する所定形状形成工程．
（Ｂ）保持部材２１の表面の所定の位置領域に前記切断冷却非変形効能組成物原料２２ｃと剥離保護部材２３とを、前記剥離保護部材２３が表面側に位置する状態で積層して保持部材・効能組成物原料・剥離保護部材積層物を調製する積層部材積層工程、ここで、前記切断冷却非変形効能組成物原料２２ｃは非変形状態を維持する．
（Ｃ）前記保持部材・効能組成物原料・剥離部材積層物を、包装用容器の中に位置する状態で、前記包装用容器３が前記保持部材・効能組成物原料・剥離部材積層物の形状に沿って変形して密着する状態になるように、前記包装用容器３の開口部を密封して、積層物収納包装品を調製する積層物包装工程、ここで、前記切断冷却非変形効能組成物原料２２ｃは非変形状態を維持する．
（Ｄ）前記積層物収納包装品を第三柔軟熟成温度に昇温させて、前記切断冷却非変形効能組成物原料２２ｃを流動性のない柔軟状態の柔軟効能組成物２２に熟成させるとともに該柔軟効能組成物２２を前記保持部材に付着接合させて、柔軟効能組成物２２が前記保持部材２１に付着接合した保持部材・柔軟効能組成物・剥離保護部材積層物を調製する熟成工程、これにより、効能組成物原料が粘着性と柔軟状態を有する流動性のない柔軟効能組成物２２に熟成された構成を有する保持部材・柔軟効能組成物・剥離保護部材を備えた貼付剤２を形成すると共に、該貼付剤２が前記包装用容器３に収納された貼付剤収納包装品１が得られる。
例えば、一実施例として、図３において、効能組成物原料が、（Ａ）工程において約−３℃に冷却されて切断され、（Ｂ）工程及び（Ｃ）工程においてその冷却状態を維持し、（Ｄ）工程において、約１０℃〜約３０℃の室温雰囲気、又は約３０℃〜約６０℃に昇温されて、その昇温の過程及び／又は昇温された温度において、効能組成物原料が含水ゲル状の柔軟効能組成物に熟成された構成になる方法が実施可能である。
【００４０】  この構成により、下記の効果が得られる。
［方法効果エ：切断冷却非変形効能組成物原料］：
前述の［方法効果ア：貼付剤密着収納］及び［方法効果ウ：冷却非変形効能組成物原料］が得られると共に、該冷却非変形効能組成物原料を所定形状に切断して切断冷却非変形効能組成物原料を調製する所定形状形成工程において所望の平面形状や厚さ形状に精確に切断可能であり、且つ、包装用容器に密着されて収納されている為にその所望形状が熟成工程中にも変動しなく、所望形状を有する貼付剤収納包装品を容易に製造可能になる。また、熟成された後の粘着性を有する柔軟効能組成物を切断する場合には、一般に、粘着性に起因して容易に切断し難く、刃型の刃先に柔軟効能組成物の残渣等が付着して繰り返し切断が困難である等の課題があるが、これに対して、本発明の方法により、上記の課題を解決して、所望の形状に切断できると共に柔軟効能組成物の残渣等の付着物の量を抑制できるなど不都合なく容易に切断可能になり、その結果、保持部材に積層される柔軟効能組成物を、所望の厚さ、面積、形状、重量、積層位置などにおいて高精度で形成可能となる。また、包装用容器に収納された状態で熟成された柔軟効能組成物に変化して形成されるために、含有する組成成分割合も変動することなく安定した品質を有する貼付剤収納包装品を量産形成可能である。良品歩留まりを著しく向上可能で、所望の品質を有する貼付剤収納包装品を安定して量産することができ、コストダウンが可能となる。
【００４１】  本発明の貼付剤収納包装品の製造方法において、下記の構成を備える製造方法も実施可能である。
図４は本発明の一実施例の貼付剤収納包装品の製造方法の他の製造工程を説明する工程説明図及び概略工程模式図である。
本構成は、前述の（Ｂ）工程において、以下の構成を備える。
（Ｂ）保持部材２１の表面に所定の間隔を空けた余白部を形成する位置領域に、切断されたそれぞれの切断冷却非変形効能組成物原料２２ｃを位置するとともに、剥離保護部材２３が表面側に位置する状態でそれぞれの切断冷却非変形効能組成物原料２２ｃを覆って剥離保護部材２３を積層し、その後、前記余白部の位置でそれぞれの切断冷却非変形効能組成物原料２２ｃを間に挟んだ状態で剥離保護部材２と保持部材２１とを切断して、このようにして複数個の保持部材・効能組成物原料・剥離保護部材積層物を調製する積層部材積層工程、ここで、前記切断冷却非変形効能組成物原料２２ｃは非変形状態を維持する。  その他の工程は、前述の図３における説明と同じである。
この構成により、前述の［方法効果エ：切断冷却非変形効能組成物原料］と同じ効果が得られる。
【００４２】  本発明の貼付剤収納包装品の製造方法において、下記の構成を備える製造方法も実施可能である。
図５は本発明の一実施例の貼付剤収納包装品の製造方法の他の製造工程を説明する工程説明図及び概略工程模式図である。
本構成は、前述の（Ａ）及び（Ｂ）工程において、以下の構成を備える。
（ＡＢ）第一流動温度において流動可能な流動状態を有する流動効能組成物原料を調製する流動効能組成物原料調製工程、及び、前記流動効能組成物原料を非変形状態になる第二冷却非変形温度に冷却して非変形状態の冷却非変形効能組成物原料を形成し、保持部材の表面の所定の位置領域に前記切断冷却非変形効能組成物原料と剥離保護部材とを前記剥離保護部材が表面側に位置する状態で積層して保持部材・効能組成物原料・剥離保護部材積層物を調製する積層部材積層工程、その後、保持部材・効能組成物原料・剥離保護部材積層物を所定形状に切断して複数個の保持部材・効能組成物原料・剥離保護部材積層物を調製する、このようにして複数個の保持部材・効能組成物原料・剥離保護部材積層物を調製する。ここで、前記切断冷却非変形効能組成物原料は非変形状態を維持する。
その他の工程は、前述の図３における説明と同じである。
例えば、図５に示されるように、（Ｄ）工程において、約１０℃以上の室温、又は室温以上の温度に昇温されて、効能組成物原料が流動性のない粘着性と柔軟性を有する含水ゲル状の柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる。
この構成により、前述の［方法効果エ：切断冷却非変形効能組成物原料］の効果が得られる。
【００４３】  冷却非変形効能組成物２２ｂを所定形状に切断する切断方法としては、特に限定されないが、例えば、図３、図４に示されるように、所定の厚さを有する薄板シート状冷却非変形効能組成物２２ｂを所望の平面形状に切断する方法、及び／又は、塊状の冷却非変形効能組成物２２ｂを所望の厚さ形状に切断する方法が実施可能である。また、切断装置としては、平板型押圧切断装置、平板型押圧切抜装置、ロール型押圧切断装置又はロール型押圧切抜装置を使用して、所定形状に切断することができる。
切断形状としては、特に限定されないが、例えば、薄板シート状冷却非変形効能組成物２２ｂが、任意の所望の形状に切断されて、熟成された柔軟効能組成物２２が得られる。
薄板シート状冷却非変形効能組成物を所望の形状に切断する工程、熟成工程を得て形成される柔軟効能組成物２２の一実施例が図１０に示される。図１０は、本発明の一実施例の貼付剤収納包装品に収納されている貼付剤に構成される柔軟効能組成物２２の形状を示す概略平面模式図である。平面図において、図１０の（Ａ）は略長方形であり、（Ｂ）は略ハート形であり、（Ｃ）及び（Ｄ）は所定の領域が除去された形状を有する一部除去形状を有する。
切断工程において、塊状の冷却非変形効能組成物２２ｂを複数個に切断して、複数個の切断冷却非変形効能組成物２２ｃを形成することもできる。
【００４４】＜水溶性高分子を含有する構成について＞
本発明の貼付剤収納包装品の製造方法において、下記の構成を有する製造方法が実施可能である。
前記柔軟効能組成物は、少なくとも、水と、水溶性高分子とを含有する含水ゲル状の柔軟効能組成物であり、前記柔軟効能組成物は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる保形成と粘着性と柔軟状態をするゲル状の柔軟状態を有する性質を有する、ことを特徴とする。
【００４５】  この構成により、下記の効果が得られる。
［方法効果サ：水溶性高分子・含水ゲル状柔軟効能組成物］：
柔軟効能組成物２２は、少なくとも水と水溶性高分子を含有し、第一流動温度において流動可能な流動状態を有し、前記第一流動温度よりも低温の第二冷却非変形温度において変形しない程度の非変形状態を有し、前記第二冷却非変形温度を昇温した第三柔軟熟成温度において流動性のない柔軟状態を有するとともに粘着性を有する含水ゲル状柔軟効能組成物２２である構成により、前述の［方法効果ア：貼付剤密着収納］が得られると共に、更に、含水ゲル状の柔軟効能組成物２２はそのゲル成分を自由に設計可能であり、貼付剤２を人体に貼付した時に、水に起因する快適な冷感が得られると共に、含水ゲル状の柔軟効能組成物２２は人体皮膚に無害であり、皮膚に優しい貼付剤が得られる。
更に、保持部材２１と剥離保護部材２３との間に構成されている含水ゲル状柔軟効能組成物２２が保持部材２１と剥離保護部材２３の間の端部からはみ出す現象が著しく抑制され貼付剤が得られるようになり、その結果、はみ出した含水ゲル状柔軟効能組成物が包装用容器の内面に粘着することに起因する貼付剤を包装用容器から容易に取り出せないという不便も解消される。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
更に、熟成中における含有成分である水の蒸発等に起因する含有成分の割合も変動することなく所望性能を有する貼付剤２を安定して高精度で量産形成可能であり、その結果、良品歩留まりを著しく向上可能で、所望の品質を有する貼付剤収納包装品を安定して量産することができ、著しいコストダウンが可能となる貼付剤収納包装品１が得られる。
含水ゲル状柔軟効能組成物としては、架橋された含水ゲル状柔軟効能組成物が望ましく実施される。
【００４６】  本発明の貼付剤収納包装品の製造方法において、下記の構成を有する製造方法が実施可能である。
前記柔軟効能組成物２２は、少なくとも、水と、架橋性水溶性高分子と、前記水溶性高分子を化学式構造において３次元化学構造に架橋するための架橋剤、とを含有する含水ゲル状の柔軟効能組成物であり、前記（Ａ）工程、前記（Ｂ）工程、前記（Ｃ）工程における効能組成物原料に含有される水溶性高分子は架橋されない状態で存在し、前記（Ｄ）工程における熟成工程において、水溶性高分子と架橋剤との化学反応により前記水溶性高分子が架橋されて３次元網目化学的構造を生成し、これにより、流動性のないゲル状柔軟状態を有する含水ゲル状の柔軟効能組成物に熟成される、ことを特徴とする。
【００４７】  前記架橋性水溶性高分子としては、特に限定されないが、例えば、ポリアクリル酸、ポリアクリル酸中和物、ポリアクリル酸部分中和物、アクリル酸メタクリル酸共重合体、カルボキシアルキルセルロース、ヒドロキシアルキルセルロース、カルボキシビニルポリマ−、及び、これらの塩類からなる群から選ばれる少なくとも一つの架橋性水溶性高分子であり、前記（Ｄ）工程において、前記架橋性水溶性高分子が前記架橋剤との化学反応により架橋されて、これにより、効能組成物原料が流動性のない柔軟状態を有する含水ゲル状の柔軟効能組成物に熟成された構成を有する保持部材・柔軟効能組成物を備えた貼付剤を形成すると共に、該貼付剤が前記包装用容器に収納された貼付剤収納包装品が得られる。  これらの架橋性水溶性高分子は化学構造式において架橋反応可能な官能基を有し、水溶液中において化学構造的に三次元構造に架橋される。
塩類としては、ナトリウム、カリウム、又はリチウムなどの金属塩などが望ましく、また、カルシウム、亜鉛、又はマグネシウムなどの金属塩も使用可能である。アルキルセルロースのアルキル基としてはメチル基、エチル基、又はプロピル基を有する化合物が使用できる。カルボキシビニルポリマ−としては架橋性を有するカルボキシビニルポリマ−が実施可能である。
【００４８】  これらの架橋性水溶性高分子は、２価の金属イオン化合物や３価の金属イオン化合物などの架橋剤を混合することにより、化学構造式において網目構造及び又は三次元構造に架橋されて、流動性のない柔軟軟質状態で、保形性と保水性を有すると共に粘着性を有するゲル状態に熟成されて変化される。
架橋剤としては、特に限定されないが、例えば、塩化アルミニウム、塩化カルシウム、ミョウバン、カリミョウバン、鉄ミョウバン、水酸化カルシウム、塩化マグネシウム、硫酸第二鉄、アンミニウムミョウバン、グリシンアルミニウム、アルミニウムグリシネート、硫酸アルミニウム、硫酸アルミニウムカリウム、硫酸アルミニウムアンモニウム、ジヒドロキシアルミニウムアミノアセテート、水酸化アルミニウム、ケイ酸アルミニウム、リン酸アルミニウム、ステアリン酸アルミニウム、乳酸アルミニウム、酢酸アルミニウム、クエン酸鉄、酸化マグネシウム、酸化カルシウム、水酸化アルミニウムマグネシウム、メタケイ酸アルミン酸マグネシウムなどがあげられ、単独あるいは２種以上を組み合わせて使用できる。
水と水溶性高分子と架橋剤とを含有する流動性柔軟効能組成物は、常温状態、又は、昇温状態において、流動性を有する流動性柔軟効能組成物から、水溶性高分子が化学構造的に編目構造又は三次元構造に架橋されて流動性のない保形性を有する柔軟状態の柔軟効能組成物の形態に熟成されて変化される。
架橋剤の種類を選択して含有することにより、所望の温度又は速度で水溶性高分子を架橋させることが可能である。例えば、貼付剤収納包装品の製造方法における（Ｄ）工程において、架橋性水溶性高分子を含有する効能組成物原料を約１０℃〜約３０℃の室温付近の温度領域で、水溶性高分子を化学構造式において網目構造及び／又は三次元構造に架橋して、流動性のない柔軟軟質状態で保形性と保水性を有すると共に粘着性を有するゲル状態に熟成して変化することが可能である。また、約１０℃以下においては著しく架橋速度が遅く、約３０℃〜６０℃の温度領域では架橋が促進されて短時間で製造する製造方法も実施可能である。
【００４９】  上記の含水ゲル状の柔軟効能組成物において、水、架橋性水溶性高分子、架橋剤の含有割合は、特に限定されないが、例えば、柔軟効能組成物の全量に対して、水の含有量が約１０重量％〜約９８重量％（望ましくは、約３０重量％〜約９５重量％）、架橋性水溶性高分子の含有量が約０．５重量％〜約２０重量％（望ましくは、約１重量％〜約１０重量％）、架橋剤の含有量が約０．００１重量％〜約１重量％（望ましくは、約０．００２重量％〜約０．５重量％）の組成物が実施可能である。
水の含有量が約１０重量％未満の場合、又は、架橋性水溶性高分子の含有量が約２０重量％を超える場合には、架橋性水溶性高分子を完全に溶解できない状態が生じて所望の物性を有する柔軟効能組成物が得られない傾向がある。
水の含有量が約９８重量％を超える場合、又は、架橋性水溶性高分子の含有量が約０．５重量％未満の場合には、所望の柔軟性、保形成、粘着性を奏する含水ゲル状の柔軟効能組成物が得られない傾向がある。
架橋剤の含有量が約０．００１重量％の場合には、架橋反応が不充分であり、所望の柔軟性、保形成、粘着性を奏する含水ゲル状の柔軟効能組成物が得られない傾向がある。架橋剤の含有量が約１重量％を超える場合には、効能組成物原料の混合調製中に急激な架橋反応が生じて、流動性を有する効能組成物原料が得られなく、また、保持部材に効能組成物原料を所望に積層できない傾向がある。
【００５０】  上記の１種又は２種以上の架橋性水溶性高分子に加えて、更に、架橋性のない非架橋性水溶性高分子と併用する構成も実施可能である。
効能組成物原料として、架橋性水溶性高分子を含有すると共に、ポリビニルアルコール、ポリビニルピロリドン、ポリエチレンオキサイド、でん粉アクリル酸共重合体、アルキルセルロース、グラフト澱粉、アルギン酸、ゼラチン、カラギーナン、寒天、ゼラチン、ペクチン、ローカストビーンガム、キサンタンガム、アラビアガム、トラガントガム、ジェランガム、アーネストガム、アガロース、デキストリン、グルコマンナン、ポリグルタミン酸、及び、これらの塩等の合成水溶性高分子及び／又は天然水溶性高分子の１種以上の非架橋性水溶性高分子を含有する構成も実施可能である。
架橋性水溶性高分子、架橋剤、非架橋性水溶性高分子、その他の添加物等の種類、及び、これらの水溶性高分子の分子量・重合度等を適宜選択することにより、所望の粘着性、柔軟性、保形成を有する柔軟効能組成物を所望に設計して調製できる。
【００５１】  上記の架橋性水溶性高分子を含有する構成により、前述の［方法効果ア］を有すると共に下記［方法効果サ‐ａ］、［方法効果サ‐ｂ］の効果が得られる。
［方法効果サ‐ａ：架橋性水溶性高分子・含水ゲル状柔軟効能組成物・室温熟成］：
本構成において、前述の［方法効果サ］が得られると共に、架橋性水溶性高分子と架橋剤との双方の種類を所望に設計して含有せしめることにより、所望の温度で架橋されて熟成された含水ゲル状柔軟効能組成物を得ることが可能である。例えば、約３０℃を超える温度に昇温する工程を有することなく、約３０℃以下の温度で架橋された含水ゲル状柔軟効能組成物を得ることが可能である。すなわち、（Ａ）工程において「室温の約１０℃〜約３０℃の雰囲気で、流動可能な流動状態を有する流動効能組成物原料を調製する流動効能組成物原料調製工程」を有すると共に、（Ｄ）工程において「室温の約１０℃〜約３０℃の雰囲気中で、前記積層物収納包装品を構成する前記効能組成物原料を流動性のない柔軟状態の柔軟効能組成物に熟成させて変化させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより効能組成物原料が流動性のない柔軟状態を有する柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる」を有する構成が実施可能である。換言すれば、（Ａ）工程、（Ｄ）工程のいずれの工程においても、室温の約１０℃〜約３０℃の雰囲気で製造する構成が実施可能である。
また、この構成により、昇温による水の蒸散が抑制されて含有組成の変動が防止されると共に、昇温に起因する含有成分の熱劣化が抑制される効果が得られる。
更に、含水ゲル組成物はそのゲル成分や薬効成分を自由に設計可能であり、貼付剤を人体に貼付した時に、含水成分に起因する適度の冷感と共に、薬効成分に起因する薬効を奏する貼付剤が得られ、また、皮膚炎症を最小限に抑制可能で皮膚に優しい貼付剤が得られる。
更に、包装用容器の中に収納された状態で効能組成物原料が架橋されて３次元網目化学的構造を生成し、流動性のないゲル状柔軟状態を有する熟成された含水ゲル状柔軟効能組成物を得ることができるために、熟成中における水分などの蒸発に起因する効能組成物の含有組成変化が著しく抑制されて、所望の粘着性や柔軟性を有する貼付剤を安定して製造可能になる。
更に、架橋剤の種類を選択することにより、常温付近で架橋することが可能になるため、包装用容器の中に収納された状態で効能組成物原料を架橋して架橋された柔軟効能組成物を製造でき、架橋された貼付剤を包装容器の中に収納する場合と比べて、製造時間を著しく短縮可能になる。
更に、加熱昇温の為に必要な電力費用も低減されて安価に製造できる効果が得られる。
また、所望の種類の架橋剤を選択して含有することにより、約３０℃以下においては著しく架橋速度が遅く約３０℃〜６０℃の温度領域で架橋が促進されて短時間で製造する製造方法も実施可能である。この方法により、流動効能組成物原料の流動性を有する時間が永いために、（Ａ）工程の流動効能組成物原料を調製してから（Ｃ）工程の積層物包装工程までの時間を所望に設計できる製造方法が得られる。
【００５２】［方法効果サ‐ｂ：架橋性水溶性高分子・含水ゲル状柔軟効能組成物・はみ出し抑制］：
上記の架橋性水溶性高分子を含有する含水ゲル状柔軟効能組成物が構成される製造方法により、前述の［方法効果サ］が得られると共に、更に、保持部材２１と剥離保護部材２３との間に構成されている含水ゲル状柔軟効能組成物２２が保持部材２１と剥離保護部材２３の間の端部からはみ出す現象が著しく抑制され貼付剤が得られるようになり、その結果、はみ出した柔軟効能組成物２２が包装用容器３の内面に粘着することに起因する貼付剤２を包装用容器３から容易に取り出せないという不便も解消され、更に、貼付剤２を人体皮膚に貼付する場合に、はみ出した含水ゲル状柔軟効能組成物２２が保持部材２１に支持されていないために生じる貼付剤２の表面が粘着性を奏することによる使用者の不快感も著しく抑制された貼付剤収納包装品１を製造できる効果が得られる。
【００５３】  特に、水と架橋性水溶性高分子と架橋剤とを含有する含水ゲル状柔軟効能組成物を含有する構成において、第一流動温度が常温の約１０℃〜約３０℃の範囲であり、第二冷却非変形温度が約５℃未満の温度領域であり、第三柔軟熟成温度が常温の約１０℃〜約３０℃の範囲である、構成が実施可能である。本構成において、架橋性水溶性高分子と架橋剤との双方の種類を所望に設計して含有せしめることにより、約３０℃を超える温度に昇温する工程を有することなく、約３０℃以下の温度で架橋された含水ゲル状柔軟効能組成物を得ることが可能である。
すなわち、（Ａ）工程において「室温の約１０℃〜約３０℃の雰囲気で、流動可能な流動状態を有する流動効能組成物原料を調製する流動効能組成物原料調製工程」を有すると共に、（Ｄ）工程において「室温の約１０℃〜約３０℃の雰囲気中で、前記積層物収納包装品を構成する前記効能組成物原料を流動性のない柔軟状態の柔軟効能組成物に熟成させて変化させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより効能組成物原料が流動性のない柔軟状態を有する柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる」を有する構成が実施可能である。
換言すれば、（Ａ）工程、（Ｄ）工程のいずれの工程においても、室温の約１０℃〜約３０℃の雰囲気で製造する構成が実施可能である。
この構成により、昇温による水の蒸散が抑制されて含有組成の変動が防止されると共に、昇温に起因する含有成分の熱劣化が抑制される効果が得られる。更に、加熱昇温の為に必要な電力費用も低減されて安価に製造できる効果が得られる。
【００５４】＜水溶性高分子を含有し架橋剤を含有しない柔軟効能組成物を備えた構成について＞
柔軟効能組成物として、架橋性水溶性高分子及び／又は非架橋性水溶性高分子を含有し、架橋剤を含有しない柔軟効能組成物を備えた構成も実施可能である。
水溶性高分子としては、前述の架橋性高分子、及び／又は非架橋性水溶性高分子が使用可能である。
【００５５】  架橋性水溶性高分子及び／又は非架橋性水溶性高分子を含有し、架橋剤を含有しない流動効能組成物原料１ａは、例えば、第一流動温度としての約１０℃〜約７０℃（望ましくは約１５℃〜約６０℃）において、流動可能な流動状態であり、第二冷却非変形温度としての低温の約５℃以下の低温領域（望ましくは約−２０℃〜約３℃）において、非流動性になるとともに切断可能であって切断時に変形しない程度の非変形状態になり、非変形状態から第三柔軟熟成温度としての約１０℃〜約５０℃（望ましくは約１５℃〜約４０℃）に処理する過程において化学構造的に架橋されて流動性のない含水ゲル状柔軟効能組成物になる性質を有するものが実施可能である。
このような、第一流動温度、第二冷却非変形温度、第三柔軟熟成温度は、用いる流動効能組成物原料の種類により異なる。
【００５６】  第一流動温度が、約１０℃以下になるに従って、流動性が減少して、原材料の混合などの作業性が劣り、生産性に劣る傾向にあり、また、約７０℃を超える場合には、含有成分が熱により劣化したり、又は、含有水分が蒸発する等の不都合が生じる傾向がある。
第二冷却非変形温度が約５℃を超える温度領域においては、その温度が上がるに従って、流動性が徐々に増して、切断作業時に、効能組成物原料が再癒着して精度良く切断できなくなる傾向があり、また、切断に使用する刃型に効能組成物原料が付着して量産性に劣る傾向がある。第二冷却非変形温度が約−２０℃以下の場合には、容易に切断可能であるが、しかしながら、約−２０℃以下の温度に設定するための電力費用が高価になり、製造コストが上がる傾向がある。
第三柔軟熟成温度として、約１０℃以下の場合には、柔軟効能組成物がやや硬くなり、人体に貼付した時に違和感を与える傾向があり、また、約５０℃を超える場合には、柔軟効能組成物が柔らかくなりすぎて、使用時に違和感を与える傾向がある。
【００５７】［方法効果サ‐ｃ：水溶性高分子・架橋剤なし・含水ゲル状柔軟効能組成物］：
柔軟効能組成物として、架橋性水溶性高分子及び／又は非架橋性水溶性高分子を含有し、架橋剤を含有しない柔軟効能組成物を備えた構成により、
前述の［構成効果ア：貼付剤密着収納］が得られると共に、更に、含水ゲル状の柔軟効能組成物２２はそのゲル成分を自由に設計可能であり、貼付剤２を人体に貼付した時に、水に起因する快適な冷感が得られると共に、含水ゲル状の柔軟効能組成物２２は人体皮膚に無害であり、皮膚に優しい貼付剤が得られる。
更に、保持部材２１と剥離保護部材２３との間に構成されている含水ゲル状柔軟効能組成物２２が保持部材２１と剥離保護部材２３の間の端部からはみ出す現象が著しく抑制され貼付剤が得られるようになり、その結果、はみ出した含水ゲル状柔軟効能組成物が包装用容器の内面に粘着することに起因する貼付剤を包装用容器から容易に取り出せないという不便も解消される。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
更に、熟成中における含有成分である水の蒸発等に起因する含有成分の割合も変動することなく所望性能を有する貼付剤２を安定して高精度で量産形成可能であり、その結果、良品歩留まりを著しく向上可能で、所望の品質を有する貼付剤収納包装品を安定して量産することができ、著しいコストダウンが可能となる貼付剤収納包装品１が得られる。
含水ゲル状柔軟効能組成物としては、架橋された含水ゲル状柔軟効能組成物が望ましく実施される。
【００５８】＜薬効成分、ｐＨ調節剤、防腐剤、その他の添加剤を含有する柔軟効能組成物について＞
柔軟効能組成物２２としては、さらに、経皮吸収性を有する薬効成分を含有し、人体の皮膚に貼付したとき、薬効成分が発揮する薬効を奏する柔軟効能組成物が使用できる。
薬効成分としては、特に限定されないが、例えば、インドメタシン、ロキソプロフェン、ロキソプロフェンナトリウム、ケトプロフェン、ジクロフェナック、ジクロフェナックナトリウム、ピロキシカム、スプロフェン、イブプロフェン、ケトロラク、リドカイン、フルルビプロフェン、テルビナフィン、カプサイシン、オオバクエキス、メフェナム酸、グリチルリチン酸ジカリウム、メントール、カンフル、ヒアルロン酸類、サルチル酸エステル、アルブチン、酢酸トコフェロール、アラントイン、ビタミン類、アズレン類、アクリノール、オオバクエキス、その他の植物エキス、アルブチン、酢酸トコフェロール、ビタミンＣ類、水溶性アズレン、ポリフェノール、エコンザイム、プラセンタエキス、等の鎮痛剤、消炎剤、栄養剤、精神安定剤、温熱剤、冷感剤、保湿剤、美白剤、皮膚しみそばかす消滅剤、その他の経皮吸収性薬剤などが使用出来る。
【００５９】  上記の薬効成分を含有する構成により次の効果が得られる。
［方法効果セ：薬効成分含有柔軟効能組成物］：
柔軟効能組成物２２としては、さらに、経皮吸収性を有する薬効成分を含有する構成により、その含有する薬効成分に対応する薬効を奏する貼付剤収納包装品が得られる。
【００６０】含水ゲル状柔軟効能組成物に、これらの薬効成分に加えて、外用医薬品または化粧品に使用される防腐剤、殺菌剤、アロマオイル、芳香剤、香料、着色剤、抗酸化剤、酸化防止剤、皮膚吸収促進剤、紫外線吸収剤、無機充填材、多価アルコール類、シリコーン油類、界面活性剤、粘性調整剤、微粉末、その他の所望の添加剤も添加含有可能である。
含水ゲル状柔軟効能組成物からこれらの成分が身体の貼付部位に徐々に伝わり、保冷・保湿効果と共に、これらの含有成分に起因する効果も得られるようになる。
【００６１】  上記のアロマオイル、芳香剤としては、特に限定されないが、例えば、一般にアロマテラピーに用いられる精油成分（精油類）をそのまま用いることができる。精油成分としては、例えばワンダー・セラー著「アロマテラピーのための８４の精油成分」、フレグランスジャーナル社に記載されているものが挙げられる。具体的には、アニス、カモミール、キャロットシード、グレープフルーツ、セージ、ゼラニウム、セロリ、タイム、タラゴン、テレピン、乳香、バイオレット、パイン、パセリ、レモン、レモングラス、ローズマリー、ローレル、ヤグルマギク、アーモンド、ショウノウ、スモモ、タンポポ、チモ、ノイバラ、ハッカ、モモ、ユーカリ、ヨクイニン、ラベンダ、レンギョウ等からの抽出物を挙げることができるが、別段これらに限定されない。
【００６２】  さらに、含水ゲル状柔軟効能組成物において、揮散による状発熱により冷却・保冷効果を高める低級アルコールや，メントール，ハッカ油等の冷感剤、カプサイシン、トウガラシエキス等の温熱剤を添加含有する組成物も実施可能である。なお、上記の含水ゲル状柔軟効能組成物においては、クエン酸、酒石酸、水酸化ナトリウム、乳酸等のｐＨ調節剤を添加含有して、ｐＨを４〜１０の範囲、より好ましくは、ｐＨ６〜８の範囲に調整することが望ましい。
【００６３】  含水ゲル状柔軟効能組成物の所望の粘着性や柔軟性を得るために粘着付与剤、軟化剤、可塑剤等を含有した構成も実施できる。粘着付与剤としては、特に限定されないが、例えば、ロジン、水添ロジン、ロジンエステル、水添ロジンエステル、ポリテルペン、フェノール樹脂、キシレン樹脂、その他脂肪族系樹脂、石油系樹脂、脂環式炭化水素樹脂等が使用できる。
軟化剤、可塑剤としては、ポリブテン、ポリイソブチレン、シリコーン、ワセリン、固形パラフィン、流動パラフィン、リモネン、ピネン、アーモンド油、オリーブ油、ツバキ油、パーシック油、ハッカ油、ゴマ油、ダイズ油、綿実油、トウモロコシ油、卵黄油、紅花油等が使用できる。
【００６４】  皮膚吸収促進剤としては、ラノリン、流動パラフィン、ミツロウ、メントール、リモネン、ピネン、ピペリトン、テルピノール、カルベオール、ホホバ油、アーモンド油、オリーブ油、ツバキ油、パーシック油、ハッカ油、ゴマ油、ダイズ油、ミンク油、綿実油、トウモロコシ油、等が使用できる。
多価アルコール類としては、グリセリン、プロピレングリコール、ブチレングリコール、ジプロピレングリコール、オクタンジオール、ポリエチレングリコール、ソルビトール、等が使用できる。
シリコーン油としては、メチルシロキサン、メチルフェニルポリシロキサン、ドデカメチルポリシロキサン等が使用できる。
【００６５】＜含水ゲル状柔軟効能組成物：冷却した冷却非変形効能組成物原料を備える構成について＞
特に、水と架橋性水溶性高分子と架橋剤を含有する含水ゲル状柔軟効能組成物を含有する構成において、流動性を有する含水ゲル組成物原料２２ａを、冷却して、流動性のない非流動形態又は非変形状態の冷却非変形効能組成物原料２２ｂに調製した状態で、保持部材に積層する積層部材積層工程を備えた構成が実施可能であり、この構成により次の効果が得られる。
［方法効果シ：架橋性水溶性高分子・含水ゲル状柔軟効能組成物・冷却］：
上記の［方法効果ア］、［方法効果サ‐ａ］、［方法効果サ‐ｂ］が得られると共に、特に、前述の［方法効果ウ：冷却非変形効能組成物原料］が著しく発揮される。
【００６６】＜含水ゲル状柔軟効能組成物：冷却し切断した切断冷却非変形効能組成物原料を備える構成について＞
特に、水と架橋性水溶性高分子を含有する含水ゲル状柔軟効能組成物を含有する構成において、流動性を有する含水ゲル組成物原料２２ａを、冷却して、流動性のない非流動形態又は非変形状態の冷却非変形効能組成物原料２２ｂに調製した状態で、切断して切断冷却非変形効能組成物原料２２ｃを調製する所定形状形成工程を備えた構成が実施可能であり、この構成により次の効果が得られる。
［方法効果ス：水溶性高分子・含水ゲル状柔軟効能組成物・冷却・切断］：
流動性を有する含水ゲル組成物原料２２ａを、冷却して、流動性のない非流動形態又は非変形状態の冷却非変形効能組成物原料２２ｂに調製した状態で、切断して切断冷却非変形効能組成物原料２２ｃを調製する所定形状形成工程を備えた構成により、（方法効果サ：水溶性高分子・含水ゲル状柔軟効能組成物）が得られると共に、精度良く切断して所定形状の切断冷却非変形効能組成物原料を得ることができる。
更に、前述の［方法効果ア：貼付剤密着収納］及び［方法効果ウ：冷却非変形効能組成物原料］が得られると共に、該冷却非変形効能組成物原料２２ｂを所定形状に切断して切断冷却非変形効能組成物原料２２ｃを調製する所定形状形成工程を備える場合には、所望の平面形状や厚さ形状に精確に切断可能であり、且つ、包装用容器に密着されて収納されている為にその所望形状が熟成工程中にも変動しなく、所望形状を有する貼付剤を容易に製造可能になる。
また、熟成された後の粘着性を有する含水ゲル状柔軟効能組成物２２を切断する場合には、一般に、粘着性に起因して容易に切断し難く、刃型の刃先に含水ゲル状柔軟効能組成物２２の残渣等が付着して繰り返し切断が困難である等の課題があるが、これに対して、本発明の方法により、上記の課題を解決して、所望の形状に切断できると共に含水ゲル状柔軟効能組成物２２の残渣等の付着物の量を抑制できるなど不都合なく容易に切断可能になり、その結果、保持部材に積層される含水ゲル状柔軟効能組成物２２を、所望の厚さ、面積、形状、重量、積層位置などにおいて高精度で形成可能となる。また、密閉された包装用容器に収納された状態で熟成された含水ゲル状柔軟効能組成物２２が得られる為に、含有する組成成分割合も変動することなく、含有成分割合の変動のない安定した品質を有する貼付剤収納包装品を得ることができ、良品歩留まりを著しく向上可能で、所望の品質を有する貼付剤を安定して量産することができ、著しいコストダウンが可能となる。
更に、切断時に使用される刃型に、含水ゲル組成物が付着するという欠点が抑制され、量産時の不良発生が抑制されて、生産性が著しく向上する。
【００６７】＜複数の効能柔軟組成物を保持部材の平面領域に積層する貼付剤収納包装品の製造方法について＞
本発明の貼付剤収納包装品の製造方法において、下記の構成を備える製造方法も実施可能である。
前記柔軟効能組成物２２は、互いに異なる組成成分を含有する複数種類の柔軟効能組成物２２を備え、前記効能組成物原料２２ａは流動可能な流動状態を有する複数種類の流動効能組成物原料２２ａを備え、下記の構成を備える。
（Ａ）流動可能な流動状態を有する複数種類の流動効能組成物原料２２ａを調製する流動効能組成物原料調製工程、ここで、前記複数種類の流動効能組成物原料２２ａのそれぞれの流動効能組成物原料２２ａは互いに異なる組成成分を含有する．
（Ｂ）保持部材２１の表面の所定の位置領域に、それぞれの流動効能組成物原料２２ａと剥離保護部材２３とを、前記剥離保護部材２３が表面側に位置する状態で積層して保持部材・効能組成物原料・剥離保護部材積層物を調製する積層部材積層工程、ここで、前記それぞれの流動効能組成物原料２２ａは所定形状を有するとともに流動性を有し、（ｉ）それぞれの流動効能組成物原料２２ａは保持部材２１の平面領域に互いに隣り合う位置に積層される、又は、（ｉｉ）それぞれの流動効能組成物原料２２ａは保持部材２１の積層方向に互いに重なり合う位置に積層される．
（Ｃ）前記保持部材・効能組成物原料・剥離部材積層物を、包装用容器３の中に位置する状態で、前記包装用容器３が前記保持部材・効能組成物原料・剥離部材積層物の形状に沿って変形して密着する状態になるように、前記包装用容器３の開口部を密封して、積層物収納包装品を調製する積層物包装工程、ここで、前記それぞれの流動効能組成物原料２２ａは所定形状を有するとともに流動性を維持する．
（Ｄ）前記積層物収納包装品を構成するそれぞれの流動効能組成物原料２２ａを前記保持部材２１に接合させると共に前記それぞれの流動効能組成物原料２２ａを互いに接合させて、流動性のない柔軟状態のそれぞれの柔軟効能組成物２２に熟成させるとともに該柔軟効能組成物を前記保持部材に付着接合させて、柔軟効能組成物２２が前記保持部材２１に付着接合した保持部材・柔軟効能組成物・剥離保護部材積層物を調製する熟成工程、これにより、それぞれの流動効能組成物原料２２ａが流動性のない柔軟状態を有するそれぞれの柔軟効能組成物２２に熟成された構成を有する保持部材・柔軟効能組成物・剥離保護部材を備えた貼付剤を形成すると共に、該貼付剤２が前記包装用容器３に収納された貼付剤収納包装品１が得られる。
【００６８】  この構成により下記の効果が得られる。
［方法効果カ：複数種類の流動効能組成物原料］：
前述の［方法効果ア：貼付剤密着収納］が得られると共に、包装用容器が前記保持部材・効能組成物原料・剥離部材積層物の形状に沿って変形して密着する状態で複数種類の流動効能組成物原料２１ａが複数種類の効能組成物２２に変化して熟成されるために、組成成分の異なる複数種類の柔軟効能組成物を、所望の厚さ、面積、形状、重量、積層位置などにおいて複数種類の柔軟効能組成物を高精度で形成可能となり、また、含有する組成成分割合も変動することなく安定して量産形成可能になる。例えば、他の含有成分との相溶性や溶解性の異なる複数種類の効能成分を含有する貼付剤の製造において、それぞれの効能成分に最適な複数種類の効能組成物原料２２ａを調製して、それらの複数種類の効能組成物原料２２ａを平面領域及び／又は積層方向に配置して、所望の貼付剤２を容易に製造できる。
更に、包装用容器３が前記保持部材・効能組成物原料・剥離部材積層物の形状に沿って変形して密着する状態で、複数種類の流動可能な流動状態を有する流動効能組成物原料２２ａが流動性のない柔軟状態の柔軟効能組成物２２に熟成されて変化されるために、また、熟成中における複数種類の流動効能組成物原料２２ａの形状が維持されるために、保持部材２１と剥離保護部材２３とに挟まれている複数種類の流動効能組成物原料２２ａの保持部材２１と剥離保護部材２３との間からのはみ出しが防止される。その結果、はみ出した柔軟効能組成物２２が包装用容器３の内面に粘着することによる貼付剤２を包装用容器３から容易に取り出せないという不便が解消される。更に、貼付剤２を人体皮膚に貼付する場合に、はみ出した柔軟効能組成物２２が保持部材２１に支持されていなく貼付剤２の表面が粘着性を有することに起因していた使用者の不快感が解消され、快適に使用できる。
【００６９】  特に、複数種類の柔軟効能組成物が一つの保持部材の表面領域において互いに隣り合う位置に設置された構成においては下記の効果が得られる。
［方法効果カ−ａ：複数種類の流動効能組成物原料・平面］：
上記の［方法効果カ：複数種類の流動効能組成物原料］に加えて、さらに、一つの保持部材の表面領域において互いに隣り合う位置に設置された異なる組成成分を有する柔軟効能組成物の領域を有する貼付剤を容易に形成することが可能となり、その結果、所望の品質を有する貼付剤を安定して量産することができる。例えば、冷却効能を奏する柔軟効能組成物領域、鎮痛効能を奏する柔軟効能組成領域、強い粘着性を発揮する柔軟効能組成領域などを、保持部材の表面領域の横方向に、互いに交互に形成することにより、所望の効能を発揮するとともに優れた粘着性能を有する貼付剤包装品を得ることができる。
【００７０】  また、特に、複数種類の柔軟効能組成物が一つの保持部材の表面領域において積層方向に重なり合う位置に設置された構成においては下記の効果が得られる。
［方法効果カ−ｂ：複数種類の流動効能組成物原料・積層］：
上記の［方法効果カ：複数種類の流動効能組成物原料］に加えて、さらに、一つの貼付剤の表面において積層方向に互いに重なり合って異なる組成成分を有する柔軟効能組成物を有する貼付剤を容易に形成することが可能となり、その結果、所望の品質を有する貼付剤を安定して量産することができる。例えば、複数種類の溶解性や相溶性の異なる効能成分を含有する貼付剤において、それぞれの効能成分に最適な複数種類の効能組成物原料を調製して積層方向に配置して所望の効能を奏する貼付剤を容易に製造できる。
【００７１】  本発明の貼付剤収納包装品の製造方法において、図７、図８に示される構成を備える製造方法も実施可能である。
図７、図８は本発明の一実施例の貼付剤収納包装品の製造方法の他の製造工程を説明する工程説明図及び概略工程模式図であり、図７は複数種類の柔軟効能組成物を積層方向に重なり合う位置に積層した構成を備え、図８は複数種類の柔軟効能組成物を平面領域に互いに隣り合う位置に積層した構成を備える。
本発明の他の貼付剤収納包装品の製造方法は、以下の構成を備える。
前記柔軟効能組成物２２は互いに異なる組成成分を含有する複数種類の柔軟効能組成物を備える。
前記複数種類の柔軟効能組成物２２のそれぞれの柔軟効能組成物は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有する。
前記効能組成物原料２２ａは前記第二冷却非変形温度に冷却された複数種類の冷却非変形効能組成物原料２２ｂを備える。
そして、以下の工程を有する。
（Ａ）第一流動温度において流動可能な流動状態を有する複数種類の流動効能組成物原料２２ａを調製する流動効能組成物原料調製工程、ここで、前記複数種類の流動効能組成物原料２２ａのそれぞれの流動効能組成物原料は互いに異なる組成成分を含有し、及び、前記複数種類の流動効能組成物原料２２ａのそれぞれの流動効能組成物原料を非変形状態になる第二冷却非変形温度に冷却して所定形状を有する非変形状態のそれぞれの冷却非変形効能組成物原料２２ｂを調製する冷却所定形状形成工程．
ここで、前記それぞれの冷却非変形効能組成物原料２２ｂは非変形状態を有し、（ｉ）それぞれの冷却非変形効能組成物原料２２ｂは、切断されることなく所定の形状を有する、及び／又は、（ｉｉ）それぞれの冷却非変形効能組成物原料２２ｂを切断して、それぞれの冷却非変形効能組成物原料は、所定の形状に切断された所定の形状を有する．
（Ｂ）保持部材の表面の所定の位置領域に前記それぞれの冷却非変形効能組成物原料と剥離保護部材２３とを、前記剥離保護部材２３が表面側に位置する状態で積層して保持部材・効能組成物原料・剥離保護部材積層物を調製する積層部材積層工程、ここで、前記それぞれの冷却非変形効能組成物原料は非変形状態を維持し、（ｉ）それぞれの冷却非変形効能組成物原料は保持部材の平面領域に互いに隣り合う位置に積層される、及び／又は、（ｉｉ）それぞれの冷却非変形効能組成物原料は保持部材の積層方向に互いに重なり合う位置に積層される．
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程、ここで、前記それぞれの冷却非変形効能組成物原料は非変形状態を維持する．
（Ｄ）前記保持部材の表面に位置するそれぞれの流動効能組成物原料を前記保持部材に接合させると共に前記それぞれの流動効能組成物原料を互いに接合させて、流動性のない柔軟状態のそれぞれの柔軟効能組成物に熟成させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより、それぞれの流動効能組成物原料が流動性のない柔軟状態を有するそれぞれの柔軟効能組成物に熟成された構成を有する保持部材・柔軟効能組成物・剥離保護部材を備えた貼付剤を形成すると共に、該貼付剤が前記包装用容器に収納された貼付剤収納包装品が得られる。
なお、図７、図８においては、前記（Ａ）工程が、「（ｉｉ）それぞれの冷却非変形効能組成物原料２２ｂを切断して、それぞれの冷却非変形効能組成物原料は、所定の形状に切断された所定の形状を有する」の構成について示したものであり、「（ｉ）それぞれの冷却非変形効能組成物原料２２ｂは、切断されることなく所定の形状を有する」の構成は図示されていない。
【００７２】  前記（Ａ）工程において、「（ｉ）それぞれの冷却非変形効能組成物原料２２ｂは、切断されることなく所定の形状を有する」構成においては下記の効果が得られる。
［方法効果キ：複数種類の冷却非変形効能組成物原料・冷却］：
前述の［方法効果ア：貼付剤密着収納］が得られると共に、包装用容器が前記保持部材・効能組成物原料・剥離部材積層物の形状に沿って変形して密着する状態で複数種類の冷却非変形効能組成物原料が熟成されるために、組成成分の異なる複数種類の柔軟効能組成物２２を、所望の厚さ、面積、形状、重量、積層位置などにおいて著しく高精度で形成可能となり、また、含有する組成成分割合も変動することなく安定して量産形成可能になる。例えば、他の含有成分との相溶性や溶解性の異なる複数種類の効能成分を含有する貼付剤の製造において、それぞれの効能成分に最適な複数種類の効能組成物原料を調製して、それらの複数種類の効能組成物原料を平面領域及び／又は積層方向に配置して、所望の貼付剤を容易に製造できる。
更に、包装用容器が前記保持部材・効能組成物原料・剥離部材積層物の形状に沿って変形して密着する状態で、複数種類の冷却固化された非変形状態を有する冷却非変形効能組成物原料２２コが流動性のない柔軟状態の柔軟効能組成物に熟成されて変化されるために、熟成中における複数種類の冷却非変形効能組成物原料の形状が維持されるために、保持部材と剥離保護部材とに挟まれている複数種類の冷却非変形効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。更に、熟成中における含有成分の蒸発等に起因する含有成分の割合も変動することなく所望性能を有する貼付剤を安定して高精度で量産形成可能であり、その結果、良品歩留まりを著しく向上可能で、所望の品質を有する貼付剤収納包装品を安定して量産することができ、著しいコストダウンが可能となる。
【００７３】  特に、前記（Ｂ）工程において、複数種類の柔軟効能組成物が一つの保持部材の表面領域において互いに隣り合う位置に設置された構成においては下記の効果が得られる。
［方法効果キ−ａ：複数種類の冷却非変形効能組成物原料・冷却・平面］：
上記の［方法効果キ：複数種類の冷却非変形効能組成物原料・冷却］に加えて、さらに、一つの貼付剤の表面領域において互いに隣り合う位置に設置された異なる組成成分の領域を有する貼付剤を容易に形成することが可能となり、その結果、所望の品質を有する貼付剤を安定して量産することができる。例えば、冷却効能を奏する貼付剤領域、鎮痛効能を奏する貼付剤領域、強い粘着性を発揮する貼付剤領域などを、保持部材の表面領域の横方向に、互いに交互に形成することにより、所望の効能を発揮するとともに優れた粘着性能を有する貼付剤包装品を得ることができる。
【００７４】  特に、前記（Ｂ）工程において、複数種類の柔軟効能組成物が一つの保持部材の表面領域において互いに重なり合って積層された構成においては下記の効果が得られる。
［方法効果キ−ｂ：複数種類の冷却非変形効能組成物原料・冷却・積層］：
上記の［方法効果キ：複数種類の冷却非変形効能組成物原料・冷却］に加えて、さらに、一つの貼付剤の表面において積層方向に互いに重なり合って異なる組成成分を有する貼付剤を容易に形成することが可能となり、その結果、所望の品質を有する貼付剤を安定して量産することができる。例えば、複数種類の溶解性や相溶性の異なる効能成分を含有する貼付剤において、それぞれの効能成分に最適な複数種類の冷却非変形効能組成物原料を調製して積層方向に配置して所望の効能を奏する貼付剤を容易に製造できる。
【００７５】  前記（Ａ）工程において、（ｉｉ）それぞれの冷却非変形効能組成物原料を切断して、それぞれの冷却非変形効能組成物原料は、所定の形状に切断された所定の形状を有する、工程を備えることにより、下記の効果が得られる。
［方法効果キ−ｃ：複数種類の冷却非変形効能組成物原料・冷却切断］：
特に、（ｉｉ）それぞれの冷却非変形効能組成物原料２２ｂを切断して、それぞれの冷却非変形効能組成物原料は、所定の形状に切断された所定の形状を有する、工程を備えることにより、上記の（方法効果キ：複数種類の冷却非変形効能組成物原料・冷却切断）に加えて、更に、切断時の変形が抑制されて、所望形状に容易に高精度で切断可能になり、複雑な形状を有する所望の平面形状や厚さ形状に精確に切断可能であり、且つ、包装用容器に密着されて収納されている為にその所望形状が熟成工程中にも変動しなく、所望形状を有する貼付剤を容易に製造可能になる。組成成分の異なる複数種類の柔軟効能組成物を、所望の厚さ、面積、形状、重量、積層位置などにおいて複数種類の柔軟効能組成物を高精度で形成可能となり、また、含有する組成成分割合も貼付剤製品において変動することなく安定して高精度で量産形成可能であり、その結果、良品歩留まりを著しく向上可能で、所望の品質を有する貼付剤を安定して量産することができる。例えば、保持部材の表面に強い粘着力を有する第一形状の柔軟効能組成物を積層し、その第一形状の柔軟効能組成物の表面の内側領域に、冷却効能又は鎮痛効能を奏する第二形状柔軟効能組成物を積層して形成することにより、周囲において強い粘着力を有し、内側領域において冷却効能又は鎮痛効能を奏する貼付剤を得ることができる。
【００７６】＜貼付剤の形状に沿って包装用容器が変形して密着する状態に形成する貼付剤収納包装品の製造方法について＞
本発明の貼付剤収納包装品の製造方法において、下記の構成を備える製造方法も実施可能である。
前記（Ｃ）工程において、前記保持部材・効能組成物原料・剥離部材積層物を、包装用容器の中に位置する状態で、包装用容器の中が大気圧よりも低い減圧状態で、前記包装用容器の開口部を密封して、前記包装用容器の中が大気圧よりも低い減圧状態に形成された積層物収納包装品を調製する積層物包装工程を備え、これにより、前記包装用容器が該包装用容器の内側と外側との気圧差により前記保持部材・効能組成物原料・剥離保護部材積層物の形状に沿って密着する状態になって変形した積層物収納包装品が得られる。
図６は、本発明の一実施例の貼付剤収納包装品の製造方法の概略工程模式図であり、特に、「前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する積層物包装工程」についての実施例を模式図的に示す。
図６の（Ａ）に示されるように、前記（Ｃ）工程において、前記保持部材・効能組成物原料・剥離部材積層物を、包装用容器３の中に位置する状態で、包装用容器３の中が大気圧よりも低い減圧状態で、前記包装用容器３の開口部を密封して、前記包装用容器の中が大気圧よりも低い減圧状態に形成された積層物収納包装品を調製する積層物包装工程を備え、これにより、前記包装用容器３が該包装用容器の内側と外側との気圧差により前記保持部材・効能組成物原料・剥離保護部材積層物の形状に沿って密着する状態になって変形した積層物収納包装品が得られる。
【００７７】  この構成により、下記の効果が得られる。
［方法効果ク：減圧密着］：
保持部材・効能組成物原料・剥離部材積層物を、包装用容器の中に位置する状態で、包装用容器の中が大気圧よりも低い減圧状態で、包装用容器３の開口部を密封して、包装用容器の中が大気圧よりも低い減圧状態に形成された積層物収納包装品を調製する積層物包装工程を備えた構成により、包装用容器３が該包装用容器の内側と外側との気圧差により、包装用容器３を容易に保持部材・効能組成物原料・剥離保護部材積層物の形状に沿って密着する状態になって変形させた積層物収納包装品を容易に得ることが可能になり、その結果、包装用容器３が貼付剤２の形状に沿って密着した状態を有する貼付剤収納包装品１を安定して量産可能になる。
特に、保持部材２１として微細凹凸表面を有する多孔性材料から構成される保持部材を構成する貼付剤において、包装用容器の内側と外側の気圧差に起因して、微細凹凸表面を有する不織布製の保持部材２１の表面に付着している効能組成物原料２２ａが剥離保護部材２３を介して、保持部材・効能組成物原料・剥離保護部材積層物の表面側と裏面側とに位置するフィルム状の包装用容器に挟まれた状態で、保持部材２１と効能組成物原料２２ａとが互いに加圧され、これにより、効能組成物原料２２ａの一部が保持部材２１の微細凹凸表面の凹凸の内部に入り込む状態を形成し、その状態で効能組成物原料２２ａが架橋して熟成されて流動性のない柔軟状態の柔軟効能組成物２２に変化され、このようにして柔軟状態の柔軟効能組成物２２が保持部材２１から剥がれることなく接合して構成される貼付剤が形成される作用効果が得られる。
保持部材・効能組成物原料・剥離部材積層物を、二本ロールによる加圧又は平板式加圧ブレスによる加圧等の加圧手段を経ることなく、包装用容器の内側と外側の気圧差に起因して、効能組成物原料２２ａの一部が保持部材２１の微細凹凸表面の凹凸の内部に入り込む状態で付着するとともに熟成されて流動性のない柔軟状態の柔軟効能組成物２２が保持部材２１から剥がれることなく接合した貼付剤を製造可能になる、その結果、製造工程が簡略化され、安価に量産可能になる効果も得られる。
【００７８】  大気圧よりも低い減圧状態としては、特に限定されないが、包装用容器の内部と大気圧との差異による圧力により包装用容器が変形可能な程度の減圧状態が望ましく、例えば、約５ｍｍＨｇから約７００ｍｍＨｇの範囲が望ましい。特に望ましくは、減圧状態としては、約２０ｍｍＨｇから約６００ｍｍＨｇの範囲が特に望ましい。なお、大気圧は約７６０ｍｍＨｇである。
約５ｍｍＨｇよりも高真空の場合には、減圧状態にするために長時間の真空吸引作業を必要とするため、生産性に劣る傾向があるとともに、柔軟効能組成物に含有される成分の気化・蒸発等による含有成分の変質の発生が懸念されることがある。約７００ｍｍＨｇ〜約７６０ｍｍＨｇの場合には大気圧との差が少ないために、包装用容器が保持部材・効能組成物原料・剥離保護部材積層物の形状に沿って密着して変形する状態が少なり、貼付剤の形状に沿って密着して変形した状態を有する貼付剤収納包装品が得られなくなる傾向がある。
【００７９】  保持部材・効能組成物原料・剥離部材積層物を、包装用容器の中に位置する状態で、包装用容器の中が大気圧よりも低い減圧状態で、包装用容器の開口部を密封して、包装用容器の中が大気圧よりも低い減圧状態に形成された積層物収納包装品を調製する積層物包装工程としては、特に限定されないが、例えば下記の方法が実施可能である。
・減圧密封方法ａ：図６の（Ａ）に示されるように、保持部材・効能組成物原料・剥離部材積層物の上方向と下方向の双方の位置に、包装用容器となる包装用容器用シートを位置した状態で、その積層物を包装用容器用シートの間に位置するとともに減圧雰囲気の中に位置した状態で、包装用容器用シートの開口部を密封して包装用容器密封部３ａを形成し、その後、その密封した袋状包装用容器を大気雰囲気に戻す方法。これにより、包装用容器を容易に保持部材・効能組成物原料・剥離保護部材積層物の形状に沿って密着する状態になって変形させた積層物収納包装品を容易に製造できる。
・減圧密封方法ｂ：図６の（Ｂ）に示されるように、開口部を有する袋状の包装用容器の中に保持部材・効能組成物原料・剥離部材積層物を収納した状態で、該袋状包装用容器の中のみを減圧状態にした状態で、袋状の包装用容器の開口部を密封して包装用容器密封部３ａを形成し、その後、その密封した袋状包装用容器を大気雰囲気に戻す方法。これにより、包装用容器を容易に保持部材・効能組成物原料・剥離保護部材積層物の形状に沿って密着する状態になって変形させた積層物収納包装品を容易に製造できる。
・減圧密封方法ｃ：図６の（Ｂ）に示されるように、開口部を有する袋状の包装用容器の中に保持部材・効能組成物原料・剥離部材積層物を収納した状態で、その積層物を収納した袋状包装用容器を減圧雰囲気の中に位置した状態で、袋状包装用容器の開口部を密封して包装用容器密封部３ａを形成し、その後、その密封した袋状包装用容器を大気雰囲気に戻す方法。これにより、包装用容器を容易に保持部材・効能組成物原料・剥離保護部材積層物の形状に沿って密着する状態になって変形させた積層物収納包装品を容易に製造できる。
【００８０】  本発明の貼付剤収納包装品の製造方法において、下記の構成を備える製造方法も実施可能である。
前記包装用容器は加熱により収縮する性質を有する熱収縮性包装用容器であり、前記（Ｃ）工程において、前記保持部材・効能組成物原料・剥離保護部材積層物を、熱収縮性を有する熱収縮性包装用容器３ｃの中に位置する状態で、前記熱収縮性包装用容器３ｃを加熱により熱収縮させるとともに前記包装用容器の開口部を密封して、積層物収納包装品を調製する積層物包装工程、これにより、前記熱収縮性包装用容器３ｃが熱収縮作用により前記保持部材・効能組成物原料・剥離保護部材積層物の形状に沿って密着する状態になって変形した積層物収納包装品が得られる、ことを特徴とする。
【００８１】  この構成により、下記の効果が得られる。
［方法効果ケ：熱収縮密着］：
保持部材・効能組成物原料・剥離保護部材積層物を、熱収縮性を有する熱収縮性包装用容器の中に位置する状態で、前記熱収縮性包装用容器を加熱により熱収縮させるとともに前記熱収縮性包装用容器の開口部を密封して、積層物収納包装品を調製する積層物包装工程を備えた構成により、熱収縮性包装用容器が該熱収縮性包装用容器の熱収縮作用により収縮して、包装用容器を容易に保持部材・効能組成物原料・剥離保護部材積層物の形状に沿って密着する状態になって変形させた積層物収納包装品を容易に得ることが可能になり、その結果、包装用容器が貼付剤の形状に沿って密着した状態を有する貼付剤収納包装品を安定して量産可能になる。
【００８２】  保持部材・効能組成物原料・剥離保護部材積層物を、熱収縮性を有する包装用容器の中に位置する状態で、前記包装用容器を加熱により熱収縮させるとともに前記包装用容器の開口部を密封して、積層物収納包装品を調製する積層物包装工程としては、特に限定されないが、例えば下記の熱収縮包装（シュリンク包装）方法が実施可能である。
・熱収縮密封包装方法ａ：図６の（Ｃ）に示されるように、開口部を有する袋状の熱収縮性包装用容器３、３ｃの中に保持部材・効能組成物原料・剥離部材積層物を収納した状態で、該熱収縮性袋状包装用容器を加熱するとともに袋状の熱収縮性包装用容器３、３ｃの開口部を密封する方法。これにより、熱収縮性包装用容器３、３ｃを容易に保持部材・効能組成物原料・剥離保護部材積層物の形状に沿って密着する状態になって変形させた積層物収納包装品を容易に製造できる。
・熱収縮密封包装方法ｂ：図６の（Ａ）に示されるように、保持部材・効能組成物原料・剥離部材積層物の上方向と下方向の双方の位置に、包装用容器となる熱収縮性を有する熱収縮性包装用容器用シートを位置した状態で、その積層物を熱収縮性包装用容器用シートの間に位置するとともに加熱すると共に包装用容器用シートの開口部を密封する方法。これにより、熱収縮性包装用容器を容易に保持部材・効能組成物原料・剥離保護部材積層物の形状に沿って密着する状態になって変形させた積層物収納包装品を容易に製造できる。
これらの熱収縮密封包装方法は、汎用されているシュリンク包装装置を使用して実施可能である。例えば、赤外線加熱・遠赤外線加熱・スチーム加熱等の加熱方式、トンネル式連続加熱・バッチ式加熱等の量産無機装置、その他の方法に実施可能である。
また、熱収縮性包装用容器に使用される材料としては、特に限定されないが、例えば、ポリ塩化ビニル、ポリエチレン、ポリプロピレン、ポリスチレン、ポリオレフィン、ポリエチレンテレフタレート等が使用される。
【００８３】  本発明の貼付剤収納包装品の製造方法において、下記の構成を備える製造方法も実施可能である。
前記包装用容器は、加熱により溶融融着する材料から構成され、前記（Ｃ）工程において、前記包装用容器３の開口部を加熱することにより、前記包装用容器３の開口部が溶融融着して接合されて密封される、ことを特徴とする。
【００８４】  この構成により、下記の効果が得られる。
［方法効果クケ：開口部熱融着接合］：
包装用容器が加熱により溶融融着する材料から構成され、包装用容器の開口部を加熱することにより、前記包装用容器の開口部が溶融融着して接合されて密封される工程を備えた構成により、包装用容器を容易に保持部材・効能組成物原料・剥離保護部材積層物の形状に沿って密着する状態になって変形させた積層物収納包装品を容易に得ることが可能になり、その結果、包装用容器が貼付剤の形状に沿って密着した状態を有する貼付剤収納包装品を安定して量産可能になる。
【００８５】  減圧状態で密封する包装用容器において、熱融着密封可能な包装用容器に使用される材料としては、特に限定されないが、例えば、少なくとも、熱融着可能なプラスチック製フィルムと所望機能を有するシート状材料との積層フィルムが使用できる。熱融着可能なプラスチック製フィルムとしては、ポリエチレン製フィルム、ポリプロピレン製フィルムなどが使用される。所望機能を有するシート状材料としては、ポリエチレンテレフタレート（ポリエステル）製フィルム、ポリアミド（ナイロン）製フィルム、紙、織布、不織布、金属箔（例えばアルミニウム箔）、金属蒸着フィルム（例えばアルミニウム蒸着ポリエステルフィルム）、その他の汎用のプラスチック製フィルムが使用できる。所望機能を有するシートとしては、空気透過を抑制できる機能、屈曲強靭性を有する機能、皺防止性を有する機能、破れにくい機能、所望の裂破り性を有する機能、文字を印刷できる機能、その他の所望の機能を有するシート材料が使用できる。
なお、本構成において、包装用容器の開口部を加熱するとともに押圧する構成も実施可能であり、これにより開口部の接合が容易に実施される。
【００８６】＜保持部材の表面からはみ出すことなく前記保持部材の表面に積層された柔軟効能組成物を備えた貼付剤を収納した貼付剤収納包装品の製造方法について＞
本発明の貼付剤収納包装品の製造方法において、下記の構成も実施可能である。
前記（Ｂ）工程において、前記柔軟効能組成物２２が前記保持部材２１の表面からはみ出すことなく前記保持部材２１の表面領域に位置する状態で前記効能組成物原料と剥離保護部材とを積層する．前記（Ｃ）工程において、前記保持部材・効能組成物原料・剥離保護部材積層物を、包装用容器の中に位置する状態で、前記剥離保護部材が前記柔軟効能組成物を覆うと共に前記保持部材の保持部材周辺余白部に密着した形態で、前記包装用容器が前記積層物の形状に沿って変形して密着する状態になるように、前記包装用容器の開口部を密封する．
【００８７】  この構成により下記の効果が得られる。
［方法効果コ：はみ出すことなく保持部材の表面領域に位置する柔軟効能組成物］：
前述の［方法効果ア：貼付剤密着収納］が得られると共に、保持部材２１と剥離保護部材２３との間に構成されている柔軟効能組成物２２が保持部材２１と剥離保護部材２３の間の端部からはみ出す現象が著しく抑制され貼付剤２が得られるようになり、その結果、はみ出した柔軟効能組成物が包装用容器の内面に粘着することに起因する貼付剤を包装用容器から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【００８８】  本発明の貼付剤収納包装品の製造方法において、下記の工程を備える製造方法も実施可能である。
前記（Ｂ）工程において、前記効能組成物原料が前記保持部材の表面の周辺よりも内側領域に位置して保持部材周辺余白部２１ａを形成する状態で、前記剥離保護部材が前記効能組成物原料と保持部材周辺余白部との表面側に位置する状態で、前記効能組成物原料と剥離保護部材とを積層する．
前記（Ｃ）工程において、前記保持部材・効能組成物原料・剥離保護部材積層物を、包装用容器の中に位置する状態で、前記剥離保護部材が前記柔軟効能組成物を覆うと共に前記保持部材の保持部材周辺余白部に密着した形態で、前記包装用容器が前記積層物の形状に沿って変形して密着する状態になるように、前記包装用容器の開口部を密封する．
例えば、図１の（Ｂ）工程、図２の（Ｂ）工程、図３の（Ｂ）工程において、効能組成物原料２２ａが保持部材２１の表面の周辺よりも内側領域に位置して保持部材周辺余白部２１ａを形成する状態で、保持部材２１の表面に積層される。
【００８９】  この構成により下記の効果が得られる。
［方法効果コ−ａ：保持部材周辺余白部］：
本発明の貼付剤収納包装品の製造方法において、特に、「（Ｂ）工程において、効能組成物原料が保持部材の表面の周辺よりも内側領域に位置して保持部材周辺余白部を形成する状態で、剥離保護部材が前記効能組成物原料と保持部材周辺余白部との表面側に位置する状態で、効能組成物原料と剥離保護部材とを積層し、保持部材・効能組成物原料・剥離保護部材積層物を、包装用容器の中に位置する状態で、剥離保護部材が柔軟効能組成物を覆うと共に保持部材の保持部材周辺余白部に密着した形態で、包装用容器が前記積層物の形状に沿って変形して密着する状態になるように、包装用容器の開口部を密封する、を備えた構成」により、前述の［方法効果ア：貼付剤密着収納］が得られると共に、保持部材２１と剥離保護部材２３との間に構成されている柔軟効能組成物２２が保持部材２１と剥離保護部材２３の間の端部からはみ出す現象が著しく抑制され貼付剤が得られるようになり、その結果、はみ出した柔軟効能組成物２２が包装用容器３の内面に粘着して貼付剤２を包装用容器３から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
更に、貼付剤２を人体皮膚に貼付する場合に、はみ出した柔軟効能組成物２２が保持部材２１に支持されていないために生じる貼付剤２の表面が粘着性を奏することによる使用者の不快感も著しく抑制された貼付剤収納包装品１を製造できる効果が得られる。
【００９０】  保持部材２１の表面の周辺よりも内側領域に位置する保持部材周辺余白部２１ａにおいて、保持部材表面の周辺から柔軟効能組成物２２までの距離、すなわち、保持部材周辺余白部２１ａの幅寸法としては、少なくとも、効能組成物原料２２の厚さ寸法と同等以上の距離・長さ寸法が望ましい。例えば、保持部材２１に積層される効能組成物原料２２の厚さが２ｍｍである場合には、保持部材周辺余白部２１ａの幅寸法は、約２ｍｍ以上が望ましい。これにより、柔軟効能組成物２２のはみ出しが抑制される。保持部材周辺余白部２１ａの幅寸法が効能組成物原料２２の厚さ寸法よりも短い場合には、柔軟効能組成物２２のはみ出しを抑制する効果が低下する傾向がある。
【００９１】  本発明の貼付剤収納包装品の製造方法において、下記の工程を備える構成も実施可能である。
前記（Ｂ）工程において、前記効能組成物原料が前記保持部材の表面からはみ出すことなく前記保持部材の表面に位置すると共に前記効能組成物原料の端面が前記保持部材と前記剥離部材との間から露出する状態になるように前記効能組成物原料を前記保持部材の表面に積層するとともに前記剥離部材を前記効能組成物原料の表面に積層する．
前記（Ｃ）工程において、
前記保持部材・効能組成物原料・剥離保護部材積層物を、包装用容器の中に位置する状態で、前記包装用容器が前記保持部材・効能組成物原料・剥離保護部材積層物の形状に沿って変形して密着する状態になるように、前記包装用容器の開口部を密封する。
【００９２】  例えば、図１１に示されるように、前記柔軟効能組成物２２は、第一流動温度において流動可能な流動状態を有し、第一流動温度よりも低温の第二冷却非変形温度において変形しない程度の非変形状態を有し、第二冷却非変形温度を昇温した第三柔軟熟成温度において流動性のない非流動形態に変化されてなる柔軟状態を有し、前記効能組成物原料２２ａは、前記第二冷却非変形温度に冷却された冷却非変形効能組成物原料２２ａであって、下記の構成を備える。
（Ａ）第一流動温度において流動可能な流動状態を有する流動効能組成物原料２２ａを調製する流動効能組成物原料調製工程、及び、前記流動効能組成物原料２２ａを非変形状態になる第二冷却非変形温度に冷却して所定形状を有する非変形状態の冷却非変形効能組成物原料２２ｂを調製する冷却所定形状形成工程．
（Ｂ）保持部材２１の表面の所定の位置領域に前記冷却非変形効能組成物原料２２ｂと剥離保護部材２３とを、前記剥離保護部材２３が表面側に位置する状態で積層して保持部材・効能組成物原料・剥離保護部材積層物を調製する積層部材積層工程、ここで前記冷却非変形効能組成物原料２２ｂは非変形状態を維持するとともに、前記効能組成物原料が前記保持部材の表面からはみ出すことなく前記保持部材の表面に位置すると共に前記効能組成物原料の端面が前記保持部材と前記剥離部材との間から露出する状態になるように前記効能組成物原料を前記保持部材の表面に積層するとともに前記剥離部材を前記効能組成物原料の表面に積層する、前記冷却非変形効能組成物原料２２ｂは非変形状態を維持する．
（Ｃ）前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器３の開口部を密封して、積層物収納包装品を調製する積層物包装工程、ここで、前記冷却非変形効能組成物原料２２ｂは非変形状態を維持する．
（Ｄ）前記冷却非変形効能組成物原料２２ｂを流動性のない柔軟状態の柔軟効能組成物２２に熟成させて変化させるとともに該柔軟効能組成物２２を前記保持部材２１に付着接合させて、柔軟効能組成物２２が前記保持部材２１に付着接合した保持部材・柔軟効能組成物・剥離保護部材積層物を調製する熟成工程、これにより、効能組成物原料が流動性のない柔軟効能組成物２２に熟成されて変化した構成を有する保持部材・柔軟効能組成物・剥離保護部材を備えた貼付剤２を形成すると共に、該貼付剤２が前記包装用容器３に収納された貼付剤収納包装品１が得られる。
例えば、一実施例として、図８において、効能組成物原料が、（Ａ）工程において約−３℃に冷却されて、（Ｂ）工程及び（Ｃ）工程においてその冷却状態を維持し、（Ｄ）工程において、約１０℃〜約３０℃の室温雰囲気、又は約３０℃〜約６０℃に昇温されて、その昇温の過程及び／又は昇温された温度において、効能組成物原料が含水ゲル状の柔軟効能組成物に熟成された構成になる方法が実施可能である。
【００９３】  この構成により、下記の効果が得られる。
［方法効果コ−ｂ：柔軟効能組成物の端面密着包装］：
この構成により、前述の［方法効果ア：貼付剤密着収納］が得られると共に、保持部材２１と剥離保護部材２３との間に構成されている柔軟効能組成物２２が保持部材と剥離保護部材の間の端部からはみ出す現象が著しく抑制された貼付剤２が得られるようになり、その結果、はみ出した柔軟効能組成物が包装用容器の内面に粘着することに起因する貼付剤を包装用容器から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【００９４】  なお、上記の構成において、流動効能組成物原料２２ａと剥離部材２３を保持部材２１の表面に積層し、その後、その保持部材２１と流動効能組成物原料２２ａと剥離部材２３との積層物を包装用容器の中に収納するとともに、包装用容器がその積層物の形状に沿って密着する状態で密封し、その密封された状態で流動効能組成物原料２２ａを流動性のない柔軟効能組成物の形態に熟成して変化させる工程を有する構成も実施可能である。この構成により、前述の［方法効果コ：柔軟効能組成物の端面密着包装］と同じ効果が得られる。
【００９５】＜貼付剤を収納した貼付剤収納包装品について＞
本発明の貼付剤収納包装品１は、貼付剤２と、前記貼付剤２を収納した包装用容器３とを備え、前記貼付剤２は、シート状の保持部材２１と、前記保持部材２１の表面の所定の位置領域に付着接合して配置されて積層された柔軟性を有する柔軟効能組成物２２と、前記柔軟効能組成物２２の表面に使用時に剥離可能に積層されたシート状の剥離保護部材２３とを備え、前記柔軟効能組成２２は粘着性を有し、使用時に、前記貼付剤２が前記包装用容器３から取り出され、取出された前記貼付剤２から前記剥離保護部材２１が剥離されて、前記保持部材２３に積層して接合された前記柔軟効能組成物２２を人体皮膚に貼付して使用される貼付剤収納包装品であって、前記包装用容器３は、前記貼付剤２の形状に沿って変形可能な程度の柔軟性を有し、前記貼付剤２が前記包装用容器３の中に位置するとともに前記包装用容器３が前記貼付剤２の形状に沿って密着する状態で、前記貼付剤２が前記包装用容器３の中に収納されて密封されてなる形態を有し、前記貼付剤２が前記包装用容器３の中に位置するとともに前記包装用容器が前記貼付剤２の形状に沿って密着する状態で、前記柔軟効能組成物２２が粘着性を有するとともに柔軟状態を有する柔軟効能組成物２２の形態に熟成されてなる熟成形態を有する、構成を備えてなることを特徴とする。
【００９６】  この構成により下記の効果が得られる。
［構成効果ア：貼付剤収納包装品］：
本発明の貼付剤収納包装品において、貼付剤が包装用容器の中に位置するとともに包装用容器が前記貼付剤の形状に沿って密着する状態で、柔軟効能組成物が柔軟状態を有する柔軟効能組成物の形態に熟成されてなる熟成形態を有する構成を備える構成により、柔軟効能組成物中に含有される成分の蒸発発散又は空気との化学反応による含有成分の変質や劣化等による含有成分の含有組成変化や化学的劣化が抑制されて、安定した品質を有する貼付剤収納包装品が得られる効果が得られる。
更に、熟成中における流動効能組成物原料の形状が維持されてなる構成を備えるために、保持部材と剥離保護部材とに挟まれている流動効能組成物原料の保持部材と剥離保護部材との間からのはみ出しが防止される。その結果、はみ出した柔軟効能組成物が包装用容器の内面に粘着することに起因する貼付剤を包装用容器から容易に取り出せないという不便が解消される。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【００９７】＜貼付剤の形状に沿って密着する包装用容器を備えた貼付剤収納包装品について＞
本発明の貼付剤収納包装品において、下記の構成も実施可能である。
前記貼付剤が前記包装用容器の中に位置するとともに前記包装用容器が前記貼付剤の形状に沿って密着する状態で、前記柔軟効能組成物が、流動状態を有する流動効能組成物原料の形態から、流動性のない柔軟状態を有する柔軟効能組成物の形態に熟成されてなる熟成形態を有する、構成を備えてなることを特徴とする。
【００９８】この構成により下記の効果が得られる。
［構成効果イ：貼付剤収納包装品］：
前述の（構成効果ア）が得られると共に、保持部材２１に積層される柔軟効能組成物２２を、所望の厚さ、面積、形状、重量、積層位置などにおいて高精度で形成されると共に、また、含有する組成成分割合も熟成中等において変動することなく安定した所望の品質を有する貼付剤収納包装品１が得られる。更に、保持部材２１と剥離保護部材２３とに挟まれている流動効能組成物原料２１ａの保持部材２１と剥離保護部材２３との間からのはみ出しが防止される。その結果、はみ出した柔軟効能組成物２２が包装用容器３の内面に粘着することに起因する貼付剤２を包装用容器３から容易に取り出せないという不便が解消される。更に、貼付剤２を人体皮膚に貼付する場合に、はみ出した柔軟効能組成物２２が保持部材２１に支持されていなく貼付剤２の表面が粘着性を有することに起因していた使用者の不快感が解消され、快適に使用できる貼付剤収納包装品が得られる。
【００９９】＜冷却非変形効能組成物原料から熟成されてなる柔軟効能組成物を備えた貼付剤を収納する貼付剤収納包装品について＞
本発明の貼付剤収納包装品において、下記の構成も実施可能である。
前記柔軟効能組成物２２は、第一流動温度において流動可能な流動状態を有する流動効能組成物原料２２ａの形態を有し、第一流動温度よりも低温の第二冷却非変形温度において変形しない程度の非変形状態を有する冷却非変形効能組成物原料２２ｂの形態を有し、第二冷却非変形温度から昇温した第三柔軟熟成温度において流動性のない非流動形態に変化されてなる柔軟状態を有する柔軟効能組成物２２の形態に熟成されてなる熟成形態を有する性質を有し、前記貼付剤が前記包装用容器の中に位置するとともに前記包装用容器が前記貼付剤の形状に沿って密着する状態で、前記柔軟効能組成物が、前記第二冷却非変形温度における非変形状態を有する形態から、前記第三柔軟熟成温度における流動性のない非流動形態に変化されてなる柔軟状態を有する柔軟効能組成物の形態に熟成された熟成形態を有してなる、構成を備えてなることを特徴とする。
【０１００】  この構成により、下記の効果が得られる。
［構成効果ウ：冷却非変形効能組成物原料］：
前述の［構成効果ア：貼付剤密着収納］が得られると共に、保持部材２１と剥離保護部材２３とに挟まれている効能組成物２２の保持部材２１と剥離保護部材２３との間からのはみ出しが防止される。その結果、はみ出した柔軟効能組成物２２が包装用容器３の内面に粘着することに起因する貼付剤２を包装用容器から容易に取り出せないという不便が解消され貼付剤収納包装品１が得られる。更に、貼付剤２を人体皮膚に貼付する場合に、はみ出している柔軟効能組成物が保持部材２１に支持されていなく貼付剤の表面が粘着性を有することに起因していた使用者の不快感が解消され、快適に使用できる貼付剤収納包装品が得られる。更に、熟成中における含有成分の蒸発等に起因する含有成分の割合も変動することなく所望性能を有する貼付剤を安定して高精度で量産形成可能であり、その結果、良品歩留まりを著しく向上可能で、所望の品質を有する貼付剤収納包装品１を安定して量産することができ、著しいコストダウンが可能となる貼付剤収納包装品１が得られる。
【０１０１】＜切断冷却非変形効能組成物原料から熟成されてなる柔軟効能組成物を備えた貼付剤を収納する貼付剤収納包装品について＞
本発明の貼付剤収納包装品において、下記の構成も実施可能である。
前記柔軟効能組成物は、第一流動温度において流動可能な流動状態を有する流動効能組成物原料２２ａの形態を有し、第一流動温度よりも低温の第二冷却非変形温度において切断前後に変形しない程度の非変形状態を有するとともに切断された切断冷却非変形効能組成物原料２２ｃの形態を有し、第二冷却非変形温度から昇温した第三柔軟熟成温度において流動性のない非流動形態に変化されてなる柔軟状態を有する柔軟効能組成物２２の形態に熟成された熟成形態を有する性質を有する．
前記貼付剤２が前記包装用容器３の中に位置するとともに前記包装用容器３が前記貼付剤２の形状に沿って密着する状態で、前記柔軟効能組成物２２が、前記第二冷却非変形温度における非変形状態を有する形態から、前記第三柔軟熟成温度における流動性のない非流動形態に変化されてなる柔軟状態を有する柔軟効能組成物２２の形態に熟成された熟成形態を有する．
前記貼付剤２は、前記保持部材２１と、切断時に変形しない程度の非変形状態を有する前記第二冷却非変形温度において切断された所定形状を有するとともに前記第三柔軟熟成温度において前記保持部材２１の表面の所定の位置領域に配置されて接合された柔軟効能組成物２２と、前記保持部材２１の表面に接合された柔軟効能組成物２２の表面を覆って設置された剥離保護部材２３とを備えてなる。
【０１０２】  この構成により、下記の効果が得られる。
［構成効果エ：切断冷却非変形効能組成物原料］：
前述の［構成効果ア：貼付剤密着収納］及び［構成効果ウ］が得られると共に、所定形状に切断されている切断冷却非変形効能組成物原料２２ｃが精確な所望の平面形状や厚さ形状を有し、且つ、包装用容器３に密着されて収納されている為に、所望形状を有する貼付剤収納包装品が得られる。
また、所望の形状に切断され形状を維持する柔軟効能組成物が構成されている為に、保持部材に積層される柔軟効能組成物が、所望の厚さ、面積、形状、重量、積層位置などにおいて高精度で形成可能となる。また、包装用容器３に収納された状態で熟成された柔軟効能組成物２２を構成するために、熟成された柔軟効能組成物２２の組成成分割合も変動することなく安定した組成成分割合の柔軟効能組成物２２を構成する貼付剤収納包装品１が得られる。このように、良品歩留まりが著しく向上され、所望の品質を有する貼付剤を安定して量産することができ、コストダウンされた貼付剤収納包装品が得られる。
【０１０３】＜減圧密封されてなる貼付剤収納包装品について＞
本発明の貼付剤収納包装品において、下記の構成も実施可能である。
前記貼付剤２が前記包装用容器３の中に位置するとともに前記包装用容器３が前記貼付剤２の形状に沿って密着する状態で、前記貼付剤２が前記包装用容器３に収納され密封されてなる形態は、前記貼付剤２が包装用容器３の中に位置するとともに包装用容器３の中が大気圧よりも低い減圧状態で、前記貼付剤２が前記包装用容器３の中に収納されて密封されてなる形態であることを特徴とする。
【０１０４】  この構成により、下記の効果が得られる。
［構成効果ク：減圧密着］：
前記貼付剤２が包装用容器３の中に位置するとともに包装用容器３の中が大気圧よりも低い減圧状態で、前記貼付剤２が前記包装用容器３の中に収納されて密封されてなる形態を有し、包装用容器３が貼付剤２の形状に沿って密着する状態を有する構成を備えた構成により、前述の［構成効果ア：貼付剤密着収納］が得られると共に、包装用容器３が貼付剤２の形状に沿って密着した状態を有する貼付剤収納包装品１が安定して量産された製品が得られる。また、保持部材２１と剥離保護部材２３とに挟まれている柔軟効能組成物２２の保持部材２１と剥離保護部材２３との間からのはみ出しが防止される。その結果、はみ出した柔軟効能組成物が包装用容器２の内面に粘着することに起因する貼付剤２を包装用容器３の中から容易に取り出せないという不便が解消され貼付剤収納包装品１が得られる。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
特に、保持部材２１として微細凹凸表面を有する多孔性材料から構成される材料を構成する貼付剤において、包装用容器の内側と外側の気圧差に起因して、保持部材２１の表面に付着している効能組成物原料２２が剥離保護部材２３を介して、保持部材・効能組成物原料・剥離保護部材積層物の表面側と裏面側とに位置するフィルム状の包装用容器に挟まれた状態で、保持部材２１と効能組成物原料２２とが互いに加圧され、これにより、柔軟効能組成物２２の一部が保持部材２１の微細凹凸表面の凹凸の内部に入り込む状態で付着するとともに、熟成されて流動性のない柔軟状態の柔軟効能組成物２２が保持部材２１から剥がれることなく接合して構成される貼付剤が得られる作用効果が得られる。
【０１０５】＜熱収縮性包装用容器に密封されてなる貼付剤収納包装品について＞
本発明の貼付剤収納包装品において、下記の構成も実施可能である。
前記貼付剤２が前記包装用容器３の中に位置するとともに前記包装用容器３が前記貼付剤２の形状に沿って密着する状態で、前記貼付剤２が前記包装用容器３に収納され密封されてなる形態は、前記包装用容器３は加熱により収縮する性質を有する熱収縮性包装用容器３であり、前記貼付剤２が熱収縮性包装用容器３の中に位置する状態で、前記熱収縮性包装用容器３が加熱により熱収縮されてなる状態で前記貼付剤２が前記包装用容器３の中に収納されて密封されてなる形態である、ことを特徴とする
【０１０６】  この構成により、下記の効果が得られる。
［構成効果ケ：熱収縮密着］：
包装用容器３は加熱により収縮する性質を有する熱収縮性包装用容器３であり、貼付剤２が熱収縮性包装用容器の中に位置する状態で、熱収縮性包装用容器３が加熱により収縮されてなる状態で前記貼付剤２が前記包装用容器３の中に収納されて密封されてなる形態である、構成により、前述の［構成効果ア：貼付剤密着収納］が得られると共に、
包装用容器３が貼付剤２の形状に沿って密着した状態を有する貼付剤収納包装品１が安定して量産された製品が得られる。また、保持部材２１と剥離保護部材２３とに挟まれている柔軟効能組成物２２の保持部材２１と剥離保護部材２３との間からのはみ出しが防止される。その結果、はみ出した柔軟効能組成物が包装用容器３の内面に粘着することに起因する貼付剤２を包装用容器３から容易に取り出せないという不便が解消され貼付剤収納包装品が得られる。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【０１０７】［構成効果クケ：開口部熱融着接合］：
前記包装用容器の開口部が溶融融着して接合されて密封されてなる構成により、容易に貼付剤の形状に沿って密着された積層物収納包装品を容易に得ることが可能になり、また、包装品の内部への空気の侵入が抑制されて、包装用容器が貼付剤の形状に沿って密着した状態を長期間にわたって維持できる貼付剤収納包装品が得られる。
【０１０８】＜水と水溶性高分子を含有する柔軟効能組成物について＞
本発明の貼付剤収納包装品において、下記の構成も実施可能である。
前記柔軟効能組成物２２は、少なくとも水と水溶性高分子を含有し、第一流動温度において流動可能な流動状態を有し、前記第一流動温度よりも低温の第二冷却非変形温度において変形しない程度の非変形状態を有し、前記第二冷却非変形温度を昇温した第三柔軟熟成温度において流動性のない柔軟状態を有するとともに粘着性を有する含水ゲル状柔軟効能組成物２２である、ことを特徴とする。
水溶性高分子としては、前述の架橋性水溶性高分子、及び／又は非架橋性の水溶性高分子が含有されてなる構成が実施可能である。
【０１０９】  この構成により、下記の効果が得られる。
［構成効果サ：水溶性高分子・含水ゲル状柔軟効能組成物］：
柔軟効能組成物２２は、少なくとも水と水溶性高分子を含有し、第一流動温度において流動可能な流動状態を有し、前記第一流動温度よりも低温の第二冷却非変形温度において変形しない程度の非変形状態を有し、前記第二冷却非変形温度を昇温した第三柔軟熟成温度において流動性のない柔軟状態を有するとともに粘着性を有する含水ゲル状柔軟効能組成物２２である構成により、前述の［構成効果ア：貼付剤密着収納］が得られると共に、更に、含水ゲル状の柔軟効能組成物２２はそのゲル成分を自由に設計可能であり、貼付剤２を人体に貼付した時に、水に起因する快適な冷感が得られると共に、含水ゲル状の柔軟効能組成物２２は人体皮膚に無害であり、皮膚に優しい貼付剤が得られる。
更に、保持部材２１と剥離保護部材２３との間に構成されている含水ゲル状柔軟効能組成物２２が保持部材２１と剥離保護部材２３の間の端部からはみ出す現象が著しく抑制され貼付剤が得られるようになり、その結果、はみ出した含水ゲル状柔軟効能組成物が包装用容器の内面に粘着することに起因する貼付剤を包装用容器から容易に取り出せないという不便も解消される。更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
更に、熟成中における含有成分である水の蒸発等に起因する含有成分の割合も変動することなく所望性能を有する貼付剤２を安定して高精度で量産形成可能であり、その結果、良品歩留まりを著しく向上可能で、所望の品質を有する貼付剤収納包装品を安定して量産することができ、著しいコストダウンが可能となる貼付剤収納包装品１が得られる。
含水ゲル状柔軟効能組成物としては、架橋された含水ゲル状柔軟効能組成物が望ましく実施される。
【０１１０】  本発明の貼付剤収納包装品において、下記の構成も実施可能である。
前記柔軟効能組成物２２は、少なくとも水と水溶性高分子と、該水溶性高分子を化学構造的に架橋可能な架橋剤を含有し、第一流動温度において流動可能な流動状態を有し、前記第一流動温度よりも低温の第二冷却非変形温度において変形しない程度の非変形状態を有し、前記第二冷却非変形温度を昇温した第三柔軟熟成温度において流動性のない柔軟状態を有するとともに粘着性を有する含水ゲル状の柔軟効能組成物２２であり、前記水溶性高分子は、少なくとも、ポリアクリル酸、ポリアクリル酸中和物、ポリアクリル酸部分中和物、アクリル酸メタクリル酸共重合体、カルボキシアルキルセルロース、ヒドロキシアルキルセルロース、カルボキシビニルポリマ−及び、これらの塩類からなる群から選ばれる少なくとも一つの架橋性水溶性高分子であることを特徴とする。
【０１１１】  柔軟効能組成物２２が架橋性水溶性高分子と架橋剤とを含有する構成において、例えば、第一流動温度は常温の約２５℃付近であり、第三柔軟熟成温度は常温付近の約２５℃付近であって、第三柔軟熟成温度の約２５℃付近において含有される水溶性高分子が三次元の化学構造に架橋されて流動性のない柔軟状態を有するとともに粘着性を有する含水ゲル状の柔軟効能組成物２２に熟成されて変化する、構成であって、貼付剤と、前記貼付剤を収納した包装用容器とを備え、前記貼付剤は、シート状の保持部材と、前記保持部材の表面の所定の位置領域に付着接合して配置されて積層された柔軟性を有する柔軟効能組成物と、前記柔軟効能組成物の表面に使用時に剥離可能に積層されたシート状の剥離保護部材を備え、前記柔軟効能組成は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される貼付剤収納包装品であって、下記の構成を備える貼付剤収納包装品が実施可能である。
前記包装用容器は、前記貼付剤の形状に沿って変形可能な程度の柔軟性を有し、第一流動温度は常温の約２５℃付近において流動性を有する効能組成物原料を備えた貼付剤が前記包装用容器の中に位置するとともに前記包装用容器が前記貼付剤の形状に沿って密着する状態で、前記貼付剤が前記包装用容器の中に収納されて密封されてなる形態を有し、第三柔軟熟成温度の約２５℃付近において、流動性を有する効能組成物原料を備えた前記貼付剤が前記包装用容器の中に位置するとともに前記包装用容器が前記貼付剤の形状に沿って密着する状態で、前記効能組成物原料が化学構造的に架橋されて流動性を有する流動形態から流動性のない非流動形態に変化されてなる柔軟状態を有する柔軟効能組成物の形態に熟成されてなる熟成形態を有する。
【０１１２】  また、他の構成として、下記の構成も実施可能である。
例えば、第一流動温度は常温の約２５℃付近であり、第二冷却非変形温度は約３℃以下の冷却された温度であり、第三柔軟熟成温度は常温付近の約２５℃付近であって、第三柔軟熟成温度の約２５℃付近において含有される水溶性高分子が三次元の化学構造に架橋されて流動性のない柔軟状態を有するとともに粘着性を有する含水ゲル状の柔軟効能組成物２２に熟成されて変化する、構成であって、貼付剤と、前記貼付剤を収納した包装用容器とを備え、前記貼付剤は、シート状の保持部材と、前記保持部材の表面の所定の位置領域に付着接合して配置されて積層された柔軟性を有する柔軟効能組成物と、前記柔軟効能組成物の表面に使用時に剥離可能に積層されたシート状の剥離保護部材とを備え、前記柔軟効能組成は粘着性を有し、使用時に、前記貼付剤が前記包装用容器から取り出され、取出された前記貼付剤から前記剥離保護部材が剥離されて、前記保持部材に積層して接合された前記柔軟効能組成物を人体皮膚に貼付して使用される貼付剤収納包装品であって、前記包装用容器は、前記貼付剤の形状に沿って変形可能な程度の柔軟性を有し、第一流動温度は常温の約２５℃付近において流動性を有する効能組成物原料を、第二冷却非変形温度としての約マイナス２℃に冷却した所定形状を有する冷却非変形効能組成物原料を備えた保持部材・効能組成物原料・剥離保護部材積層物が前記包装用容器の中に位置するとともに前記包装用容器が前記貼付剤の形状に沿って密着する状態で、前記保持部材・効能組成物原料・剥離保護部材積層物前記包装用容器の中に収納されて密封されてなる形態を有し、第三柔軟熟成温度の約２５℃付近において、効能組成物原料を備えた前記貼付剤が前記包装用容器の中に位置するとともに前記包装用容器が前記貼付剤の形状に沿って密着する状態で、前記効能組成物原料が化学構造的に架橋されて流動性を有する流動形態から流動性のない非流動形態に変化されてなる柔軟状態を有する柔軟効能組成物の形態に熟成されてなる熟成形態を有する。
【０１１３】  上記の架橋性水溶性高分子を含有する構成により、前述の［構成効果ア］を有すると共に下記の［構成効果サ‐ａ］、［構成効果サ‐ｂ］の効果が得られる。
［構成効果サ‐ａ：架橋性水溶性高分子・含水ゲル状柔軟効能組成物・室温熟成］：
本構成において、前述の［構成効果サ］が得られると共に、架橋性水溶性高分子と架橋剤との双方の種類を所望に設計して含有せしめることにより、所望の温度で架橋されて熟成された含水ゲル状柔軟効能組成物を得ることが可能である。例えば、約３０℃を超える温度に昇温する工程を有することなく、約３０℃以下の温度で架橋された含水ゲル状柔軟効能組成物を得ることが可能である。すなわち、（Ａ）工程において「室温の約１０℃〜約３０℃の雰囲気で、流動可能な流動状態を有する流動効能組成物原料を調製する流動効能組成物原料調製工程」を有すると共に、（Ｄ）工程において「室温の約１０℃〜約３０℃の雰囲気中で、前記積層物収納包装品を構成する前記効能組成物原料を流動性のない柔軟状態の柔軟効能組成物に熟成させて変化させるとともに該柔軟効能組成物を前記保持部材に付着接合させて、柔軟効能組成物が前記保持部材に付着接合した保持部材・柔軟効能組成物・剥離保護部材積層物を調製する熟成工程、これにより効能組成物原料が流動性のない柔軟状態を有する柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる」を有する構成が実施可能である。換言すれば、（Ａ）工程、（Ｄ）工程のいずれの工程においても、室温の約１０℃〜約３０℃の雰囲気で製造する構成が実施可能である。
また、この構成により、昇温による水の蒸散が抑制されて含有組成の変動が防止されると共に、昇温に起因する含有成分の熱劣化が抑制される効果が得られる。
更に、含水ゲル組成物はそのゲル成分や薬効成分を自由に設計可能であり、貼付剤を人体に貼付した時に、含水成分に起因する適度の冷感と共に、薬効成分に起因する薬効を奏する貼付剤が得られ、また、皮膚炎症を最小限に抑制可能で皮膚に優しい貼付剤が得られる。
更に、包装用容器の中に収納された状態で効能組成物原料が架橋されて３次元網目化学的構造を生成し、流動性のないゲル状柔軟状態を有する熟成された含水ゲル状柔軟効能組成物を得ることができるために、熟成中における水分などの蒸発に起因する効能組成物の含有組成変化が著しく抑制されて、所望の粘着性や柔軟性を有する貼付剤を安定して製造可能になる。
更に、架橋剤の種類を選択することにより、常温付近で架橋することが可能になるため、包装用容器の中に収納された状態で効能組成物原料を架橋して架橋された柔軟効能組成物を製造でき、架橋された貼付剤を包装容器の中に収納する場合と比べて、製造時間を著しく短縮可能になる。
更に、加熱昇温の為に必要な電力費用も低減されて安価に製造できる効果が得られる。
また、所望の種類の架橋剤を選択して含有することにより、約３０℃以下においては著しく架橋速度が遅く約３０℃〜６０℃の温度領域で架橋が促進されて短時間で製造する製造方法も実施可能である。この方法により、流動効能組成物原料の流動性を有する時間が永いために、（Ａ）工程の流動効能組成物原料を調製してから（Ｃ）工程の積層物包装工程までの時間を所望に設計できる製造方法が得られる。
【０１１４】［構成効果サ‐ｂ：架橋性水溶性高分子・含水ゲル状柔軟効能組成物・はみ出し抑制］：
上記の架橋性水溶性高分子と架橋剤を含有する含水ゲル状柔軟効能組成物が構成される製造方法により、前述の［構成効果サ］が得られると共に、更に、保持部材２１と剥離保護部材２３との間に構成されている含水ゲル状柔軟効能組成物２２が保持部材２１と剥離保護部材２３の間の端部からはみ出す現象が著しく抑制され貼付剤が得られるようになり、その結果、はみ出した柔軟効能組成物２２が包装用容器３の内面に粘着することに起因する貼付剤２を包装用容器３から容易に取り出せないという不便も解消され、更に、貼付剤２を人体皮膚に貼付する場合に、はみ出した含水ゲル状柔軟効能組成物２２が保持部材２１に支持されていないために生じる貼付剤２の表面が粘着性を奏することによる使用者の不快感も著しく抑制された貼付剤収納包装品１を製造できる効果が得られる。
【０１１５】＜水溶性高分子を含有し架橋剤を含有しない柔軟効能組成物を備えた構成について＞
本発明の貼付剤収納包装品において、下記の構成も実施可能である。
柔軟効能組成物として、架橋性水溶性高分子及び／又は非架橋性水溶性高分子を含有し、架橋剤を含有しない柔軟効能組成物を備えた構成も実施可能である。
水溶性高分子としては、前述の架橋性高分子、及び／又は非架橋性水溶性高分子が使用可能である。
［構成効果サ‐ｃ：架橋剤を含有しない水溶性高分子・含水ゲル状柔軟効能組成物］：
水溶性高分子を含有し架橋剤を含有しない柔軟効能組成物を備えた構成において、前述の［構成効果サ：水溶性高分子・含水ゲル状柔軟効能組成物］と類似の効果が得られる。
【０１１６】  第二冷却非変形温度に冷却されてなる水溶性高分子を含有する冷却非変形効能組成物原料から熟成されてなる冷却含水ゲル状柔軟効能組成物を備えた貼付剤を収納貼付剤収納包装品は、下記の効果を奏する。
［構成効果シ：水溶性高分子・含水ゲル状柔軟効能組成物・冷却］：
上記の［構成効果ア］、［構成効果サ‐ａ］、［方法効果サ‐ｂ］が得られると共に、特に、前述の［構成効果ウ：冷却非変形効能組成物原料］が著しく発揮される。
【０１１７】  第二冷却非変形温度に冷却されて切断されてなる水溶性高分子を含有する切断冷却非変形効能組成物原料から熟成されてなる冷却含水ゲル状柔軟効能組成物を備えた貼付剤を収納貼付剤収納包装品は、下記の効果を奏する。
［構成効果ス：水溶性高分子・切断冷却含水ゲル状効能組成物］：
貼付剤２は、保持部材２１と、切断時に変形しない程度の非変形状態を有する前記第二冷却非変形温度において切断された所定形状を有するとともに前記第三柔軟熟成温度において前記保持部材の表面の所定の位置領域に配置されて接合された柔軟効能組成物２２と、保持部材２１の表面に接合された柔軟効能組成物２２の表面を覆って設置された剥離保護部材２３とを備えてなる、構成により、前述の［構成効果ア：貼付剤密着収納］、［構成効果ウ］及び［構成効果エ］が得られると共に、所定形状に切断されている切断含水ゲル状柔軟効能組成物が精確な所望の平面形状や厚さ形状を有し、且つ、包装用容器に密着されて収納されている為に、所望形状を有する貼付剤収納包装品が得られる。
また、所望の形状に切断された切断含水ゲル状柔軟効能組成物が構成されている為に、保持部材に積層される切断含水ゲル状柔軟効能組成物が、所望の厚さ、面積、形状、重量、積層位置などにおいて高精度で形成可能となる。また、包装用容器３に収納された状態で熟成された切断ゲル状柔軟効能組成物を構成するために、熟成された切断ゲル状柔軟効能組成物の組成成分割合も変動することなく安定した組成成分割合の切断ゲル状柔軟効能組成物を構成する貼付剤含有製品が得られる。
また、含水ゲル状柔軟効能組成物原料２２ａを、冷却して、冷却非変形効能組成物原料２２ｂに調製した状態で切断されてなる所定形状の切断冷却非変形効能組成物原料２２ｃを構成する構成において、切断時に使用される刃型に、含水ゲル状効能組成物原料が付着するという欠点が抑制され、量産時の不良発生も抑制されて、生産性が著しく向上する。
このように、良品歩留まりが著しく向上され、所望の品質を有する貼付剤を安定して量産することができ、コストダウンされた貼付剤含有製品が得られる。
切断含水ゲル状柔軟効能組成物としては、架橋された切断含水ゲル状柔軟効能組成物、が望ましく実施される。
【０１１８】＜複数種類の柔軟効能組成物を備えた貼付剤を収納した貼付剤収納包装品について＞
本発明の貼付剤収納包装品において、下記の構成も実施可能である。
前記柔軟効能組成物２２は互いに異なる組成成分を含有する複数種類の柔軟効能組成物を有し、前記複数種類の柔軟効能組成物のそれぞれの柔軟効能組成物２２は、少なくとも粘着性を有すると共に互いに異なる効能を奏し、前記貼付剤２は、シート状の保持部材２１と、前記保持部材２１の表面の所定の位置領域に配置されて接合された複数種類の柔軟効能組成物２２と、前記柔軟効能組成物２２の表面を覆って積層されたシート状の剥離保護部材２３とを備え、（ｉ）前記複数種類の柔軟効能組成物のそれぞれの柔軟効能組成物２２は、所定形状を有し、前記保持部材２１の表面の平面領域に互いに隣り合う位置に配置されるとともに互いに接合されて構成されてなり、又は、（ｉｉ）前記複数種類の柔軟効能組成物のそれぞれの柔軟効能組成物２２は、所定形状を有し、前記保持部材２１の表面の所定領域に互いに重なり合う位置に積層されて配置されて互いに接合されて構成されてなり、前記貼付剤２が前記包装用容器３中に位置するとともに前記包装用容器３が前記貼付剤２の形状に沿って密着する状態で、前記複数種類の柔軟効能組成物２２が柔軟状態を有する柔軟効能組成物２２の形態に熟成された熟成形態を有してなる、構成を備えてなることを特徴とする。
【０１１９】  この構成により、下記の効果が得られる。
［構成効果カ：複数種類の柔軟効能組成物］：
前述の［構成効果ア：貼付剤密着収納］が得られると共に、組成成分の異なる複数種類の柔軟効能組成物２２を、所望の厚さ、面積、形状、重量、積層位置などにおいて高精度で形成可能となり、また、含有する組成成分割合も変動することなく安定して量産形成可能になる。
更に、熟成中における複数種類の柔軟効能組成物の形状が維持されるために、保持部材２１と剥離保護部材２３とに挟まれている複数種類の柔軟効能組成物の保持部材と剥離保護部材との間からのはみ出しが防止される。その結果、はみ出した柔軟効能組成物が包装用容器の内面に粘着することに起因する貼付剤２を包装用容器３から容易に取り出せないという不便が解消される。
更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【０１２０】［構成効果カ−ａ：複数種類の柔軟効能組成物・平面］：
上記の［構成効果カ：複数種類の柔軟効能組成物］に加えて、さらに、一つの保持部材２１の表面領域において互いに隣り合う位置に設置された異なる組成成分の領域を有する柔軟効能組成物２２を容易に形成することが可能となり、その結果、所望の品質を有する貼付剤収納包装品１が安定して得られる。例えば、冷却効能を奏する貼付剤領域、鎮痛効能を奏する柔軟効能組成物領域、強い粘着性を発揮する柔軟効能組成物領域などを、保持部材２１の表面領域の平面方向に、互いに交互に形成することにより、優れた冷却効能及び／又は鎮痛消炎効能等の所望の効能を発揮するとともに優れた粘着性能を有する貼付剤２を備えた貼付剤収納包装品１を得ることができる。
【０１２１】［構成効果カ−ｂ：複数種類の柔軟効能組成物・積層］：
上記の［構成効果カ：複数種類の柔軟効能組成物］に加えて、さらに、保持部材の表面において積層方向に互いに重なり合って異なる組成成分を有する柔軟効能組成物を容易に形成することが可能となり、その結果、所望の品質を有する貼付剤２を安定して量産することができる。例えば、複数種類の溶解性や相溶性の異なる効能成分を含有する柔軟効能組成物において、それぞれの効能成分に最適な複数種類の柔軟効能組成物が積層方向に配置されてなる所望の効能を奏する貼付剤収納包装品１が容易に得られる。
【０１２２】＜保持部材２１の表面からはみ出すことなく前記保持部材の表面に積層された柔軟効能組成物を備えた貼付剤を収納した貼付剤収納包装品について＞
本発明の貼付剤収納包装品において、下記の構成も実施可能である。
前記貼付剤２は、前記柔軟効能組成物２２が前記保持部材２１の表面からはみ出すことなく前記保持部材２１の表面領域に位置する状態で前記柔軟効能組成物２２が前記保持部材２１の表面に積層されてなるとともに、前記剥離保護部材２３が前記柔軟効能組成物２２の表面を覆ってなる状態を有し、前記包装用容器３が前記剥離保護部材２３の表面に密着した形態で形成されてなり、前記包装用容器３が前記貼付剤の形状に沿って密着する状態で構成されてなる、構成を備えることを特徴とする。
【０１２３】  この構成により下記の効果が得られる。
［構成効果コ：はみ出すことなく保持部材の表面領域に位置する柔軟効能組成物］：
前述の［構成効果ア：貼付剤密着収納］が得られると共に、保持部材２１と剥離保護部材２３との間に構成されている柔軟効能組成物２２が保持部材２１と剥離保護部材２３の間の端部からはみ出す現象が著しく抑制され貼付剤２が得られるようになり、その結果、はみ出した柔軟効能組成物が包装用容器の内面に粘着することに起因する貼付剤を包装用容器から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【０１２４】  本発明の貼付剤収納包装品において、下記の構成も実施可能である。
前記貼付剤２は、前記柔軟効能組成物２２が前記保持部材２１の表面の周辺よりも内側領域に位置して保持部材周辺余白部２１ａを形成する状態で前記柔軟効能組成物２２が前記保持部材２１の表面に積層されてなるとともに、前記剥離保護部材２３が前記柔軟効能組成物２２を覆うと共に前記保持部材の保持部材周辺余白部２１ａに密着した形態で形成されてなり、前記包装用容器３が前記貼付剤２の形状に沿って密着する状態で構成されてなる、構成を備えることを特徴とする。
【０１２５】  この構成により下記の効果が得られる。
［構成効果コ−ａ：保持部材周辺余白部］：
貼付剤２は、柔軟効能組成物２２が保持部材２１の表面の周辺よりも内側領域に位置して保持部材周辺余白部２１ａを形成する状態で柔軟効能組成物２２が保持部材２１の表面に積層されてなるとともに、剥離保護部材２３が柔軟効能組成物２２を覆うと共に保持部材２１の保持部材周辺余白部２１ａに密着した形態で形成されてなり、包装用容器３が貼付剤２の形状に沿って密着する状態で構成されてなる構成」により、前述の［構成効果コ］が得られると共に、保持部材２１と剥離保護部材２３との間に構成されている柔軟効能組成物２２が保持部材２１と剥離保護部材２３の間の端部からはみ出す現象が著しく抑制され貼付剤２が得られるようになり、その結果、はみ出した柔軟効能組成物が包装用容器の内面に粘着することに起因する貼付剤を包装用容器から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【０１２６】  保持部材２１の表面の周辺よりも内側領域に位置する保持部材周辺余白部２１ａにおいて、保持部材の周辺から柔軟効能組成物２２の周辺までの距離、すなわち、保持部材周辺余白部２１ａの幅寸法としては、少なくとも、柔軟効能組成物２２の厚さ寸法と同等以上の距離・長さ寸法が望ましい。例えば、保持部材２１に積層される柔軟効能組成物の厚さが２ｍｍである場合には、保持部材周辺余白部２１ａの幅寸法は、約２ｍｍ以上が望ましい。これにより、柔軟効能組成物２２のはみ出しが抑制された貼付剤が得られる。保持部材周辺余白部２１ａの幅寸法が柔軟効能組成物２２の厚さ寸法よりも短い場合には、柔軟効能組成物のはみ出し抑制の効果が低下する傾向がある。
本構成は、例えば、図１の（Ｄ）、図２の（Ｄ）、図３の（Ｄ）に図示されている。
【０１２７】  本発明の貼付剤収納包装品において、下記の構成を備える製造方法も実施可能である。
前記貼付剤２は、前記柔軟効能組成物２２が前記保持部材２１の表面からはみ出すことなく前記保持部材２１の表面領域に位置すると共に前記柔軟効能組成物の端面が露出する状態で前記柔軟効能組成物２２が前記保持部材２１の表面に積層されてなるとともに、前記剥離保護部材２３が前記柔軟効能組成物２２の表面を覆ってなる状態を有し、前記包装用容器３が前記剥離保護部材２３の表面と前記柔軟効能組成物の端面に密着した形態で形成されてなり、前記包装用容器３が前記貼付剤の形状に沿って密着する状態で構成されてなる、構成を備えることを特徴とする。
【０１２８】  この構成により、下記の効果が得られる。
［構成効果コ−ｂ：柔軟効能組成物の端面密着包装］：
「貼付剤は、柔軟効能組成物の端面が露出する状態で柔軟効能組成物が保持部材の表面に積層されてなるとともに、剥離保護部材が柔軟効能組成物の表面を覆うと共に、包装用容器が剥離保護部材の表面と柔軟効能組成物の端面に密着した形態で形成されてなり、包装用容器が前記貼付剤の形状に沿って密着する状態で構成されてなる構成」により、前述の［構成効果コ］が得られると共に、特に、保持部材２１と剥離保護部材２３との間に構成されている柔軟効能組成物２２が保持部材と剥離保護部材の間の端部からはみ出す現象が著しく抑制された貼付剤２が得られるようになり、その結果、そのはみ出した柔軟効能組成物を構成する貼付剤を包装用容器の中に収納した場合にはみ出した柔軟効能組成物が包装用容器の内面に粘着することに起因する貼付剤を包装用容器から容易に取り出せないという不便も解消され、更に、貼付剤２を人体皮膚に貼付する場合に、保持部材２１の表面又は側面からみ出している柔軟効能組成物が粘着性を有することに起因していた貼付した状態における使用者の不快感が解消され、快適に使用できる貼付剤収納包装品が得られる。
【０１２９】＜薬効成分を含有する柔軟効能組成物を備えた貼付剤を収納した貼付剤収納包装品について＞
本発明の貼付剤収納包装品において、下記の構成も実施可能である。
前記柔軟効能組成物２２は水及び／又は薬効成分を含有し、前記包装用容器３から取り出された前記貼付剤２の剥離保護部材２３を前記柔軟効能組成物２２から剥離して、前記保持部材２１に積層して接合された前記柔軟効能組成物２２を人体皮膚に貼付して使用されたとき、前記柔軟効能組成物２２に含有されている前記水及び／又は前記薬効成分に起因する冷却効能及び／又は薬効を奏する、ことを特徴とする。
【０１３０】  この構成により、下記の効果が得られる。
［構成効果セ：冷却効能・薬効］
前記柔軟効能組成物２２が、冷却効能又は冷感効能を奏する成分、及び／又は薬効を奏する薬効成分を含有してなる構成も実施可能であり、このような冷却効能又は冷感効能を奏する成分及び／又は薬効を奏する薬効成分を含有する貼付剤を人体の皮膚に貼付したときに、優れた冷却感又は冷感及び／又は薬効が得られる。
冷却効能又は冷感効能を奏する成分としては、特に制限されないが、例えば、水、メントールなどが実施可能である。
薬効を奏する薬効成分としては、特に制限されないが、例えば、経皮吸収性を有する薬効成分であって、前述のインドメタシン、ロキソプロフェン、ロキソプロフェンナトリウム、ケトプロフェン、ジクロフェナック、ジクロフェナックナトリウム、イブプロフェン、ケトロラク、リドカイン、フルルビプロフェン、テルビナフィン等の鎮痛消炎効能を奏する薬効成分が実施可能である。
【０１３１】  本発明の貼付剤収納包装品において、下記の構成を備える製造方法も実施可能である。
前記柔軟効能組成物２２は互いに組成成分の異なる複数種類の柔軟効能組成物２２を有し、前記複数種類の柔軟効能組成物のそれぞれの柔軟効能組成物２２は互いに異なる効能を奏し、前記複数種類の柔軟効能組成物のそれぞれの柔軟効能組成物２２は前記保持部材の表面の所定領域に設置されて構成されてなり、（ｉ）変形しない程度の非変形状態を有する前記第二冷却非変形温度において所定形状を有するとともに前記第三柔軟熟成温度において前記保持部材の表面の平面領域に互いに接合された所定形状を有する前記それぞれの柔軟効能組成物２２が、前記保持部材２１の表面の平面領域に互いに隣り合う位置に配置されるとともに互いに接合されて構成されてなり、前記複数種類の柔軟効能組成物２２は、少なくとも、経皮吸収性の薬効成分を含有する第一柔軟効能組成物と、人体皮膚に貼付したときに前記第一柔軟効能組成物よりも強い粘着性を奏する第二柔軟効能組成物とを備えてなる、ことを特徴とする。
【０１３２】  この構成により、下記の効果が得られる。
［構成効果カ−ａ：経皮吸収性薬効成分と強粘着性・平面］：
この構成により、貼付剤収納包装品に収納されている貼付剤２を人体皮膚に貼付した場合に、所望の経皮吸収性薬効を奏する貼付剤収納包装品が得られる。例えば、鎮痛消炎剤を含有する柔軟効能組成物を備える構成においては鎮痛消炎効能を有すると共に強い粘着力を奏する効能を奏する貼付剤収納包装品が得られる。又は、鎮痛消炎剤を含有する柔軟効能組成物とメントールを含有する柔軟効能組成物とを備えた構成において、前述の鎮痛消炎効能を有すると共に優れた冷感を奏する貼付剤収納包装品が得られる。
【実施例】
【０１３３】  以下、本発明の貼付剤の製造方法及び貼付剤について典型的実施例を説明する。【０１３４】（典型的実施例１：各種流動効能組成物原料の調製）
（典型的実施例１−１）
流動可能な流動状態を有するＡ１流動効能組成物原料２２ａを調製する流動効能組成物原料調製工程：
約２５℃の室温雰囲気中において、ポリアクリル酸とポリアクリル酸ナトリウムとカルボキシメチルセルロースナトリウムと水とを混合して第一溶解物を得る。別途、ポリビニルアルコールを水に添加して溶解して第二溶解物を得る。これら第一溶解物と第二溶解物とグリセリンとパラベンとメントールと酒石酸と架橋剤と残りの水を加えて、よく撹拌混合する。これに別途用意した架橋剤水溶液を加えて混合する。
このようにして、ポリアクリル酸２ｇ、ポリアクリル酸ナトリウム４ｇ、ポリビニルアルコール３ｇ、グリセリン１８ｇ、カルボキシメチルセルロースナトリウム１ｇ、メントール約０．１ｇ、パラベン約０．１ｇ、微量の酒石酸、微量の架橋剤（硫酸アルミニウム、水酸化アルミニウム）、及び、水（残部）合計１００ｇを含有するＡ１流動効能組成物原料２２ａを調製する。
このようにして調製されたＡ１流動効能組成物原料２２ａは、第一流動温度としての約１０℃以上の温度領域で流動可能な流動状態を有し、第二冷却非変形温度としての約３℃以下の温度領域で切断可能な非変形状態になり、第三非流動温度としての約７℃〜約３０℃の温度領域で流動性のない含水ゲル状柔軟効能組成物になる。なお、Ａ１流動効能組成物原料２２ａは第三非流動温度としての約７℃〜約３０℃の温度領域で、含有されている水溶性高分子が架橋されて化学構造式において三次元構造の網目構造になって、流動性のない粘着性を有するとともに保形性を有する含水ゲル状柔軟効能組成物に熟成されて変化する性質を有する。また、第三非流動温度において非流動状態になった含水ゲル状柔軟効能組成物は、約４０度に昇温した場合においても非流動状態を維持する性質を有する。
この含水ゲル状柔軟効能組成物を構成した貼付剤は、人体に貼付されて使用された場合、冷却効能又は冷感効能を奏する効果を有する。
また、Ａ１流動効能組成物原料２２ａは、約２５℃の室温雰囲気中において、架橋剤の混合直後から架橋反応が進行して、ゲル状の流動状態から、徐々に、流動性のない柔軟性を有する柔軟効能組成物に熟成して変化する性質を有する。通常、架橋剤の混合直後から徐々に流動性が低くなり、約６０分後には流動性のない非流動状態になり、更に、時間の経過とともに更に架橋反応が進行して、所定の粘着性と柔軟性を有する柔軟効能組成物に熟成して変化する性質を有する。【０１３５】（典型的実施例１−２）
流動可能な流動状態を有するＡ２動効能組成物原料２２ａを調製する流動効能組成物原料調製工程：
前述の典型的実施例１−１において、さらに、鎮痛消炎効能を奏する薬効成分としてのインドメタシン約０．１ｇを加えて混合・溶解する工程を有する。このようにして、各成分が均一に混合されたＡ２流動効能組成物原料２２ａを調製する。
このようにして調製されたＡ２流動効能組成物原料１３ａは、第一流動温度としての約１０℃以上の温度領域で流動可能な流動状態を有し、第二冷却非変形温度としての約３℃以下の温度領域で切断可能な非変形状態になり、第三非流動温度としての約７℃〜約３０℃の温度領域で流動性のない含水ゲル状柔軟効能組成物になる。
なお、Ａ２流動効能組成物原料２２ａは第三非流動温度としての約７℃〜約３０℃の温度領域で、含有されている水溶性高分子が架橋されて化学構造式において網目構造になって、流動性のない粘着性を有するとともに保形性を有する含水ゲル状柔軟効能組成物に熟成されて変化する性質を有する。また、第三非流動温度において非流動状態になった含水ゲル状柔軟効能組成物は、約４０度に昇温した場合においても非流動状態を維持する性質を有する。
この含水ゲル状柔軟効能組成物を構成した貼付剤は、人体に貼付されて使用された場合、冷却効能又は冷感効能を奏するとともに鎮痛消炎効能を奏する効果を有する。
また、Ａ１流動効能組成物原料２２ａは、約２５℃の室温雰囲気中において、架橋剤の混合直後から架橋反応が進行して、ゲル状の流動状態から、徐々に、流動性のない柔軟性を有する柔軟効能組成物に熟成して変化する性質を有する。通常、架橋剤の混合直後から徐々に流動性が低くなり、約６０分後には流動性のない非流動状態になり、更に、時間の経過とともに更に架橋反応が進行して、所定の粘着性と柔軟性を有する柔軟効能組成物に熟成して変化する性質を有する。【０１３６】（典型的実施例２−１）
冷却効能又は冷感効能を奏する含水ゲル状の柔軟効能組成物を備えた貼付剤を収納した貼付剤収納包装品の製造方法の典型的実施例について、図１に示される貼付剤収納包装品の製造方法を説明する。【０１３７】・［Ａ工程：流動効能組成物原料調製工程］：
前記の（典型的実施例１−１）において調製された架橋性を有する含水ゲル状のＡ１流動効能組成物原料２２ａを準備する。【０１３８】・［Ｂ工程：積層部材積層工程：保持部材・流動効能組成物原料・剥離保護部材積層工程］：
図１の（Ｂ）に示されるように、ポリエチレンテレフタレート製繊維及びその他の繊維、結合剤等を含有する厚さ約１ｍｍ、縦幅約５０ｍｍ、横幅約１２０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約５０ｍｍ、横幅約１２０ｍｍのポリプロピレン製の剥離保護部材２３を準備する。
約２５℃の室温雰囲気中において、保持部材２１の表面に約５ｍｍの保持部材周辺余白部２１ａを形成する状態で、前記Ａ工程により調製されたＡ１流動効能組成物原料２２ａを、そのＡ１流動効能組成物原料の調製後から約２０分以内に、厚さ約２ｍｍ、縦幅約４０ｍｍ、横幅約１１０ｍｍの形状で付着して積層するとともに、その流動効能組成物原料２２ａと保持部材周辺余白部２１ａとを覆う状態で剥離保護部材２３を積層し、このようにして保持部材・効能組成物原料・剥離保護部材積層物を調製する。
この工程において、保持部材２１の表面の保持部材周辺余白部２１ａの内側に、縦幅約４０ｍｍ、横幅約１１０ｍｍの形状のプラスチック製の枠体を設置し、その枠体の内側に流動性ゲル状のＡ１流動効能組成物原料２２ａを投入して保持部材周辺余白部２１ａを形成する形態になるように厚さ約２ｍｍ、縦幅約４０ｍｍ、横幅約１１０ｍｍの形状を有するＡ１流動効能組成物原料２２ａを保持部材２１の表面に積層する。【０１３９】・［Ｃ：積層物包装工程］工程：
図１の（Ｃ）に示されるように、ポリエチレンフィルム（厚さ約４０μｍ）とアルミニウム箔（厚さ約９μｍ）とポリエチレンテレフタレートフィルム（厚さ約１２μｍ）との３層からなり、各層が数μｍ厚の接着剤により接合されてなる厚さ約０．０７ｍｍ（厚さ約７０μｍ）のフィルム状の包装用容器３を準備する。ここで、フィルム状の包装用容器３はその周囲が開口された状態を有するとともに、少なくとも保持部材・効能組成物原料・剥離保護部材積層物の大きさ（縦幅約５０ｍｍ、横幅約１２０ｍｍ）よりも約５ｍｍ以上大きな形状を有する。別途、真空ポンプとチャンバー内部にヒートシール装置を備えると共にチャンバーの内部を減圧可能な真空包装装置（図示なし）を準備する。
約２５℃の室温雰囲気中において、Ａ１流動効能組成物原料の調製後から約３０分以内に、上記の保持部材・効能組成物原料・剥離保護部材積層物を、ポリエチレン層が互いに対向する状態で位置する上下２枚のフィルム状の包装用容器３の間に位置し、その状態で真空包装装置の内部を約１００ｍｍＨｇ以下の減圧状態に減圧して、減圧状態で保持部材・効能組成物原料・剥離保護部材積層物の周囲から約５ｍｍ以上の間隔をあけた領域の開口部をヒートシール装置により押圧・加熱して、包装用容器３の開口部を溶融融着して接合して密封する。
その後、チャンバーの内部を大気圧（約７６０ｍｍＨｇ、常圧）に戻す。これにより、包装用容器３の周囲が熱融着シールされると共に、包装用容器３の内部が減圧状態になり、その包装用容器３の中に収納された保持部材・効能組成物原料・剥離保護部材積層物が包装用容器３の中に位置する状態で、包装用容器３が保持部材・効能組成物原料・剥離保護部材積層物の形状に沿って変形して密着する状態になった積層物収納包装品が調製される。すなわち、包装用容器の内部と外部との気圧差により、包装用容器３が保持部材・効能組成物原料・剥離保護部材積層物の形状に沿って変形して密着する状態を有する積層物収納包装品が得られる。
ここで、剥離保護部材２３が効能組成物原料２２ａの表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。【０１４０】・［Ｄ：効能組成物原料熟成工程］工程：
図１の（Ｄ）に示されるように、（Ｃ）工程により調製された積層物収納包装品を、約２５℃の室温雰囲気中に約６０分以上載置する。
約２５℃雰囲気中に載置された状態で、積層物収納包装品を構成する流動効能組成物原料２２ａを流動性のない柔軟状態の柔軟効能組成物２２に架橋させて熟成させて変化させるとともに、柔軟効能組成物２２を保持部材２１に付着接合させて、柔軟効能組成物２２が保持部材２１に付着接合した保持部材・柔軟効能組成物・剥離保護部材積層物を形成する。これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。【０１４１】  ここで、包装用容器３は剥離保護部材２３を介して流動効能組成物原料２２ａの表面と端部と保持部材２１の周辺余白部２１ａに密着する状態を維持した状態で、流動効能組成物原料２２ａが柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３が柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２は、保持部材２１の表面からはみ出すことなく保持部材２１の周辺余白部２１ａを形成した状態で保持部材２１の表面に付着形成された貼付剤収納包装品が得られる。【０１４２】  また、包装用容器の内側と外側の気圧差に起因して、微細凹凸表面を有する不織布製の保持部材２１の表面に付着している効能組成物原料２２ａが剥離保護部材２３を介して、保持部材・効能組成物原料・剥離保護部材積層物の表面側と裏面側とに位置するフィルム状の包装用容器に挟まれた状態で、保持部材２１と効能組成物原料２２ａとが互いに加圧され、これにより、効能組成物原料２２ａの一部が保持部材２１の微細凹凸表面の凹凸の内部に入り込む状態を形成し、その状態で効能組成物原料２２ａが架橋して熟成されて流動性のない柔軟状態の柔軟効能組成物２２に変化される。このようにして柔軟状態の柔軟効能組成物２２が保持部材２１から剥がれることなく接合して構成される貼付剤が形成される。
このようにして、縦幅約５０ｍｍ、横幅約１２０ｍｍの大きさの貼付剤を収納した貼付剤収納包装品が得られる。【０１４３】  本実施例の貼付剤収納包装品の製造方法又は本実施例の貼付剤収納包装品において、前述の［方法効果ア］、［構成効果ア］が得られるとともに、［方法効果イ］、［方法効果ク］、［方法効果クケ］、［方法効果コ−ａ］、［方法効果サ‐ａ］、［方法効果サ‐ｂ］、［構成効果イ］、［構成効果ク］、［構成効果クケ］、［構成効果サ］、［構成効果サ‐ｂ］、［構成効果コ−ａ］、等の作用効果が得られる。【０１４４】  本実施例の前述の（Ｃ）工程において、真空包装装置の内部を約６００ｍｍＨｇの減圧状態に減圧した構成においても、上記と同じ効果が得られる。また、真空包装装置の内部を約３０ｍｍＨｇの減圧状態に減圧した構成においても、上記と同じ効果が得られる。【０１４５】（典型的実施例２−２）
冷却効能又は冷感効能と鎮痛消炎効能を奏する含水ゲル状柔軟効能組成物を備えた貼付剤収納包装品の一実施例を説明する。
前述の典型的実施例２において、Ａ１流動効能組成物原料２２ａに替えて、
前記の（典型的実施例１−２）において調製された鎮痛効能を奏する架橋性を有する含水ゲル状のＡ２流動効能組成物原料２２ａを準備する。
その他の工程は、前述の（典型的実施例２−１）の工程と同じ工程を備える。
これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０１４６】  本実施例の貼付剤収納包装品の製造方法又は本実施例の貼付剤収納包装品において、前述の［方法効果ア］、［構成効果ア］が得られると共に、［方法効果イ］、［方法効果ク］、［方法効果クケ］、［方法効果コ−ａ］、［方法効果サ‐ａ］、［方法効果サ‐ｂ］、［構成効果イ］、［構成効果ク］、［構成効果クケ］、［構成効果サ］、［構成効果サ‐ｂ］、［構成効果コ−ａ］、及び、［方法効果セ］、［構成効果セ］等の作用効果が得られる。【０１４７】（比較例２ａ）
前記典型的実施例２−１において、それぞれの工程に替えて、図１２に示される従来の製造工程に一部類似の下記の工程を備える。
・［図１２（ａ）工程に類似の工程］：
約２５℃の室温雰囲気中において、前記の（典型的実施例１−１）において調製された架橋性を有する含水ゲル状のＡ１流動効能組成物原料２２ａを準備する。【０１４８】・［図１２（ｂ−イ）工程に類似の工程］：
ポリエチレンテレフタレート製繊維及びその他の繊維、結合剤等を含有する厚さ約１ｍｍ、縦幅約５０ｍｍ、横幅約１２０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約５０ｍｍ、横幅約１２０ｍｍのポリプロピレン製の剥離保護部材２３を準備する。
約２５℃の室温雰囲気中において、保持部材２１の表面に約５ｍｍの保持部材周辺余白部２１ａを形成する状態で、Ａ工程により調製されたＡ１流動効能組成物原料２２ａを、そのＡ１流動効能組成物原料の調製後から約２０分以内に、移し替えて積層するとともに剥離保護部材２３を積層する。このようにして、厚さ約２ｍｍ、縦幅約４０ｍｍ、横幅約１１０ｍｍの流動効能組成物原料２２ａと保持部材周辺余白部２１ａとを覆う状態で剥離保護部材２３を積層して保持部材・効能組成物原料・剥離保護部材積層物を調製する。この工程において、保持部材２１の表面の保持部材周辺余白部２１ａの内側に、縦幅約４０ｍｍ、横幅約１１０ｍｍの形状のプラスチック製の枠体を設置し、その枠体の内側に流動性ゲル状のＡ１流動効能組成物原料２２ａを投入して保持部材周辺余白部２１ａを形成する形態になるように厚さ約２ｍｍ、縦幅約４０ｍｍ、横幅約１１０ｍｍの形状を有するＡ１流動効能組成物原料２２ａを保持部材２１の表面に積層する。【０１４９】・［図１２（ｂ−ハ）工程、（ｃ−イ）工程に類似の工程］：
約２５℃雰囲気中に載置された状態で、流動効能組成物原料２２ａを流動性のない柔軟状態の柔軟効能組成物２２に架橋させて熟成させて変化させるとともに、柔軟効能組成物２２を保持部材２１に付着接合させて、柔軟効能組成物２２が保持部材２１に付着接合した保持部材・柔軟効能組成物・剥離保護部材積層物を形成する。これにより、流動効能組成物原料２２ａが柔軟効能組成物２２に熟成されて変化した構成を有する保持部材・柔軟効能組成物・剥離保護部材を備えた貼付剤２を形成する。
ここで、保持部材・流動効能組成物原料・剥離保護部材においては、図１２（ｂ‐ハ）に示されるように、流動効能組成物原料２２ａが架橋するまでの流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。
そして、図１２（ｃ‐イ）に示されるように、時間の経過とともに流動効能組成物原料２２ａは流動性状態から流動性のない柔軟状態の柔軟効能組成物２２に架橋されて熟成されて変化するとともに柔軟効能組成物２２を保持部材に付着接合させて、柔軟効能組成物２２が保持部材に付着接合した保持部材・柔軟効能組成物・剥離保護部材積層物を備えた貼付剤が得られる。ここで、はみ出している流動効能組成物原料２２ａも流動性状態から流動性のない粘着性を有する柔軟状態の柔軟効能組成物２２に熟成されて変化される。【０１５０】・［図１２（ｄ−イ）工程に類似の工程］：
前記典型的実施例２−１において使用したものと同じ厚さ約０．１ｍｍ以下のフィルム状の包装用容器３を準備し、その上下２枚のフィルム状の包装用容器３の間に前記（ｃ‐イ）工程により調製された貼付剤を位置する状態で、貼付剤の周囲から約５ｍｍ以上の間隔をあけた領域の包装用容器３の開口部をヒートシール装置により押圧・加熱して、包装用容器３の開口部を溶融融着して接合して密封する。このようにして、貼付剤を包装用容器３の中に収納した貼付剤収納包装品が得られる。ここで、包装用容器３は貼付剤に密着する状態で収納されない。
このようにして、縦幅約５０ｍｍ、横幅約１２０ｍｍの大きさの貼付剤を収納した貼付剤収納包装品が得られる。
すなわち、柔軟効能組成物２２が貼付剤の端面からはみ出した状態となる貼付剤収納包装品１が得られる。【０１５１】（比較例２ｂ）
前記典型的実施例２−１において、それぞれの工程に替えて、図１２に示される従来の製造工程に一部類似の下記の工程を備える。
［典型的実施例２−１のＡ工程（流動効能組成物原料調製工程に準じる工程］：［図１２（ａ）工程に類似の工程］：
約２５℃の室温雰囲気中において、前記の（典型的実施例１−１）において調製された架橋性を有する含水ゲル状のＡ１流動効能組成物原料２２ａを準備する。【０１５２】［典型的実施例２−１のＢ工程（積層部材積層工程：保持部材・流動効能組成物原料・剥離保護部材積層工程に準じる工程）］：［図１２（ｂ−イ）工程に類似の工程］：
ポリエチレンテレフタレート製繊維及びその他の繊維、結合剤等を含有する厚さ約１ｍｍ、縦幅約５０ｍｍ、横幅約１２０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約５０ｍｍ、横幅約１２０ｍｍのポリプロピレン製の剥離保護部材２３を準備する。
約２５℃の室温雰囲気中において、保持部材２１の表面に約５ｍｍの保持部材周辺余白部２１ａを形成する状態で、Ａ工程により調製されたＡ１流動効能組成物原料２２ａを、そのＡ１流動効能組成物原料の調製後から約２０分以内に、移し替えて積層するとともに剥離保護部材２３を積層する。このようにして、厚さ約２ｍｍ、縦幅約４０ｍｍ、横幅約１１０ｍｍの流動効能組成物原料２２ａと保持部材周辺余白部２１ａとを覆う状態で剥離保護部材２３を積層して保持部材・効能組成物原料・剥離保護部材積層物を調製する。この工程において、保持部材２１の表面の保持部材周辺余白部２１ａの内側に、縦幅約４０ｍｍ、横幅約１１０ｍｍの形状のプラスチック製の枠体を設置し、その枠体の内側に流動性ゲル状のＡ１流動効能組成物原料２２ａを投入して保持部材周辺余白部２１ａを形成する形態になるように厚さ約２ｍｍ、縦幅約４０ｍｍ、横幅約１１０ｍｍの形状を有するＡ１流動効能組成物原料２２ａを保持部材２１の表面に積層する。【０１５３】・［Ｃ：積層物包装工程］工程：
前記典型的実施例２−１において使用したものと同じ厚さ約０．１ｍｍ以下のフィルム状の包装用容器３を準備し、
約２５℃の室温雰囲気中及び常圧雰囲気中において、Ａ１流動効能組成物原料の調製後から約３０分以内に、上記の保持部材・効能組成物原料・剥離保護部材積層物を、ポリエチレン層が互いに対向する状態で位置する上下２枚のフィルム状の包装用容器３の間に位置し、保持部材・効能組成物原料・剥離保護部材積層物の周囲から約５ｍｍ以上の間隔をあけた領域の開口部をヒートシール装置により押圧・加熱して、包装用容器３の開口部を溶融融着して接合して密封する。このようにして、包装用容器３の中に保持部材・効能組成物原料・剥離保護部材積層物が密封されて収納された積層物収納包装品が得られる。ここで、包装用容器３は保持部材・効能組成物原料・剥離保護部材積層物に密着する状態で収納されない。【０１５４】・［Ｄ：効能組成物原料熟成工程］工程：
上記（Ｃ）工程により調製された積層物収納包装品を、約２５℃の室温雰囲気中に約６０分以上載置する。
約２５℃雰囲気中に載置された状態で、流動効能組成物原料２２ａを流動性のない柔軟状態の柔軟効能組成物２２に架橋させて熟成させて変化させるとともに、柔軟効能組成物２２を保持部材２１に付着接合させて、柔軟効能組成物２２が保持部材２１に付着接合した保持部材・柔軟効能組成物・剥離保護部材積層物を形成する。これにより、流動効能組成物原料２２ａが柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。
ここで、保持部材・流動効能組成物原料・剥離保護部材においては、図１２（ｂ‐ハ）に示されるように、流動効能組成物原料２２ａが架橋するまでの流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。
そして、図１２（ｄ‐イ）に示されるように、時間の経過とともに流動効能組成物原料２２ａは流動性状態から流動性のない柔軟状態の柔軟効能組成物２２に架橋されて熟成されて変化するとともに柔軟効能組成物２２を保持部材に付着接合させて、柔軟効能組成物２２が保持部材に付着接合した保持部材・柔軟効能組成物・剥離保護部材積層物を備えた貼付剤を収納した貼付剤２が得られる。ここで、はみ出している流動効能組成物原料２２ａも流動性状態から流動性のない粘着性を有する柔軟状態の柔軟効能組成物２２に熟成されて変化される。
すなわち、柔軟効能組成物２２が貼付剤の端面からはみ出した状態となる貼付剤収納包装品１が得られる。【０１５５】（比較例２ｃ）
（比較例２ｃ）
包装用容器として、上面開口された収容凹部とその凹部の周縁に形成された鍔とを有するブリスタ型容器本体と容器蓋体とを備えた包装用容器を構成する貼付剤収納包装品について説明する。一般に、ブリスタ型容器本体としては、携帯時、流通時、保存時等に加わる力に耐える機械的強度を有するように設計された材質を有するものが好ましく実施されている。すなわち、外圧に耐える機械的強度を有し、外圧により変形しないように構成されたブリスタ型容器本体が構成されている。本比較例において、ブリスタ型容器本体として、上面開口された収容凹部（横約５５ｍｍ、縦約１２５ｍｍｍ、深さ約３ｍｍ）とその凹部の周縁に形成された鍔（鍔の幅約５ｍｍ）とを有する厚さ約０．７ｍｍのＰＥＴ（ポリエチレンテレフタレート）製のブリスタ型容器が構成される。ブリスタ型容器の収容凹部の大きさは、保持部材・効能組成物原料・剥離保護部材積層物の大きさ（縦幅約５０ｍｍ、横幅約１２０ｍｍ）よりも約５ｍｍ以上大きな形状を有する。また、容器蓋体としては、典型的実施例２−１に構成される包装用容器と同じ材質の熱融着密封可能であるとともに変形可能な柔軟性を有するラミネートフィルムが構成される。【０１５６】・［Ａ工程：流動効能組成物原料調製工程］：
前述の（典型的実施例１−１）において調製された架橋性を有する含水ゲル状のＡ１流動効能組成物原料２２ａを準備する。
・［Ｂ工程：積層部材積層工程：保持部材・流動効能組成物原料・剥離保護部材積層工程］：
前述の（典型的実施例２−１）と同じ工程により、保持部材・効能組成物原料・剥離保護部材積層物を調製する。【０１５７】・［Ｃ：積層物包装工程］工程：
約２５℃の室温雰囲気中において、Ａ１流動効能組成物原料の調製後から約３０分以内に、上記（Ｂ）工程により調製された保持部材・効能組成物原料・剥離保護部材積層物を、包装用容器３の中に位置し、その状態で真空包装装置の内部を約１００ｍｍＨｇ以下の減圧状態に減圧して、減圧状態で、ブリスタ型容器本体の鍔と容器蓋体とを互いに溶融融着して接合して密封する。その後、チャンバーの内部を常圧（約７６０ｍｍＨｇ）に戻す。これにより、包装用容器３の周囲が熱融着シールされると共に、包装用容器３の内部が減圧状態になった積層物収納包装品が調製される。
ここで、形成される積層物収納包装品の容器蓋体は保持部材・効能組成物原料・剥離保護部材積層物の形状に沿って変形して密着する状態になるが、しかしながら、ブリスタ型容器本体は変形することなく、減圧密封前と同じ形状を維持している。【０１５８】・［Ｄ：効能組成物原料熟成工程］工程：
前述の（典型的実施例２−１）と類似の工程により、（Ｃ）工程により調製された積層物収納包装品を、約２５℃の室温雰囲気中に約６０分以上載置する。これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。
ここで、流動効能組成物原料２２ａが、保持部材２１の周辺からはみ出した状態となり、そのはみ出し状態で柔軟効能組成物２２に架橋されて熟成されて、保持部材・柔軟効能組成物・剥離保護部材積層物を備えた該貼付剤２が包装用容器３に収納された貼付剤収納包装品１が得られる。
すなわち、柔軟効能組成物２２が貼付剤の端面からはみ出した状態となる貼付剤収納包装品１が得られる。【０１５９】（比較例２ａ、比較例２ｂ、比較例２ｃにより製造された貼付剤収納包装品の状態のまとめ）
上記の比較例２ａ、比較例２ｂ及び比較例２ｃのいずれの貼付剤収納包装品においても、保持部材と剥離保護部材との間に構成されている柔軟効能組成物が保持部材と剥離保護部材の間の端部からはみ出した貼付剤が製造されるという不良が生じる傾向がある。そのはみ出した柔軟効能組成物を構成する貼付剤を包装用容器の中に収納した場合に、はみ出した柔軟効能組成物が包装用容器の内面に粘着し、貼付剤を包装用容器から容易に取り出せないという不便が生じる傾向にある。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる傾向がある。【０１６０】（典型的実施例３−１）
含水ゲル状の柔軟効能組成物を備えた貼付剤収納包装品の製造：
図２に示される効能組成物原料を冷却する工程を備えた貼付剤収納包装品の製造方法の典型的実施例について説明する。【０１６１】・［Ａ工程：流動効能組成物原料調製工程］：
前記の（典型的実施例１−１）において調製された架橋性を有する含水ゲル状のＡ１流動効能組成物原料２２ａを準備する。約２５℃の室温雰囲気中において、含水ゲル状のＡ１流動効能組成物原料２２ａを、縦幅約４０ｍｍ、横幅約１１０ｍｍ、高さ約２ｍｍ以上のポリスチレン製容器の中に厚さ約２ｍｍになるように投入する。
・［（Ａ）冷却所定形状形成工程］：
前記流動効能組成物原料２２ａを容れたポリスチレン製容器を、非変形状態になる約−１０〜約３℃の第二冷却非変形温度に冷却して、流動効能組成物原料２２ａを非変形状態の冷却非変形効能組成物原料２２ｂに調製する。これにより、厚さ約２ｍｍ、縦幅約４０ｍｍ、横幅約１１０ｍｍの非変形状態の冷却非変形効能組成物原料２２ｂを調製する。【０１６２】・［Ｂ工程：積層部材積層工程：保持部材・冷却非変形効能組成物原料・剥離保護部材積層工程］：
図２の（Ａ）に示されるように、別途、厚さ０．１ｍｍ以下、縦幅約５０ｍｍ、横幅約１２０ｍｍのポリプロピレン製の剥離保護部材２３を準備する。
約２５℃の室温雰囲気中において、保持部材２１の表面に約５ｍｍの保持部材周辺余白部２１ａを形成する状態で、前記Ａ工程により調製された冷却非変形効能組成物原料２２ｂを積層するとともに、その冷却非変形効能組成物原料２２ｂと保持部材周辺余白部２１ａとを覆う状態で剥離保護部材２３を積層し、このようにして保持部材・効能組成物原料・剥離保護部材積層物を調製する。ここで、冷却非変形効能組成物原料２２ｂは非変形状態を維持する。【０１６３】・［Ｃ：積層物包装工程］工程：
図２の（Ｂ）に示されるように、ポリエチレンテレフタレート製繊維及びその他の繊維、結合剤等を含有する厚さ約１ｍｍ、縦幅約５０ｍｍ、横幅約１２０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
また、ポリエチレンフィルムとアルミ箔とポリエチレンテレフタレートフィルムとの３層からなる厚さ約０．１ｍｍ以下のフィルム状の包装用容器３を準備する。ここで、フィルム状の包装用容器３はその周囲が開口された状態を有する。
保持部材２１の表面の所定の位置領域に冷却非変形効能組成物原料２２ｂと剥離保護部材２３を、剥離保護部材２３が表面側に位置する状態で積層して保持部材・効能組成物原料・剥離保護部材積層物を調製する。ここで、冷却非変形効能組成物原料２２ｂは非変形状態を維持する、
別途、真空ポンプとチャンバー内部にヒートシール装置を備えると共にチャンバーの内部を減圧可能な真空包装装置（図示なし）を準備する。
約２５℃の室温雰囲気中において、上記の保持部材・効能組成物原料・剥離保護部材積層物を、ポリエチレン層が互いに対向する状態で位置する上下２枚のフィルム状の包装用容器３の間に位置し、その状態で真空包装装置の内部を約１００ｍｍＨｇ以下の減圧状態に減圧して、減圧状態で保持部材・効能組成物原料・剥離保護部材積層物の周囲から約５ｍｍ以上の間隔をあけた領域の開口部をヒートシール装置により押圧・加熱して、包装用容器３の開口部を溶融融着して接合して密封する。
その後、チャンバーの内部を常圧（約７６０ｍｍＨｇ）に戻す。これにより、包装用容器３の周囲が熱融着シールされると共に、包装用容器３の内部が減圧状態になり、その包装用容器３の中に収納された保持部材・効能組成物原料・剥離保護部材積層物が包装用容器３の中に位置する状態で、包装用容器３が保持部材・効能組成物原料・剥離保護部材積層物の形状に沿って変形して密着する状態になった積層物収納包装品が調製される。すなわち、包装用容器の内部と外部との気圧差により、包装用容器３が保持部材・効能組成物原料・剥離保護部材積層物の形状に沿って変形して密着する状態を有する積層物収納包装品が得られる。
ここで、剥離保護部材２３が冷却非変形効能組成物原料２２ｂの表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。ここで、前記冷却非変形効能組成物原料２２ｂは非変形状態を維持する。【０１６４】・［Ｄ：効能組成物原料熟成工程］工程：
図２の（Ｄ）に示されるように、（Ｃ）工程により調製された積層物収納包装品を、約２５℃の室温雰囲気中に約６０分以上載置する。
約２５℃雰囲気中に載置された状態で、積層物収納包装品を構成する冷却非変形効能組成物原料２２ｂは、約２５℃に昇温する過程及び約２５℃において、流動性のない柔軟状態の柔軟効能組成物２２に架橋されて熟成されて変化させるとともに、柔軟効能組成物２２が保持部材２１に付着接合されて、柔軟効能組成物２２が保持部材２１に付着接合した保持部材・柔軟効能組成物・剥離保護部材積層物が形成される。これにより、冷却非変形効能組成物原料２２ｂが粘着性を有すると共に流動性のない柔軟効能組成物２２に熟成されて変化した構成を有する保持部材・柔軟効能組成物・剥離保護部材を備えた貼付剤２が形成されると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０１６５】  ここで、包装用容器３は剥離保護部材２３を介して冷却非変形効能組成物原料２２ｂの表面と端部と保持部材２１の周辺余白部２１ａに密着する状態を維持した状態で、効能組成物原料が柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３が柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２は、保持部材２１の表面からはみ出すことなく保持部材２１の周辺余白部２１ａを形成した状態で保持部材２１の表面に付着形成された貼付剤収納包装品が得られる。【０１６６】  また、包装用容器の内側と外側の気圧差に起因して、微細凹凸表面を有する不織布製の保持部材２１の表面に付着している冷却非変形効能組成物原料２２ｂが剥離保護部材２３を介して、保持部材・効能組成物原料・剥離保護部材積層物の表面側と裏面側とに位置するフィルム状の包装用容器に挟まれた状態で、保持部材２１と冷却非変形効能組成物原料２２ｂとが互いに加圧される。約２５℃に昇温する過程及び約２５℃において冷却非変形効能組成物原料２２ｂは流動性を有する効能組成物原料２２ａの形態になると共にその効能組成物原料２２ａの一部が保持部材２１の微細凹凸表面の凹凸の内部に入り込む状態を形成し、その状態で効能組成物原料が架橋して熟成されて流動性のない柔軟状態の柔軟効能組成物２２に変化される。このようにして柔軟状態の柔軟効能組成物２２が保持部材２１から剥がれることなく接合して構成される貼付剤が形成される。【０１６７】  本実施例の貼付剤収納包装品の製造方法又は本実施例の貼付剤収納包装品において、前述の［方法効果ア］、［構成効果ア］が得られると共に、［方法効果ウ］、［方法効果ク］、［方法効果コ−ａ］、［方法効果サ‐ａ］、［構成効果サ‐ｂ］、［方法効果シ］、［構成効果ウ］、［構成効果ク］、［構成効果サ］、［構成効果サ‐ａ］、［構成効果サ‐ｂ］、［構成効果コ‐ａ］、等の作用効果が得られる。【０１６８】  本実施例の前述の（Ｃ）工程において、真空包装装置の内部を約６００ｍｍＨｇの減圧状態に減圧した構成においても、上記と同じ効果が得られる。また、真空包装装置の内部を約３０ｍｍＨｇの減圧状態に減圧した構成においても、上記と同じ効果が得られる。【０１６９】（典型的実施例３−２）
冷却効能又は冷感効能と鎮痛消炎効能を奏する含水ゲル状柔軟効能組成物を備えた貼付剤収納包装品の一実施例を説明する。
前述の典型的実施例３−１において、Ａ１流動効能組成物原料２２ａに替えて、
前記の（典型的実施例１−２）において調製された鎮痛効能を奏する架橋性を有する含水ゲル状のＡ２流動効能組成物原料２２ａを準備する。
その他の工程は、前述の（典型的実施例３）の工程と同じ工程を備える。
これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。【０１７０】  本実施例の貼付剤収納包装品の製造方法又は本実施例の貼付剤収納包装品において、前述の［方法効果ア］、［構成効果ア］が得られると共に、［方法効果ウ］、［方法効果ク］、［方法効果コ−ａ］、［方法効果サ‐ａ］、［構成効果サ‐ｂ］、［方法効果シ］、［構成効果ウ］、［構成効果ク］、［構成効果サ］、［構成効果サ‐ａ］、［構成効果サ‐ｂ］、［構成効果コ‐ａ］、及び、［方法効果セ］、［構成効果セ］等の作用効果が得られる。【０１７１】（比較例３）
前述の比較例２ａ及び比較例２ｂと同じ製造方法により貼付剤を収納した貼付剤収納包装品を調製する。
その結果、いずれの貼付剤収納包装品においても、保持部材と剥離保護部材との間に構成されている柔軟効能組成物が保持部材と剥離保護部材の間の端部からはみ出した貼付剤が製造されるという不良が生じる。そのはみ出した柔軟効能組成物を構成する貼付剤を包装用容器の中に収納した場合に、はみ出した柔軟効能組成物が包装用容器の内面に粘着し、貼付剤を包装用容器から容易に取り出せないという不便が生じる。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる。【０１７２】（典型的実施例４−１）
含水ゲル状の柔軟効能組成物を備えた貼付剤収納包装品の製造：
図３に示される効能組成物原料を冷却するとともに切断する工程を備えた貼付剤収納包装品の製造方法の典型的実施例について説明する。
本実施例の貼付剤収納包装品の製造方法は下記の工程を備える。
・［Ａ工程：流動効能組成物原料調製工程及び冷却切断による所定形状形成工程］：
図３（Ａ）に示されるように、前記の（典型的実施例１−１）において調製された架橋性を有する含水ゲル状のＡ１流動効能組成物原料２２ａを準備する。約２５℃の室温雰囲気中において、含水ゲル状のＡ１流動効能組成物原料２２ａを、縦幅約１２０ｍｍ、横幅約３３０ｍｍ、高さ約２ｍｍ以上のポリスチレン製容器の中に厚さ約２ｍｍになるように投入する。
図３（Ａ）に示されるように、ポリスチレン製容器の中に容れられた流動効能組成物原料２２ａを約−１０〜約３℃の非変形状態になる第二冷却非変形温度に冷却して、非変形状態の冷却非変形効能組成物原料を形成し、その後、該冷却非変形効能組成物原料２２ｂを切断して、複数個（９個）の所定形状（縦幅約４０ｍｍ、横幅約１１０ｍｍ、高さ約２ｍｍの略長方形のシート状）の切断冷却非変形効能組成物原料２２ｃを調製する。
本工程において先端刃先角度３０度、高さ約５ｍｍの両刃形状を有する押切刃型を平板型切断装置の上盤に装着するとともに、冷却状態の冷却非変形効能組成物原料２２ｂを平板型切断装置の下盤に配置した状態で、上盤を稼働して、冷却非変形効能組成物原料２２ｂを切断してシート状長方形の切断冷却非変形効能組成物原料２２ｃを得る。
切断時に、冷却非変形効能組成物原料２２ｂは、流動することなく、変形することなく、切断されて、正確に分離された所望のシート状長方形の切断冷却非変形効能組成物原料２２ｃが得られた。すなわち、所望の厚さ、面積、形状、重量などにおいて高精度な所望の形状の切断冷却非変形効能組成物原料２２ｃが得られた。また、切断動作後の押切刃型の刃先には冷却非変形効能組成物の残渣等の付着物は認められなかった。【０１７３】・［Ｂ工程：積層部材積層工程］：
図３（Ｂ）に示されるように、前記典型的実施例３−１において構成した不織布製の保持部材と同じ不織布製の保持部材２１、及び剥離保護部材２３を準備する。
該保持部材２１の表面に約５ｍｍの保持部材周辺余白部２１ａを形成する状態で、前記Ａ工程により調製された切断冷却非変形効能組成物原料２２ｃを積層するとともに、その切断冷却非変形効能組成物原料２２ｃと保持部材周辺余白部２１ａとを覆う状態で剥離保護部材２３を積層し、このようにして保持部材・効能組成物原料・剥離保護部材積層物を調製する。ここで、切断冷却非変形効能組成物原料２２ｃは非変形状態を維持する。【０１７４】・［Ｃ：積層物包装工程］工程：
図３の（Ｃ）に示されるように、ポリエチレンテレフタレート製繊維及びその他の繊維、結合剤等を含有する厚さ約１ｍｍ、縦幅約５０ｍｍ、横幅約１２０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
また、ポリエチレンフィルムとアルミ箔とポリエチレンテレフタレートフィルムとの３層からなる厚さ約０．１ｍｍ以下のフィルム状の包装用容器３を準備する。ここで、フィルム状の包装用容器３はその周囲が開口された状態を有する。
保持部材２１の表面の所定の位置領域に切断冷却非変形効能組成物原料２２ｃと剥離保護部材２３を、剥離保護部材２３が表面側に位置する状態で積層して保持部材・効能組成物原料・剥離保護部材積層物を調製する。ここで、切断冷却非変形効能組成物原料２２ｃは非変形状態を維持する。
別途、真空ポンプとチャンバー内部にヒートシール装置を備えると共にチャンバーの内部を減圧可能な真空包装装置（図示なし）を準備する。【０１７５】  約２５℃の室温雰囲気中において、上記の保持部材・効能組成物原料・剥離保護部材積層物を、ポリエチレン層が互いに対向する状態で位置する上下２枚のフィルム状の包装用容器３の間に位置し、その状態で真空包装装置の内部を約１００ｍｍＨｇ以下の減圧状態に減圧して、減圧状態で保持部材・効能組成物原料・剥離保護部材積層物の周囲から約５ｍｍ以上の間隔をあけた領域の開口部をヒートシール装置により押圧・加熱して、包装用容器３の開口部を溶融融着して接合して密封する。
その後、チャンバーの内部を常圧（約７６０ｍｍＨｇ）に戻す。これにより、包装用容器３の周囲が熱融着シールされると共に、包装用容器３の内部が減圧状態になり、その包装用容器３の中に収納された保持部材・効能組成物原料・剥離保護部材積層物が包装用容器３の中に位置する状態で、包装用容器３が保持部材・効能組成物原料・剥離保護部材積層物の形状に沿って変形して密着する状態になった積層物収納包装品が調製される。すなわち、包装用容器の内部と外部との気圧差により、包装用容器３が保持部材・効能組成物原料・剥離保護部材積層物の形状に沿って変形して密着する状態を有する積層物収納包装品が得られる。
ここで、剥離保護部材２３が切断冷却非変形効能組成物原料２２ｃの表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。ここで、切断冷却非変形効能組成物原料２２ｃは非変形状態を維持する。【０１７６】・［Ｄ：効能組成物原料熟成工程］工程：
図３の（Ｄ）に示されるように、（Ｃ）工程により調製された積層物収納包装品を、約２５℃の室温雰囲気中に約６０分以上載置する。
約２５℃雰囲気中に載置された状態で、積層物収納包装品を構成する切断冷却非変形効能組成物原料２２ｃは、約２５℃に昇温する過程及び約２５℃において、流動性のない柔軟状態の柔軟効能組成物２２に架橋されて熟成されて変化させるとともに、柔軟効能組成物２２が保持部材２１に付着接合されて、柔軟効能組成物２２が保持部材２１に付着接合した保持部材・柔軟効能組成物・剥離保護部材積層物が形成される。これにより、切断冷却非変形効能組成物原料２２ｃが粘着性を有すると共に流動性のない柔軟効能組成物２２に熟成されて変化した構成を有する保持部材・柔軟効能組成物・剥離保護部材を備えた貼付剤２が形成されると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０１７７】  ここで、包装用容器３は剥離保護部材２３を介して切断冷却非変形効能組成物原料２２ｃの表面と端部と保持部材２１の周辺余白部２１ａに密着する状態を維持した状態で、効能組成物原料が柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３が柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２は、保持部材２１の表面からはみ出すことなく保持部材２１の周辺余白部２１ａを形成した状態で保持部材２１の表面に付着形成された貼付剤収納包装品が得られる。【０１７８】  また、包装用容器の内側と外側の気圧差に起因して、微細凹凸表面を有する不織布製の保持部材２１の表面に付着している切断冷却非変形効能組成物原料２２ｃが剥離保護部材２３を介して、保持部材・効能組成物原料・剥離保護部材積層物の表面側と裏面側とに位置するフィルム状の包装用容器に挟まれた状態で、保持部材２１と切断冷却非変形効能組成物原料２２ｃとが互いに加圧される。約２５℃に昇温する過程及び約２５℃において切断冷却非変形効能組成物原料２２ｃは流動性を有する効能組成物原料２２ａの形態になると共にその効能組成物原料２２ａの一部が保持部材２１の微細凹凸表面の凹凸の内部に入り込む状態を形成し、その状態で効能組成物原料が架橋して熟成されて流動性のない柔軟状態の柔軟効能組成物２２に変化される。このようにして柔軟状態の柔軟効能組成物２２が保持部材２１から剥がれることなく接合して構成される貼付剤が形成される。【０１７９】  本実施例の貼付剤収納包装品の製造方法又は本実施例の貼付剤収納包装品において前述の［方法効果ア］、［構成効果ア］が得られると共に、前述の［方法効果エ］、［方法効果ク］、［方法効果クケ］、［方法効果コ−ａ］、［方法効果サ‐ａ］、［方法効果サ−ｂ］、［方法効果ス］、［構成効果エ］、［構成効果ク］、［構成効果クケ］、［構成効果サ］、［構成効果サ−ａ］、［構成効果サ−ｂ］、［構成効果コ−ａ］等の作用効果が得られる。【０１８０】  本実施例の前述の（Ｃ）工程において、真空包装装置の内部を約６００ｍｍＨｇの減圧状態に減圧した構成においても、上記と同じ効果が得られる。また、真空包装装置の内部を約３０ｍｍＨｇの減圧状態に減圧した構成においても、上記と同じ効果が得られる。【０１８１】（典型的実施例４−２）
冷却効能又は冷感効能と鎮痛消炎効能を奏する含水ゲル状柔軟効能組成物を備えた貼付剤収納包装品の一実施例を説明する。
前述の典型的実施例４−１において、Ａ１流動効能組成物原料２２ａに替えて、
前記の（典型的実施例１−２）において調製された鎮痛効能を奏する架橋性を有する含水ゲル状のＡ２流動効能組成物原料２２ａを準備する。
その他の工程は、前述の（典型的実施例４−１）の工程と同じ工程を備える。
これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。【０１８２】  本実施例の貼付剤収納包装品の製造方法又は本実施例の貼付剤収納包装品において前述の［方法効果ア］、［構成効果ア］が得られると共に、前述の［方法効果エ］、［方法効果ク］、［方法効果クケ］、［方法効果コ−ａ］、［方法効果サ‐ａ］、［方法効果サ−ｂ］、［方法効果ス］、［構成効果エ］、［構成効果ク］、［構成効果クケ］、［構成効果サ］、［構成効果サ−ａ］、［構成効果サ−ｂ］、［構成効果コ−ａ］、及び、［方法効果セ］、［構成効果セ］等の作用効果が得られる。【０１８３】（典型的実施例４−３）
前述の典型的実施例４−１の［Ａ工程：冷却切断による所定形状形成工程］において、
ポリスチレン製容器の中に容れられた流動効能組成物原料２２ａを約−１０〜約３℃の非変形状態になる第二冷却非変形温度に冷却して、非変形状態の冷却非変形効能組成物原料２２ｂを形成し、その後、該冷却非変形効能組成物原料２２ｂを切断して、図１０の（Ａ）〜（Ｄ）に示されるような所定形状の切断冷却非変形効能組成物原料２２ｃを調製する工程も実施可能である。
この場合、保持部材２１、剥離保護部材２３として、切断冷却非変形効能組成物原料２２ｃに相似する形状を有する保持部材２１、剥離保護部材２３が構成される。
また、図１０の（Ｃ）、（Ｄ）に示されるような貫通孔を有する切断冷却非変形効能組成物原料２２ｃの調製の場合には、保持部材２１も切断冷却非変形効能組成物原料２２ｃと同じ貫通孔を有する形状に形成する。
その他の工程は、前述の典型的実施例４−１に類似する工程が実施される。これにより、貼付剤２が包装用容器３に収納された貼付剤収納包装品１が得られる。【０１８４】  本実施例において、前述の［方法効果ア］、［構成効果ア］が得られると共に、前述の［方法効果エ］、［方法効果ク］、［方法効果クケ］、［方法効果コ−ａ］、［方法効果サ‐ａ］、［方法効果サ−ｂ］、［方法効果ス］、［構成効果エ］、［構成効果ク］、［構成効果クケ］、［構成効果サ］、［構成効果サ−ａ］、［構成効果サ−ｂ］、［構成効果コ−ａ］等の作用効果が得られる。【０１８５】（典型的実施例４−４）
前記の（典型的実施例１−１）において調製された架橋性を有する含水ゲル状のＡ１流動効能組成物原料２２ａを準備する。
約２５℃の室温雰囲気中において、上記の含水ゲル状のＡ１流動効能組成物原料２２ａを、縦幅約１１０ｍｍ、横幅約５０ｍｍ、高さ約４０ｍｍ以上のポリスチレン製容器の中に厚さ約４０ｍｍになるように投入する。
前述の典型的実施例４−１の［Ａ工程：冷却切断による所定形状形成工程］に替えて下記の工程を有する。
ポリスチレン製容器の中に容れられた上記の流動効能組成物原料２２ａを約−１０〜約３℃の非変形状態になる第二冷却非変形温度に冷却して、非変形状態の冷却非変形効能組成物原料を形成し、その後、該冷却非変形効能組成物原料２２ｂを約２ｍｍ間隔で切断して、複数個（２５個）の所定形状（縦幅約４０ｍｍ、横幅約１１０ｍｍ、高さ約２ｍｍ）の切断冷却非変形効能組成物原料２２ｃを調製する。
冷却非変形効能組成物原料２２ｂを切断する方法としては、包丁類似の刃型の使用による切断、又は、ワイヤーによる切断などが実施可能である。
その他の工程は、前述の（典型的実施例４−１）の工程と同じ工程を備える。
これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０１８６】  本実施例の貼付剤収納包装品の製造方法又は本実施例の貼付剤収納包装品において、前述の［方法効果ア］、［構成効果ア］が得られると共に、前述の［方法効果エ］、［方法効果ク］、［方法効果クケ］、［方法効果コ−ａ］、［方法効果サ‐ａ］、［方法効果サ−ｂ］、［方法効果ス］、［構成効果エ］、［構成効果ク］、［構成効果クケ］、［構成効果サ］、［構成効果サ−ａ］、［構成効果サ−ｂ］、［構成効果コ−ａ］等の作用効果が得られる。【０１８７】（比較例４）
前述の典型的実施例４−１の［Ａ工程：冷却切断による所定形状形成工程］において、［Ａ工程：流動効能組成物原料調製工程］により調製される、縦幅約１２０ｍｍ、横幅約３３０ｍｍ、厚さ約２ｍｍの含水ゲル状のＡ１流動効能組成物原料２２ａを冷却することなく包丁刃又は押切刃を用いて、縦幅約４０ｍｍ、横幅約１１０ｍｍ、高さ約２ｍｍの切断冷却非変形効能組成物原料２２ｃになるように切断動作を実施した結果、切断動作後に、流動効能組成物原料が直ぐに流動変形して、再び、切断された流動効能組成物原料が互いに混ざりあって、正確に切断できなかった。
また、切断動作後には、押切刃型７の刃先には多量の流動効能組成物原料の残渣が付着していた。
すなわち、本比較例の方法において、所望形状を有する貼付剤収納包装品の製造には課題がある。【０１８８】（典型的実施例５−１）
複数種類の柔軟効能組成物原料を備えた貼付剤収納包装品の製造方法に関する典型的実施例について説明する。本実施例は、図８に示されるような、冷却状態で切断された複数種類の切断冷却非変形効能組成物原料を保持部材の平面領域に積層して形成した貼付剤収納包装品に関する。【０１８９】・［Ａ工程：流動効能組成物原料調製工程及び冷却切断による所定形状形成工程］：
前記の（典型的実施例１−１）において調製された架橋性を有する含水ゲル状のＡ１流動効能組成物原料２２ａを準備する。別途、前記の（典型的実施例１−２）において調製された架橋性を有する含水ゲル状のＡ２流動効能組成物原料２２ａを準備する。
約２５℃の室温雰囲気中において、上記の含水ゲル状のＡ１流動効能組成物原料２２ａを、縦幅約１４０ｍｍ、横幅約２００ｍｍ、高さ約２ｍｍ以上のポリスチレン製容器の中に厚さ約２ｍｍになるように投入する。
別途、約２５℃の室温雰囲気中において、含水ゲル状のＡ２流動効能組成物原料２２ａを、縦幅約１４０ｍｍ、横幅約２００ｍｍ、高さ約２ｍｍ以上のポリスチレン製容器の中に厚さ約２ｍｍになるように投入する。
上記により調製されたポリスチレン製容器の中に容れられたＡ１流動効能組成物原料２２ａ、及び、ポリスチレン製容器の中に容れられたＡ２流動効能組成物原料２２ａを、約−１０〜約３℃の非変形状態になる第二冷却非変形温度に冷却して、非変形状態のＡ１冷却非変形効能組成物原料及びを非変形状態のＡ２冷却非変形効能組成物原料を形成し、その後、Ａ１冷却非変形効能組成物原料２２ｂ及びＡ２冷却非変形効能組成物原料を切断して、複数個の所定形状（縦幅約１４０ｍｍ、横幅約２５ｍｍ、高さ約２ｍｍ）のＡ１切断冷却非変形効能組成物原料２２ｃ及びＡ２切断冷却非変形効能組成物原料２２ｃを調製する。【０１９０】・［Ｂ工程：積層部材積層工程］：
ポリエチレンテレフタレート製繊維及びその他の繊維、結合剤等を含有する厚さ約１ｍｍ、縦幅約１５０ｍｍ、横幅約１１０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約１５０ｍｍ、横幅約１１０ｍｍのポリプロピレン製の剥離保護部材２３を準備する。
約２５℃の室温雰囲気中において、図９（Ｃ）に示されるように、保持部材２１の表面に、約５ｍｍの保持部材周辺余白部２１ａを形成する状態で、前記（Ａ）工程により調製された所定形状（縦幅約１４０ｍｍ、横幅約２５ｍｍ、高さ約２ｍｍ）のそれぞれのＡ１切断冷却非変形効能組成物原料２２ｃとＡ２切断冷却非変形効能組成物原料２２ｃを保持部材２１の表面の平面領域に互いに隣り合う状態で積層するとともに、これらのＡ１切断冷却非変形効能組成物原料２２ｃとＡ２切断冷却非変形効能組成物原料２２ｃと保持部材周辺余白部２１ａとを覆う状態で剥離保護部材２３を積層し、このようにして保持部材・効能組成物原料・剥離保護部材積層物を調製する。【０１９１】・［Ｃ工程：積層物包装工程］：
ポリエチレンフィルムとアルミ箔とポリエチレンテレフタレートフィルムとの３層からなる厚さ約０．１ｍｍ以下のフィルム状の包装用容器３を準備する。ここで、フィルム状の包装用容器３はその周囲が開口された状態を有する。
保持部材２１の表面の所定の位置領域にＡ１切断冷却非変形効能組成物原料２２ｃとＡ２切断冷却非変形効能組成物原料２２ｃ剥離保護部材２３を、剥離保護部材２３が表面側に位置する状態で積層して保持部材・効能組成物原料・剥離保護部材積層物を調製する。  別途、真空ポンプとチャンバー内部にヒートシール装置を備えると共にチャンバーの内部を減圧可能な真空包装装置（図示なし）を準備する。
約２５℃の室温雰囲気中において、上記の保持部材・効能組成物原料・剥離保護部材積層物を、ポリエチレン層が互いに対向する状態で位置する上下２枚のフィルム状の包装用容器３の間に位置し、その状態で真空包装装置の内部を約１００ｍｍＨｇ以下の減圧状態に減圧して、減圧状態で保持部材・効能組成物原料・剥離保護部材積層物の周囲から約５ｍｍ以上の間隔をあけた領域の開口部をヒートシール装置により押圧・加熱して、包装用容器３の開口部を溶融融着して接合して密封する。
その後、チャンバーの内部を常圧（約７６０ｍｍＨｇ）に戻す。これにより、包装用容器３の周囲が熱融着シールされると共に、包装用容器３の内部が減圧状態になり、その包装用容器３の中に収納された保持部材・効能組成物原料・剥離保護部材積層物が包装用容器３の中に位置する状態で、包装用容器３が保持部材・効能組成物原料・剥離保護部材積層物の形状に沿って変形して密着する状態になった積層物収納包装品が調製される。すなわち、包装用容器の内部と外部との気圧差により、包装用容器３が保持部材・効能組成物原料・剥離保護部材積層物の形状に沿って変形して密着する状態を有する積層物収納包装品が得られる。
ここで、剥離保護部材２３が切断冷却非変形効能組成物原料２２ｃの表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。
本工程において、Ａ１切断冷却非変形効能組成物原料２２ｃとＡ２切断冷却非変形効能組成物原料２２ｃは非変形状態を維持する。
このようにして、保持部材・効能組成物原料・剥離部材積層物を、包装用容器の中に位置する状態で、包装用容器が保持部材・効能組成物原料・剥離部材積層物の形状に沿って変形して密着する状態になるように、包装用容器の開口部を密封して、積層物収納包装品を調製する。【０１９２】・［Ｄ工程：効能組成物原料熟成工程］：
（Ｃ）工程により調製された積層物収納包装品を、約２５℃の室温雰囲気中に約６０分以上載置する。
約２５℃雰囲気中において、積層物収納包装品を構成するＡ１断冷却非変形効能組成物原料２２ｃとＡ２断冷却非変形効能組成物原料２２ｃは、約２５℃に昇温する過程及び約２５℃において、流動性のない柔軟状態のＡ１柔軟効能組成物２２とＡ２柔軟効能組成物２２に架橋されて熟成されて変化させるとともに、Ａ１柔軟効能組成物２２とＡ２柔軟効能組成物２２が、互いに接合した状態で保持部材２１に付着接合されて、保持部材・柔軟効能組成物・剥離保護部材積層物が形成される。これにより、それぞれの効能組成物原料が流動性のないそれぞれの柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる。
このようにして、縦幅約１５０ｍｍ、横幅約１１０ｍｍの大きさ形状の貼付剤を収納した貼付剤収納包装品が得られる。【０１９３】  ここで、包装用容器３は剥離保護部材２３を介してＡ１切断冷却非変形効能組成物原料２２ｃとＡ２切断冷却非変形効能組成物原料２２ｃの表面と端部と保持部材２１の周辺余白部２１ａに密着する状態を維持した状態で、それぞれの効能組成物原料がＡ１柔軟効能組成物２２とＡ２柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３がＡ１柔軟効能組成物２２とＡ２柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２とＡ２柔軟効能組成物２２は、保持部材２１の表面からはみ出すことなく保持部材２１の周辺余白部２１ａを形成した状態で保持部材２１の表面に付着形成された貼付剤収納包装品が得られる。【０１９４】  また、包装用容器の内側と外側の気圧差に起因して、微細凹凸表面を有する不織布製の保持部材２１の表面に付着しているＡ１切断冷却非変形効能組成物原料２２ｃとＡ２切断冷却非変形効能組成物原料２２ｃが剥離保護部材２３を介して、保持部材・効能組成物原料・剥離保護部材積層物の表面側と裏面側とに位置するフィルム状の包装用容器に挟まれた状態で、保持部材２１とそれぞれの切断冷却非変形効能組成物原料２２ｃとが互いに加圧される。約２５℃に昇温する過程及び約２５℃においてそれぞれの切断冷却非変形効能組成物原料２２ｃは流動性を有する効能組成物原料２２ａの形態になると共にそれぞれの効能組成物原料２２ａの一部が保持部材２１の微細凹凸表面の凹凸の内部に入り込む状態を形成し、その状態でそれぞれの効能組成物原料が架橋して熟成されて流動性のない柔軟状態のそれぞれの柔軟効能組成物２２に変化される。このようにしてＡ１柔軟効能組成物２２とＡ２柔軟効能組成物２２が互いに接合すると共に保持部材２１に剥がれることなく接合して構成される貼付剤が形成される。【０１９５】  本実施例において、前述の［方法効果ア］、［構成効果ア］が得られると共に、［方法効果エ］、［方法効果カ］、［方法効果カ−ａ］、［方法効果キ］、［方法効果キ−ｃ］、［方法効果ク］、［方法効果クケ］、［方法効果コ−ａ］、［方法効果サ−ａ］、［方法効果サ−ｂ］、［方法効果ス］、［構成効果エ］、［構成効果ク］、［構成効果クケ］、［構成効果サ］、［構成効果サ−ａ］、［構成効果サ−ｂ］、［構成効果カ］、［構成効果カ−ａ］、［構成効果コ−ａ］、等の作用効果が得られる。【０１９６】（典型的実施例５−２）
複数種類の柔軟効能組成物原料を備えた貼付剤収納包装品の製造方法に関する典型的実施例について説明する。本実施例は、冷却状態で切断された複数種類の切断冷却非変形効能組成物原料を保持部材の積層方向に積層して形成した貼付剤収納包装品に関する。
前述の典型的実施例５−１に類似すると共に、一部の構成に替えて、下記の構成を備える。【０１９７】・［Ａ工程：流動効能組成物原料調製工程・冷却切断による所定形状形成工程］：
前記の（典型的実施例１−１）において調製された架橋性を有する含水ゲル状のＡ１流動効能組成物原料２２ａを準備する。別途、前記の（典型的実施例１−２）において調製された架橋性を有する含水ゲル状のＡ２流動効能組成物原料２２ａを準備する。
約２５℃の室温雰囲気中において、上記の含水ゲル状のＡ１流動効能組成物原料２２ａを、縦幅約１４０ｍｍ、横幅約２００ｍｍ、高さ約２ｍｍ以上のポリスチレン製容器の中に厚さ約２ｍｍになるように投入する。
別途、約２５℃の室温雰囲気中において、含水ゲル状のＡ２流動効能組成物原料２２ａを、縦幅約１４０ｍｍ、横幅約２００ｍｍ、高さ約２ｍｍ以上のポリスチレン製容器の中に厚さ約２ｍｍになるように投入する。
上記により調製されたポリスチレン製容器の中に容れられたＡ１流動効能組成物原料２２ａ、及び、ポリスチレン製容器の中に容れられたＡ２流動効能組成物原料２２ａを、約−１０〜約３℃の非変形状態になる第二冷却非変形温度に冷却して、非変形状態のＡ１冷却非変形効能組成物原料及びを非変形状態のＡ２冷却非変形効能組成物原料を形成し、その後、Ａ１冷却非変形効能組成物原料２２ｂ及びＡ２冷却非変形効能組成物原料を切断して、複数個の所定形状（縦幅約１４０ｍｍ、横幅約７０ｍｍ、高さ約２ｍｍ）のＡ１切断冷却非変形効能組成物原料２２ｃ及びＡ２切断冷却非変形効能組成物原料２２ｃを調製する。【０１９８】・［Ｂ工程：積層部材積層工程］：
ポリエチレンテレフタレート製繊維及びその他の繊維、結合剤等を含有する厚さ約１ｍｍ、縦幅約１５０ｍｍ、横幅約８０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約１５０ｍｍ、横幅約８０ｍｍのポリプロピレン製の剥離保護部材２３を準備する。
約２５℃の室温雰囲気中において、図７に示されるように、保持部材２１の表面に約５ｍｍの保持部材周辺余白部２１ａを形成する状態で、前記（Ａ）工程により調製されたＡ１切断冷却非変形効能組成物原料２２ｃとＡ２切断冷却非変形効能組成物原料２２ｃを保持部材２１の表面の積層方向に互いに重なり合う状態で積層するとともに、これらのＡ１切断冷却非変形効能組成物原料２２ｃとＡ２切断冷却非変形効能組成物原料２２ｃと保持部材周辺余白部２１ａとを覆う状態で剥離保護部材２３を積層し、このようにして保持部材・効能組成物原料・剥離保護部材積層物を調製する。【０１９９】・［Ｃ工程：積層物包装工程］：
前述の典型的実施例５−１と同じ方法により、前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する。【０２００】・［Ｄ工程：効能組成物原料熟成工程］：
前述の典型的実施例５−１と同じ方法により、前記保持部材の表面に位置する流動効能組成物原料を前記保持部材に接合させると共に前記それぞれの流動効能組成物原料を互いに接合させて、流動性のない柔軟状態のそれぞれの柔軟効能組成物に熟成させて変化させて、柔軟効能組成物が前記保持部材に付着接合した保持部材・柔軟効能組成物・剥離保護部材積層物を調製する熟成工程、これにより、それぞれの効能組成物原料が流動性のないそれぞれの柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる。
このようにして、縦幅約１５０ｍｍ、横幅約８０ｍｍの大きさ形状の貼付剤を収納した貼付剤収納包装品が得られる。【０２０１】  本実施例において、前述の［方法効果ア］、［構成効果ア］が得られると共に、［方法効果エ］、［方法効果カ］、［方法効果カ−ｂ］、［方法効果キ］、［方法効果キ−ｃ］、［方法効果ク］、［方法効果クケ］、［方法効果コ−ａ］、［方法効果サ−ａ］、［方法効果シ］、［構成効果エ］、［構成効果ク］、［構成効果クケ］、［構成効果サ］、［構成効果サ−ａ］、［構成効果サ−ｂ］、［構成効果カ］、［構成効果カ−ｂ］、［構成効果コ−ａ］、等の作用効果が得られる。【０２０２】（典型的実施例５−３）
複数種類の柔軟効能組成物原料を備えた貼付剤収納包装品の製造方法に関する他の典型的実施例について説明する。本実施例は、複数種類の流動効能組成物原料を保持部材の平面方向に積層して形成した貼付剤収納包装品に関する。
前述の典型的実施例５に類似すると共に、一部の構成に替えて、下記の構成を備える。【０２０３】・［Ａ工程：流動効能組成物原料調製工程］：
前記の（典型的実施例１−１）において調製された架橋性を有する含水ゲル状のＡ１流動効能組成物原料２２ａを準備する。別途、前記の（典型的実施例１−２）において調製された架橋性を有する含水ゲル状のＡ２流動効能組成物原料２２ａを準備する。【０２０４】・［Ｂ工程：積層部材積層工程：保持部材・効能組成物原料・剥離保護部材積層工程］：
ポリエチレンテレフタレート製繊維及びその他の繊維、結合剤等を含有する厚さ約１ｍｍ、縦幅約１１０ｍｍ、横幅約１５０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約１１０ｍｍ、横幅約１５０ｍｍのポリプロピレン製の剥離保護部材２３を準備する。
約２５℃の室温雰囲気中において、保持部材２１の表面に約５ｍｍの保持部材周辺余白部２１ａを形成する状態で、上記のＡ工程により調製されたＡ１流動効能組成物原料２２ａとＡ２流動効能組成物原料２２ａを、これらの流動効能組成物原料の調製後から約２０分以内に、厚さ約２ｍｍ、縦幅約１００ｍｍ、横幅約３５ｍｍの形状で、図９（Ｃ）に示されるように、剥離保護部材２３の平面領域に交互に付着して積層するとともに、その流動効能組成物原料２２ａと保持部材周辺余白部２１ａとを覆う状態で剥離保護部材２３を積層し、このようにして保持部材・効能組成物原料・剥離保護部材積層物を調製する。
この工程において、保持部材２１の表面の保持部材周辺余白部２１ａの内側に、縦幅約１００ｍｍ、横幅約３５ｍｍの形状のプラスチック製の枠体を設置し、その枠体の内側に流動性ゲル状のそれぞれの流動効能組成物原料２２ａを投入して保持部材周辺余白部２１ａを形成する形態になるように厚さ約２ｍｍ、縦幅約１００ｍｍ、横幅約３５ｍｍの形状を有する２個ずつのＡ１流動効能組成物原料２２ａとＡ２流動効能組成物原料２２ａを保持部材２１の表面に積層する。【０２０５】・［Ｃ工程：積層物包装工程］：
前述の典型的実施例５−１と同じ方法により、前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する。ここで、前記それぞれの流動効能組成物原料は所定形状を有するとともに流動性を維持する。【０２０６】・［Ｄ工程：熟成工程］：
前述の典型的実施例５−１と同じ方法により、前記保持部材の表面に位置するそれぞれの流動効能組成物原料を前記保持部材に接合させると共に前記それぞれの流動効能組成物原料を互いに接合させて、流動性のない柔軟状態のそれぞれの柔軟効能組成物に熟成させて変化させて、柔軟効能組成物が前記保持部材に付着接合した保持部材・柔軟効能組成物・剥離保護部材積層物を調製する。これにより、それぞれの流動効能組成物原料が流動性のないそれぞれの柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる、
このようにして、縦幅約１１０ｍｍ、横幅約１５０ｍｍの大きさ形状を有する貼付剤を収納した貼付剤収納包装品が得られる。【０２０７】  本実施例において、前述の［方法効果ア］、［構成効果ア］が得られると共に、［方法効果イ］、［方法効果カ］、［方法効果カ−ａ］、［方法効果ク］、［方法効果クケ］、［方法効果コ−ａ］、［方法効果サ−ａ］、［方法効果サ−ｂ］、［構成効果ク］、［構成効果クケ］、［構成効果サ］、［構成効果サ−ａ］［構成効果カ］、［構成効果カ−ａ］、［構成効果コ−ａ］、等の作用効果が得られる。【０２０８】（典型的実施例５−４）
複数種類の柔軟効能組成物原料を備えた貼付剤収納包装品の製造方法に関する他の典型的実施例について説明する。
本実施例は、複数種類の冷却非変形効能組成物原料を保持部材の平面方向に積層して形成した貼付剤収納包装品に関する。
前述の典型的実施例５−１に類似すると共に、一部の構成に替えて、下記の構成を備える。【０２０９】・［Ａ工程：流動効能組成物原料調製工程・冷却による所定形状形成工程］：
前記の（典型的実施例１−１）において調製された架橋性を有する含水ゲル状のＡ１流動効能組成物原料２２ａを準備する。別途、前記の（典型的実施例１−２）において調製された架橋性を有する含水ゲル状のＡ２流動効能組成物原料２２ａを準備する。
上記の含水ゲル状のＡ１流動効能組成物原料２２ａを、約２５℃の室温雰囲気中において、縦幅約１４０ｍｍ、横幅約７０ｍｍ、高さ約２ｍｍ以上のポリスチレン製容器の中に厚さ約２ｍｍになるように投入する。
別途、上記の含水ゲル状のＡ２流動効能組成物原料２２ａを、約２５℃の室温雰囲気中において、縦幅約１４０ｍｍ、横幅約７０ｍｍ、高さ約２ｍｍ以上のポリスチレン製容器の中に厚さ約２ｍｍになるように投入する。
上記により調製されたポリスチレン製容器の中に容れられたＡ１流動効能組成物原料２２ａ、及び、ポリスチレン製容器の中に容れられたＡ２流動効能組成物原料２２ａを、約−１０〜約３℃の非変形状態になる第二冷却非変形温度に冷却して、非変形状態のＡ１冷却非変形効能組成物原料及びを非変形状態のＡ２冷却非変形効能組成物原料を形成する。【０２１０】・［Ｂ工程：積層部材積層工程］：
保持部材の表面の所定の位置領域に前記それぞれの冷却非変形効能組成物原料と剥離保護部材とを、前記剥離保護部材が表面側に位置する状態で積層して保持部材・効能組成物原料・剥離保護部材積層物を調製する。ここで、それぞれの冷却非変形効能組成物原料は保持部材の積層方向に互いに重なり合う位置に積層される。【０２１１】・［Ｃ工程：積層物包装工程］：
前述の典型的実施例５−１と同じ方法により、前記保持部材・効能組成物原料・剥離部材積層物を、包装用容器の中に位置する状態で、前記包装用容器が前記保持部材・効能組成物原料・剥離部材積層物の形状に沿って変形して密着する状態になるように、前記包装用容器の開口部を密封して、積層物収納包装品を調製する。【０２１２】・［Ｄ工程：効能組成物原料熟成工程］：
前述の典型的実施例５−１と同じ方法により、前記保持部材の表面に位置する効能組成物原料を前記保持部材に接合させると共に前記それぞれの効能組成物原料を互いに接合させて、流動性のない柔軟状態のそれぞれの柔軟効能組成物に熟成させて変化させて、柔軟効能組成物が前記保持部材に付着接合した保持部材・柔軟効能組成物・剥離保護部材積層物を調製する熟成工程、これにより、それぞれの効能組成物原料が流動性のないそれぞれの柔軟効能組成物に熟成されて変化した構成を有する保持部材・柔軟効能組成物・剥離保護部材を備えた貼付剤を形成すると共に、該貼付剤が前記包装用容器に収納された貼付剤収納包装品が得られる。
このようにして、縦幅約１５０ｍｍ、横幅約８０ｍｍの大きさ形状の貼付剤を収納した貼付剤収納包装品が得られる。【０２１３】  本実施例において、前述の［方法効果ア］、［構成効果ア］が得られると共に、［方法効果ウ］、［方法効果キ］、［方法効果キ‐ａ］、［方法効果ク］、［方法効果クケ］、［方法効果コ−ａ］、［方法効果シ］、［構成効果ウ］、［構成効果ク］、［構成効果クケ］、［構成効果サ］、［構成効果サ−ａ］、［構成効果カ］、［構成効果カ−ｂ］、［構成効果コ−ａ］、等の作用効果が得られる。【０２１４】  また、上記の典型的実施例５−２、５−３、５−４において、包装用容器の内側と外側の気圧差に起因して、微細凹凸表面を有する不織布製の保持部材２１の表面に付着しているＡ１柔軟効能組成物２２及び又はＡ２柔軟効能組成物２２が、互いに接合すると共に、不織布製の保持部材２１の表面の微細凹凸の内部に入り込む状態を形成し、これらの柔軟効能組成物２２が保持部材２１に剥がれることなく接合して構成される貼付剤が形成される。【０２１５】（比較例５ａ）
前記典型的実施例５−３において、それぞれの工程に替えて、図１２に示される従来の製造工程に一部類似の下記の工程を備える。
・［図１２（ａ）工程に類似の工程］：
約２５℃の室温雰囲気中において、前記の（典型的実施例１−１）において調製された架橋性を有する含水ゲル状のＡ１流動効能組成物原料２２ａを、縦幅約４０ｍｍ、横幅約１１０ｍｍ、高さ約２ｍｍ以上のポリスチレン製容器の中に厚さ約２ｍｍになるように投入する。
別途、約２５℃の室温雰囲気中において、前記の（典型的実施例１−２）において調製された架橋性を有する含水ゲル状のＡ１流動効能組成物原料２２ａを、縦幅約４０ｍｍ、横幅約１１０ｍｍ、高さ約２ｍｍ以上のポリスチレン製容器の中に厚さ約２ｍｍになるように投入する。【０２１６】・［図１２（ｂ−イ）工程に類似の工程］：
ポリエチレンテレフタレート製繊維及びその他の繊維、結合剤等を含有する厚さ約１ｍｍ、縦幅約１１０ｍｍ、横幅約１５０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約１１０ｍｍ、横幅約１５０ｍｍのポリプロピレン製の剥離保護部材２３を準備する。
約２５℃の室温雰囲気中において、保持部材２１の表面に約５ｍｍの保持部材周辺余白部２１ａを形成する状態で、上記工程により調製されたＡ１流動効能組成物原料２２ａとＡ２流動効能組成物原料２２ａを、これらの流動効能組成物原料の調製後から約２０分以内に、厚さ約２ｍｍ、縦幅約１００ｍｍ、横幅約３５ｍｍの形状で、図９（Ｃ）に示されるように、剥離保護部材２３の平面領域に交互に付着して積層するとともに、その流動効能組成物原料２２ａと保持部材周辺余白部２１ａとを覆う状態で剥離保護部材２３を積層し、このようにして保持部材・効能組成物原料・剥離保護部材積層物を調製する。【０２１７】・［図１２（ｂ−ハ）工程、（ｃ−イ）工程に類似の工程］：
約２５℃雰囲気中に載置された状態で、Ａ１流動効能組成物原料２２ａとＡ２流動効能組成物原料２２ａを流動性のないそれぞれの柔軟状態の柔軟効能組成物２２に架橋させて熟成させて変化させるとともに、それぞれの柔軟効能組成物２２を保持部材２１に付着接合させて、それぞれの柔軟効能組成物２２が保持部材２１に付着接合した保持部材・柔軟効能組成物・剥離保護部材積層物を形成する。これにより、それぞれの流動効能組成物原料２２ａがそれぞれの柔軟効能組成物２２に熟成されて変化した構成を有する保持部材・柔軟効能組成物・剥離保護部材を備えた貼付剤２を形成する。
ここで、保持部材・流動効能組成物原料・剥離保護部材においては、図１２（ｂ‐ハ）に示されるように、それぞれの流動効能組成物原料２２ａが架橋するまでの流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。
そして、図１２（ｃ‐イ）に示されるように、時間の経過とともにそれぞれの流動効能組成物原料２２ａは流動性状態から流動性のないそれぞれの柔軟状態の柔軟効能組成物２２に架橋されて熟成されて変化するとともにそれぞれの柔軟効能組成物２２を保持部材に付着接合させて、それぞれの柔軟効能組成物２２が保持部材に付着接合した保持部材・柔軟効能組成物・剥離保護部材積層物を備えた貼付剤が得られる。ここで、はみ出している流動効能組成物原料２２ａも流動性状態から流動性のない粘着性を有する柔軟状態の柔軟効能組成物２２に熟成されて変化される。【０２１８】・［図１２（ｄ−イ）工程に類似の工程］：
前記典型的実施例５−３において使用したものと同じ厚さ約０．１ｍｍ以下のフィルム状の包装用容器３を準備し、その上下２枚のフィルム状の包装用容器３の間に前記（ｃ‐イ）工程により調製された貼付剤を位置する状態で、貼付剤の周囲から約５ｍｍ以上の間隔をあけた領域の包装用容器３の開口部をヒートシール装置により押圧・加熱して、包装用容器３の開口部を溶融融着して接合して密封する。このようにして、貼付剤を包装用容器３の中に収納した貼付剤収納包装品が得られる。ここで、包装用容器３は貼付剤に密着する状態で収納されない。【０２１９】（比較例５ｂ）
・［図１２（ａ）工程に類似の工程］：
約２５℃の室温雰囲気中において、前記の（典型的実施例１−１）において調製された架橋性を有する含水ゲル状のＡ１流動効能組成物原料２２ａを、縦幅約１４０ｍｍ、横幅約７０ｍｍ、高さ約２ｍｍ以上のポリスチレン製容器の中に厚さ約２ｍｍになるように投入する。
別途、約２５℃の室温雰囲気中において、前記の（典型的実施例１−２）において調製された架橋性を有する含水ゲル状のＡ１流動効能組成物原料２２ａを、縦幅約１４０ｍｍ、横幅約７０ｍｍ、高さ約２ｍｍ以上のポリスチレン製容器の中に厚さ約２ｍｍになるように投入する。【０２２０】・［図１２（ｂ−イ）工程に類似の工程］：
ポリエチレンテレフタレート製繊維及びその他の繊維、結合剤等を含有する厚さ約１ｍｍ、縦幅約１５０ｍｍ、横幅約８０ｍｍの屈曲柔軟性、伸縮性、空気湿度透過性を有するニードルパンチ不織布製の保持部材２１を準備する。この不織布製の保持部材は微細構造の観点において絡まった繊維間に無数の微細空隙と微細凹凸表面を有する。
別途、厚さ０．１ｍｍ以下、縦幅約１５０ｍｍ、横幅約８０ｍｍのポリプロピレン製の剥離保護部材２３を準備する。
約２５℃の室温雰囲気中において、保持部材２１の表面に約５ｍｍの保持部材周辺余白部２１ａを形成する状態で、上記工程により調製されたＡ１流動効能組成物原料２２ａとＡ２流動効能組成物原料２２ａを、これらの流動効能組成物原料の調製後から約２０分以内に、それぞれの流動効能組成物原料２２ａを、厚さ約２ｍｍ、縦幅約１４０ｍｍ、横幅約７０ｍｍの形状で、剥離保護部材２３の積層方向に付着して積層するとともに、その流動効能組成物原料２２ａと保持部材周辺余白部２１ａとを覆う状態で剥離保護部材２３を積層し、このようにして保持部材・効能組成物原料・剥離保護部材積層物を調製する。【０２２１】・［図１２（ｂ−ハ）工程、（ｃ−イ）工程に類似の工程］：
約２５℃雰囲気中に載置された状態で、Ａ１流動効能組成物原料２２ａとＡ２流動効能組成物原料２２ａを流動性のないそれぞれの柔軟状態の柔軟効能組成物２２に架橋させて熟成させて変化させるとともに、それぞれの柔軟効能組成物２２が互いに接合されると共に保持部材２１に付着接合させて、柔軟効能組成物２２が保持部材２１に付着接合した保持部材・柔軟効能組成物・剥離保護部材積層物を形成する。これにより、それぞれの流動効能組成物原料２２ａがそれぞれの柔軟効能組成物２２に熟成されて変化した構成を有する保持部材・柔軟効能組成物・剥離保護部材を備えた貼付剤２を形成する。
ここで、保持部材・流動効能組成物原料・剥離保護部材においては、図１２（ｂ‐ハ）に類似して、それぞれの流動効能組成物原料２２ａが架橋するまでの流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。
そして、図１２（ｃ‐イ）に示されるように、時間の経過とともにそれぞれの流動効能組成物原料２２ａは流動性状態から流動性のないそれぞれの柔軟状態の柔軟効能組成物２２に架橋されて熟成されて変化するとともにそれぞれの柔軟効能組成物２２を保持部材に付着接合させて、それぞれの柔軟効能組成物２２が保持部材に付着接合した保持部材・柔軟効能組成物・剥離保護部材積層物を備えた貼付剤が得られる。ここで、はみ出している流動効能組成物原料２２ａも流動性状態から流動性のない粘着性を有する柔軟状態の柔軟効能組成物２２に熟成されて変化される。【０２２２】・［図１２（ｄ−イ）工程に類似の工程］：
前記典型的実施例５−３において使用した包装用容器３と同じラミネート構成を有する厚さ約０．１ｍｍ以下のフィルム状の包装用容器３を準備し、その上下２枚のフィルム状の包装用容器３の間に前記（ｃ‐イ）工程により調製された貼付剤を位置する状態で、貼付剤の周囲から約５ｍｍ以上の間隔をあけた領域の包装用容器３の開口部をヒートシール装置により押圧・加熱して、包装用容器３の開口部を溶融融着して接合して密封する。このようにして、貼付剤を包装用容器３の中に収納した貼付剤収納包装品が得られる。ここで、包装用容器３は貼付剤に密着する状態で収納されない。
このようにして、縦幅約１５０ｍｍ、横幅約８０ｍｍの大きさ形状の貼付剤を収納した貼付剤収納包装品が得られる。【０２２３】  上記の比較例５ａ、及び比較例５ｂのいずれの貼付剤収納包装品においても、保持部材と剥離保護部材との間に構成されている柔軟効能組成物が保持部材と剥離保護部材の間の端部からはみ出した貼付剤が製造されるという不良が生じる傾向がある。そのはみ出した柔軟効能組成物を構成する貼付剤を包装用容器の中に収納した場合に、はみ出した柔軟効能組成物が包装用容器の内面に粘着し、貼付剤を包装用容器から容易に取り出せないという不便が生じる。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる傾向がある。【０２２４】（典型的実施例６−１）
加熱により収縮する性質を有する熱収縮性包装用容器の中に収納された貼付剤収納包装品について説明する。
前述の典型的実施例２−１と同じ工程により、［Ａ工程：流動効能組成物原料調製工程］、及び［Ｂ工程：積層部材積層工程：保持部材・流動効能組成物原料・剥離保護部材積層工程］により保持部材・効能組成物原料・剥離保護部材積層物を調製する。【０２２５】・［Ｃ：積層物包装工程］工程：
図１の（Ｃ）に示されるように、保持部材・効能組成物原料・剥離部材積層物の上方向と下方向の双方の位置に、包装用容器となる熱収縮性を有する熱収縮性包装用容器用シートを位置した状態で、その積層物を熱収縮性包装用容器用シートの間に位置するとともに加熱すると共に包装用容器用シートの開口部を密封する。これにより、前記包装用容器が熱収縮作用により前記保持部材・効能組成物原料・剥離保護部材積層物の形状に沿って密着する状態になって変形した積層物収納包装品を調製する。ここで、剥離保護部材２３が効能組成物原料２２ａの表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。
熱収縮性包装用容器の材料として、ポリ塩化ビニル製のフィルムが使用される。【０２２６】  典型的実施例２‐１と類似の［Ｄ：効能組成物原料熟成工程］工程により、（Ｃ）工程により調製された積層物収納包装品を、約２５℃の室温雰囲気中に約６０分以上載置する工程により、約２５℃雰囲気中に載置された状態で、積層物収納包装品を構成する流動効能組成物原料２２ａを流動性のない柔軟状態の柔軟効能組成物２２に架橋させて熟成させて変化させるとともに、柔軟効能組成物２２を保持部材２１に付着接合させて、柔軟効能組成物２２が保持部材２１に付着接合した保持部材・柔軟効能組成物・剥離保護部材積層物を形成する。これにより、流動効能組成物原料２２ａが粘着性を有すると共に流動性のない柔軟効能組成物２２に熟成されて変化した構成を有する保持部材・柔軟効能組成物・剥離保護部材を備えた貼付剤２を形成すると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０２２７】  ここで、包装用容器３は剥離保護部材２３を介して流動効能組成物原料２２ａの表面と端部と保持部材２１の周辺余白部２１ａに密着する状態を維持した状態で、流動効能組成物原料２２ａが柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３が柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２は、保持部材２１の表面からはみ出すことなく保持部材２１の周辺余白部２１ａを形成した状態で保持部材２１の表面に付着形成された貼付剤収納包装品が得られる。【０２２８】  本実施例の貼付剤収納包装品の製造方法又は本実施例の貼付剤収納包装品において、前述の［方法効果ア］、［構成効果ア］が得られるとともに、［方法効果イ］、［方法効果ケ］、［方法効果クケ］、［方法効果コ−ａ］、［方法効果サ‐ａ］、［構成効果イ］、［構成効果ケ］、［構成効果クケ］、［構成効果サ−ａ］、［構成効果サ‐ｂ］、［構成効果コ−ａ］、等の作用効果が得られる。【０２２９】（典型的実施例６−２）
加熱により収縮する性質を有する熱収縮性包装用容器の中に収納された貼付剤収納包装品であって、効能組成物原料を冷却するとともに切断する工程を備えた貼付剤収納包装品の製造方法の典型的実施例について説明する。
前述の典型的実施例４‐１と同じ工程により、［Ａ工程：流動効能組成物原料調製工程及び冷却切断による所定形状形成工程］、及び［Ｂ工程：積層部材積層工程］により保持部材・効能組成物原料・剥離保護部材積層物を調製する【０２３０】・［Ｃ：積層物包装工程］工程：
図３の（Ｃ）に示されるように、保持部材・効能組成物原料・剥離部材積層物の上方向と下方向の双方の位置に、包装用容器となる熱収縮性を有する熱収縮性包装用容器用シートを位置した状態で、その積層物を熱収縮性包装用容器用シートの間に位置するとともに加熱すると共に包装用容器用シートの開口部を密封する。これにより、前記包装用容器が熱収縮作用により前記保持部材・効能組成物原料・剥離保護部材積層物の形状に沿って密着する状態になって変形した積層物収納包装品を調製する。ここで、剥離保護部材２３が効能組成物原料の表面と端部を覆って密着すると共に保持部材２１の周辺余白部２１ａに密着する状態であって、包装用容器３が保持部材・効能組成物原料・剥離保護部材積層物の形状に沿って変形して密着する状態を有する積層物収納包装品が得られる。ここで、切断冷却非変形効能組成物原料は非変形状態を維持する。
熱収縮性包装用容器の材料として、ポリ塩化ビニル製のフィルムが使用される。【０２３１】  典型的実施例４‐１と類似の［Ｄ：効能組成物原料熟成工程］工程により、（Ｃ）工程により調製された積層物収納包装品を、約２５℃雰囲気中に載置された状態で、積層物収納包装品を構成する切断冷却非変形効能組成物原料２２ｃは、約２５℃に昇温する過程及び約２５℃において、流動性のない柔軟状態の柔軟効能組成物２２に架橋されて熟成されて変化させるとともに、柔軟効能組成物２２が保持部材２１に付着接合されて、柔軟効能組成物２２が保持部材２１に付着接合した保持部材・柔軟効能組成物・剥離保護部材積層物が形成される。これにより、切断冷却非変形効能組成物原料２２ｃが粘着性を有すると共に流動性のない柔軟効能組成物２２に熟成されて変化した構成を有する保持部材・柔軟効能組成物・剥離保護部材を備えた貼付剤２が形成されると共に、該貼付剤２が包装用容器３に収納された貼付剤収納包装品１が得られる。
このようにして、縦幅約５０ｍｍ、横幅約１２０ｍｍの大きさの貼付剤を収納した貼付剤収納包装品が得られる。【０２３２】  ここで、包装用容器３は剥離保護部材２３を介して切断冷却非変形効能組成物原料２２ｃの表面と端部と保持部材２１の周辺余白部２１ａに密着する状態を維持した状態で、効能組成物原料が柔軟効能組成物２２に架橋されて熟成されて、保持部材・柔軟効能組成物・剥離保護部材積層物を備えた該貼付剤２が包装用容器３に収納された貼付剤収納包装品１が得られる。すなわち、剥離保護部材２３が柔軟効能組成物２２の表面と端部を覆って密着すると共に保持部材２１の周辺余白部２１ａに密着する状態であって、包装用容器３が保持部材・柔軟効能組成物・剥離保護部材積層物の形状に沿って変形して密着する状態を有する貼付剤収納包装品が得られる。特に、柔軟効能組成物２２は、保持部材２１の表面からはみ出すことなく保持部材２１の周辺余白部２１ａを形成した状態で保持部材２１の表面に付着形成された貼付剤収納包装品が得られる。【０２３３】  本実施例の貼付剤収納包装品の製造方法又は本実施例の貼付剤収納包装品において前述の［方法効果ア］、［構成効果ア］が得られると共に、前述の［方法効果エ］、［方法効果ケ］、［方法効果クケ］、［方法効果コ−ａ］、［方法効果サ］、［方法効果サ−ａ］、［方法効果シ］、［方法効果ス］、［構成効果エ］、［構成効果ケ］、［構成効果クケ］、［構成効果サ］、［構成効果サ−ａ］、［構成効果サ−ｂ］、［構成効果コ］、［構成効果コ−ａ］等の作用効果が得られる。【０２３４】  なお、（典型的実施例６−１）及び（典型的実施例６−２）の［Ｃ：積層物包装工程］において、図６の（Ｃ）に示されるように開口部を有する袋状の熱収縮性包装用容器３、３ｃの中に保持部材・効能組成物原料・剥離部材積層物を収納した状態で、該熱収縮性袋状包装用容器を加熱するとともに袋状の熱収縮性包装用容器３、３ｃの開口部を密封する。これにより、前記包装用容器が熱収縮作用により前記保持部材・効能組成物原料・剥離保護部材積層物の形状に沿って密着する状態になって変形した積層物収納包装品を調製する、工程も実施可能である。【０２３５】（比較例６）
前記典型的実施例６−１において、それぞれの工程に替えて、図１２に示される従来の製造工程に一部類似の下記の工程を備える。
前述の比較例２ａに記載と類似の方法により、［図１２（ａ）工程に類似の工程］、［図１２（ｂ−イ）工程に類似の工程］、及び［図１２（ｂ−ハ）工程、（ｃ−イ）工程に類似の工程］により、流動効能組成物原料２２ａが柔軟効能組成物２２に熟成されて変化した構成を有する保持部材・柔軟効能組成物・剥離保護部材を備えた貼付剤２を形成する。
［図１２（ｂ−ハ）工程、（ｃ−イ）工程に類似の工程］において、保持部材・流動効能組成物原料・剥離保護部材においては、図１２（ｂ‐ハ）に示されるように、流動効能組成物原料２２ａが架橋するまでの流動効能組成物原料２２ａが流動性を有するために、流動効能組成物原料２２ａの厚さＨが減少して厚さＨ２になると共に流動効能組成物原料２２ａが保持部材２１の端面からはみ出し長さＬ２の状態ではみ出した状態になる。【０２３６】  そして、図１２（ｃ‐イ）に示されるように、時間の経過とともに流動効能組成物原料２２ａは流動性状態から流動性のない柔軟状態の柔軟効能組成物２２に架橋されて熟成されて変化するとともに柔軟効能組成物２２を保持部材に付着接合させて、柔軟効能組成物２２が保持部材に付着接合した保持部材・柔軟効能組成物・剥離保護部材積層物を備えた貼付剤が得られる。ここで、はみ出している流動効能組成物原料２２ａも流動性状態から流動性のない粘着性を有する柔軟状態の柔軟効能組成物２２に熟成されて変化される。【０２３７】・［図１２（ｄ−イ）工程に類似の工程］：
前記典型的実施例６−１において使用したものと同じポリ塩化ビニル製のフィルム状の包装用容器３を準備し、その上下２枚のフィルム状の包装用容器３の間に前記（ｃ‐イ）工程により調製された貼付剤を位置する状態で、貼付剤の周囲から約５ｍｍ以上の間隔をあけた領域の包装用容器３の開口部をヒートシール装置により押圧・加熱して、包装用容器３の開口部を溶融融着して接合して密封する。このようにして、貼付剤を包装用容器３の中に収納した貼付剤収納包装品が得られる。ここで、包装用容器３は貼付剤に密着する状態で収納されない。
このようにして、縦幅約５０ｍｍ、横幅約１２０ｍｍの大きさの貼付剤を収納した貼付剤収納包装品が得られる。【０２３８】  上記の比較例６の貼付剤収納包装品において、保持部材と剥離保護部材との間に構成されている柔軟効能組成物が保持部材と剥離保護部材の間の端部からはみ出した貼付剤が製造されるという不良が生じる傾向がある。そのはみ出した柔軟効能組成物を構成する貼付剤を包装用容器の中に収納した場合に、はみ出した柔軟効能組成物が包装用容器の内面に粘着し、貼付剤を包装用容器から容易に取り出せないという不便が生じる。更に、貼付剤を人体皮膚に貼付する場合に、はみ出した柔軟効能組成物が粘着性を奏するために、そのはみ出した柔軟効能組成物を有する貼付剤を人体皮膚に貼付した状態において、保持部材に支持されていないそのはみ出して露出している柔軟効能組成物の部分が、衣服に接触して貼付剤が衣服に粘着する現象や、はみ出した柔軟効能組成物の一部分が保持部材の裏面側に露出して保持部材の裏面側の一部が粘着性を有する等の不快感を感じる傾向がある。【０２３９】（典型的実施例７）
以下の処方の架橋剤を含有しないＢ１流動効能組成物原料２２ａを調製する。
ポリアクリル酸２ｇ、ポリアクリル酸ナトリウム中和物５ｇ、でん粉アクリル酸共重合体２ｇ、カルボキシメチルセルロース１ｇ、カルボキシビニルポリマ１ｇ、ポリビニルアルコール３ｇ、ソルビトール１０ｇ、メントール０．１ｇ、シリカ粉末１ｇ、パラベン０．１ｇ、及び、水（残部）合計１００ｇを加えたものを約６０〜８０℃に加熱しながら撹拌し、各成分が均一に混合された流動性を有するＢ１流動効能組成物原料２２ａを調製する。
このようにして調製されたＢ１流動効能組成物原料２２ａは、第一流動温度としての約５０℃以上の温度領域で流動可能な流動状態を有し、第二冷却非変形温度としての約３℃以下の温度領域で切断可能な非変形状態になり、第三非流動温度としての約７℃〜約３０℃の温度領域で流動性のない含水ゲル状柔軟効能組成物になる。流動性のない含水ゲル状柔軟効能組成物になった柔軟効能組成物は４０℃以上に昇温した状態においても流動性のない非流動性を維持する形態を有する【０２４０】  このようにして調製したＢ１流動効能組成物原料２２ａを使用して、前述の（典型的実施例４−１）と類似の方法により、貼付剤収納包装品を調製する。
すなわち、（典型的実施例４−１）おけるＡ１効能組成物原料に替えて、上記のＢ１効能組成物原料を使用して、前述の（典型的実施例４−１）と類似の［Ａ工程：流動効能組成物原料調製工程及び冷却切断による所定形状形成工程］、［Ｂ工程：積層部材積層工程］、［Ｃ：積層物包装工程］工程、［Ｄ：効能組成物原料熟成工程］工程により、貼付剤収納包装品を調製する。
このようにして、縦幅約５０ｍｍ、横幅約１２０ｍｍの大きさの貼付剤を収納した貼付剤収納包装品が得られる。【０２４１】  本実施例の貼付剤収納包装品の製造方法又は本実施例の貼付剤収納包装品において前述の［方法効果ア］、［構成効果ア］が得られると共に、前述の［方法効果エ］、［方法効果ク］、［方法効果クケ］、［方法効果コ−ａ］、［方法効果サ‐ａ］、［方法効果サ−ｂ］、［方法効果ス］、［構成効果エ］、［構成効果ク］、［構成効果クケ］、［構成効果サ−ｂ］、［構成効果サ−ｃ］、［構成効果コ−ａ］等の作用効果が得られる。【０２４２】（典型的実施例８）
前述の典型的実施例２−１、典型的実施例３−１、及び典型的実施例４−１において、それぞれの実施例の（Ｃ）工程に替えて、下記の工程を備える。
・［Ｃ：積層物包装工程］工程：図１の（Ｃ）に示されるように、ポリエチレンフィルム（厚さ約４０μｍ）とアルミニウム箔（厚さ約９μｍ）と白色クラフト紙（厚さ約５０μｍ）との３層からなり、各層が数μｍ厚の接着剤により接合されてなる厚さ約０．１０ｍｍ（厚さ約１００μｍ）のフィルム状の包装用容器３を準備する。
その他の工程は、前述の典型的実施例２−１、典型的実施例３−１、及び典型的実施例４−１と同じである。
これにより、前述のそれぞれの典型的実施例と同じ効果が得られる。【０２４３】（典型的実施例９）
前述の典型的実施例２−１、典型的実施例３−１、及び典型的実施例４−１において、それぞれの実施例の（Ｃ）工程に替えて、下記の工程を備える。
・［Ｃ：積層物包装工程］工程：図１の（Ｃ）に示されるように、ポリエチレンフィルム（厚さ約４０μｍ）とポリアミド（厚さ約１２μｍ）とポリエチレンテレフタレートフィルム（厚さ約１２μｍ）との３層からなり、各層が数μｍ厚の接着剤により接合されてなる厚さ約０．０７ｍｍ（厚さ約７０μｍ）のフィルム状の包装用容器３を準備する。
その他の工程は、前述の典型的実施例２−１、典型的実施例３−１、及び典型的実施例４−１と同じである。
これにより、前述のそれぞれの典型実施例と同じ効果が得られる。
【産業上の利用可能性】
【０２４４】  本発明の貼付剤収納包装品の製造方法により、保持部材と熟成された柔軟効能物と剥離保護部材とを積層した貼付剤を製造する工程と該貼付剤を収納用容器に収納する工程との双方の工程を経ることなく、包装用容器の中に収納された状態で熟成された柔軟効能組成物を有する貼付剤を形成できると共に該熟成された柔軟効能組成物を有する貼付剤を収納した貼付剤収納包装品を得ることが可能になり、その結果、製造工程が従来よりも著しく簡略化され、量産性が向上し、著しいコストダウンが可能となる貼付剤収納包装品を製造できる効果が得られる。
また、柔軟効能組成物が包装用容器の中に収納された状態で熟成されるために、貼付剤が製造されてから包装用容器に収納されるまでの時間が短縮され、その結果、製造工程中における柔軟効能組成物中に含有される成分の蒸発発散又は空気との化学反応による含有成分の変質や劣化等による含有組成変化や化学的劣化が抑制されて、安定した品質を有する貼付剤が得られる。
更に、前記包装用容器が前記保持部材・効能組成物原料・剥離部材積層物の形状に沿って変形して密着する状態で、流動可能な流動状態を有する流動効能組成物原料が流動性のない柔軟状態の柔軟効能組成物に熟成されて変化されるために、熟成中における流動効能組成物原料の形状が維持され、保持部材と剥離保護部材とに挟まれている流動効能組成物原料の保持部材と剥離保護部材との間からのはみ出しが防止される。その結果、はみ出した柔軟効能組成物が包装用容器の内面に粘着し、貼付剤を包装用容器から容易に取り出せないという不便が解消される。更に、貼付剤を人体皮膚に貼付する場合に、はみ出した柔軟効能組成物が保持部材に支持されていなく貼付剤の表面が粘着性を有することに起因していた使用者の不快感が解消され、快適に使用できる。【０２４５】  本発明の貼付剤収納包装品において、貼付剤が包装用容器の中に位置するとともに包装用容器が前記貼付剤の形状に沿って密着する状態で、柔軟効能組成物が流動性のない非流動形態に変化されてなる柔軟状態を有する柔軟効能組成物の形態に熟成された熟成形態を有してなる構成を備える構成により、柔軟効能組成物中に含有される成分の蒸発発散又は空気との化学反応による含有成分の変質や劣化等による含有成分の含有組成変化や化学的劣化が抑制されて、安定した品質を有する貼付剤収納包装品が得られる効果が得られる。  更に、熟成中における流動効能組成物原料の形状が維持されてなる構成を備えるために、保持部材と剥離保護部材とに挟まれている流動効能組成物原料の保持部材と剥離保護部材との間からのはみ出しが防止される。その結果、はみ出した柔軟効能組成物が包装用容器の内面に粘着し、貼付剤を包装用容器から容易に取り出せないという不便が解消される。更に、貼付剤を人体皮膚に貼付する場合に、保持部材の表面又は側面からみ出している柔軟効能組成物が粘着性を有することに起因していた貼付した状態における使用者の不快感が解消され、快適に使用できる貼付剤収納包装品が得られる。
【符号の説明】
【０２４６】１    貼付剤収納包装品
２    貼付剤
２１  保持部材
２１ａ  保持部材周辺余白部
２２  柔軟効能組成物、含水ゲル状柔軟効能組成物
２２ａ  効能組成物原料、流動効能組成物原料、
２２ｂ  効能組成物原料、冷却非変形効能組成物原料
２２ｃ  効能組成物原料、切断冷却非変形効能組成物原料
２３  剥離保護部材
３    包装用容器
３ａ  包装用容器密封部
３ｃ  熱収縮性包装用容器
【図１】
2020157033.tif 000003
【図２】
2020157033.tif 000004
【図３】
2020157033.tif 000005
【図４】
2020157033.tif 000006
【図５】
2020157033.tif 000007
【図６】
2020157033.tif 000008
【図７】
2020157033.tif 000009
【図８】
2020157033.tif 000010
【図９】
2020157033.tif 000011
【図１０】
2020157033.tif 000012
【図１１】
2020157033.tif 000013
【図１２】
2020157033.tif 000014
【図１３】
2020157033.tif 000015